(57)【要約】  本発明は、可視可視デンタルフロス、および／または可視口腔鉗子、および／または可視口腔洗浄器、および／または可視歯ブラシ、および／または着脱可能可視歯間ブラシなどの複数の機能を有する、多機能可視口腔清掃器具に関する。デンタルフロス、および／または口腔鉗子、および／または口腔洗浄器、および／または歯ブラシ、および／または歯間ブラシは、接続機構を介して口腔ビューアに接続される。使用する場合、スマートフォンまたはタブレットコンピュータを介して、デンタルフロスと、口腔鉗子と、口腔洗浄器と、歯ブラシまたは歯間ブラシと、歯間とを明瞭に見ることができ、よって、直視状態で歯間を便利に清掃および処置することができ、また、歯間の清掃効果をリアルタイムで観察および記録することができる。【選択図】図１８
2019517838.tif 000002
【特許請求の範囲】
【請求項１】
可視可視デンタルフロスであって、
前記可視可視デンタルフロス（９０１）は、デンタルフロス（１００）と、口腔ビューア（２００）と、接続機構（３００）とを備え、
Ａ．前記デンタルフロス（１００）は、フロス（１１）と、ブラケット（１２）と、取り付け基部（１３）とを有し、前記デンタルフロス（１００）の前記フロス（１１）の両端がそれぞれ前記ブラケット（１２）の左アーム（１２−１）と右アーム（１２−２）とに固定されており、前記ブラケット（１２）が前記取り付け基部（１３）に配置されており、
Ｂ．前記口腔ビューア（２００）は、ハウジング（２１）と、電源システム（２２）と、照明システム（２３）と、可視観察システム（２４）と、回路システム（２５）と、スイッチ（２６）とを有し、前記照明システム（２３）と、前記可視観察システム（２４）と、前記回路システム（２５）と、前記電源システム（２２）とは、前記ハウジング（２１）の内部に取り付けられており、前記スイッチ（２６）は、前記ハウジング（２１）に取り付けられており、前記照明システム（２３）と、前記可視観察システム（２４）と、前記電源システム（２２）と、前記スイッチ（２６）とは、前記回路システム（２５）を介して接続されており、
Ｃ．前記デンタルフロス（１００）は、前記接続機構（３００）を介して前記口腔ビューア（２００）に取り付けられている、可視可視デンタルフロス。
【請求項２】
前記デンタルフロス（１００）の前記フロス（１１）は、前記口腔ビューア（２００）の前記可視観察システム（２４）の視野内にある、請求項１に記載の可視可視デンタルフロス。
【請求項３】
前記デンタルフロス（１００）の前記フロス（１１）と前記口腔ビューア（２００）の前記ハウジングのヘッド（２１−１）の中心線との間の内角δは調整可能である、請求項１に記載の可視可視デンタルフロス。
【請求項４】
前記接続機構（３００）は、着脱可能な機械式接続機構であり、前記着脱可能な機械式接続機構は、前記デンタルフロス（１００）に配置されている若しくは前記口腔ビューア（２００）に配置されている独立の構成であり、または、前記着脱可能な機械式接続機構は、前記着脱可能な機械式接続機構の一部が前記デンタルフロス（１００）に配置され、他の部分が前記口腔ビューア（２００）に配置されるように形成された組み合わせ型機械式接続機構である、請求項１に記載の可視可視デンタルフロス。
【請求項５】
前記機械的接続機構は、凹凸嵌合接続、スライドスロット接続、ピン接続、キー接続、ねじ込み接続、ねじ接続、バックル接続、フック接続または締り嵌め接続である、請求項４に記載の可視可視デンタルフロス。
【請求項６】
前記デンタルフロス（１００）の前記取り付け基部（１３）は貫通孔（１３−１）を有し、前記口腔ビューア（２００）の前記ハウジングのヘッド（２１−１）は前記貫通孔（１３−１）にはめ込まれることができ、前記デンタルフロス（１００）と前記口腔ビューア（２００）との間に着脱可能接続を形成する、請求項１に記載の可視可視デンタルフロス。
【請求項７】
前記デンタルフロス（１００）の前記取り付け基部（１３）は位置決め溝（１３−２）を備え、前記接続機構（３００）は位置決めフック（３１）と位置決めブロック（３２）とを備え、前記接続機構（３００）は前記位置決めブロック（３２）を介して前記口腔ビューア（２００）に取り付けられ、前記接続機構（３００）上の前記位置決めフック（３１）は前記デンタルフロス（１００）の前記位置決め溝（１３−２）にはめ込まれて凹凸嵌合接続を形成し、前記デンタルフロス（１００）と前記口腔ビューア（２００）との間に着脱可能接続が形成される、請求項１に記載の可視可視デンタルフロス。
【請求項８】
前記デンタルフロス（１００）の前記取り付け基部（１３）はねじ山（１３−３）を有し、前記接続機構（３００）はねじ込み接続機構（３３）であり、前記ねじ込み接続機構（３３）は前記ねじ山（１３−３）と合致され、前記口腔ビューア（２００）の前記ハウジングのヘッド（２１−１）に配置され、前記デンタルフロス（１００）を回転させることにより前記デンタルフロス（１００）の前記ねじ山（１３−３）を前記ねじ込み接続機構（３３）に取り付けることができ、前記デンタルフロス（１００）を逆方向に回転させることにより前記デンタルフロス（１００）の前記ねじ山（１３−３）を前記ねじ込み接続機構（３３）から取り外すことができる、請求項１に記載の可視可視デンタルフロス。
【請求項９】
前記デンタルフロス（１００）の前記ねじ山（１３−３）を回転させることによって前記デンタルフロス（１００）の前記フロス（１１）と前記口腔ビューア（２００）の前記ハウジングのヘッド（２１−１）の中心線との間の内角βを調整することができる、請求項８に記載の可視可視デンタルフロス。
【請求項１０】
前記接続機構（３００）はスライドバー（３０）と、位置決めフック（３１）と、左位置決めフック（３１−１）と、右位置決めフック（３１−２）と、位置決めブロック（３２）と、滑り止め凸線（３４）とを有し、前記位置決めフック（３１）と、前記左位置決めフック（３１−１）と、前記右位置決めフック（３１−２）とが前記スライドバー（３０）の先端に配置され、前記位置決めフック（３１）が中央に配置され、前記左位置決めフック（３１−１）と前記右位置決めフック（３１−２）とが両端に配置され、前記位置決めブロック（３２）が前記スライドバー（３０）の中央に配置され、前記滑り止め凸線（３４）が前記スライドバー（３０）の尾端に配置され、前記位置決めブロック（３２）が前記口腔ビューア（２００）の前記ハウジング（２１）の位置決めスロット（３５）内に取り付けられ、前記口腔ビューア（２００）の前記ハウジング（２１）の締め付けブロック（３６）が前記スライドバー（３０）の尾端を押さえ尾端を押えることによって前記接続機構３００が前記口腔ビューア（２００）の前記ハウジング（２１）に着脱可能に取り付けられて固定され、前記口腔ビューア（２００）の前記ハウジング（２１）の前記ヘッド（２１−１）が前記デンタルフロス（１００）の前記取り付け基部の前記貫通孔（１３−１）にはめ込まれ、前記接続機構（３００）の前記位置決めフック（３１）が前記取り付け基部の前記位置決め溝（１３−２）にはめ込まれ、前記左位置決めフック（３１−１）と前記右位置決めフック（３１−２）とが左右両端から前記口腔ビューア（２００）の前記ハウジング（２１）の前記ヘッド（２１−１）を囲む、請求項１に記載の可視可視デンタルフロス。
【請求項１１】
前記可視観察システム（２４）はカメラシステム（２４−１）であり、前記カメラシステム（２４−１）は、カメラ（２４−１−１）と、データ処理および出力システム（２４−１−２）と、回路システム（２５）と、電源システム（２２）とを有する、請求項１に記載の可視可視デンタルフロス。
【請求項１２】
前記カメラシステム（２４−１）の前記データ処理および出力システム（２４−１−２）から出力される映像データが有線接続方法または無線接続方法によって表示装置（２４−１−３）に表示され、前記表示装置（２４−１−３）は、スマートフォン（２４−１−３１）、コンピュータ（２４−１−３２）、液晶表示装置（２４−１−３３）またはテレビ（２４−１−３４）を有する、請求項１１に記載の可視可視デンタルフロス。
【請求項１３】
前記照明システム（２３）は、カメラ（２４−１−１）の周囲に配置されている、請求項１１に記載の可視可視デンタルフロス。
【請求項１４】
前記口腔ビューア（２００）は防水設計を採用し、密封充電ポート（２５−３）のための密封装置（２１−４）を有し、前記密封装置（２１−４）は密封リング（２１−４−１）と、加圧板（２１−４−２）と、スライド板（２１−４−３）とを有し、前記密封リング（２１−４−１）は前記ハウジング（２１）の尾端の密封溝（２１−４−０）内に取り付けられ、前記加圧板（２１−４−２）は前記密封リング（２１−４−１）を押圧しており、前記スライド板（２１−４−３）は前記加圧板（２１−４−２）を着脱可能に押圧しており、前記スライド板（２１−４−３）が前記ハウジング（２１）の尾端のスライド板位置決めスロット（２１−４−４）内にスライドすると、前記スライド板（２１−４−３）が前記加圧板（２１−４−２）を押圧し、押圧された前記加圧板（２１−４−２）がさらに前記密封リング（２１−４−１）を押圧して封止を形成し、前記スライド板（２１−４−３）が外側に押されると、前記スライド板（２１−４−３）が前記ハウジング（２１）の前記尾端の前記スライド板位置決めスロット（２１−４−４）から外され、前記スライド板（２１−４−３）が持ち上げられ、前記加圧板（２１−４−２）の圧力が解除され、持ち上げられることで、前記密封充電ポート（２５−３）を露出させ、前記封止が解除され、前記口腔ビューア（２００）が充電される、請求項１に記載の可視可視デンタルフロス。
【請求項１５】
可視口腔鉗子であって、
前記可視口腔鉗子（９０２）は、口腔鉗子（４００）と、口腔ビューア（２００）と、接続機構（３００）とを備え、
Ａ．前記口腔鉗子（４００）は、顎部（４１）と、開閉機構（４２）と、取り付け基部（４３）とを有し、前記口腔鉗子（４００）の前記顎部（４１）は、左アーム（４１−１）と右アーム（４１−２）とを有し、前記左アーム（４１−１）と前記右アーム（４１−２）との間に挟合締付構造が形成され、前記顎部（４１）の開閉運動を制御することができる前記開閉機構（４２）が前記取り付け基部（４３）に配置され、
Ｂ．前記口腔ビューア（２００）は、ハウジング（２１）と、電源システム（２２）と、照明システム（２３）と、可視観察システム（２４）と、回路システム（２５）と、スイッチ（２６）とを有し、前記照明システム（２３）と、前記可視観察システム（２４）と、前記回路システム（２５）と、前記電源システム（２２）とが前記ハウジング（２１）の内部に取り付けられ、前記スイッチ（２６）が前記ハウジング（２１）に取り付けられ、前記照明システム（２３）と、前記可視観察システム（２４）と、前記電源システム（２２）と、前記スイッチ（２６）とが前記回路システム（２５）を介して接続され、
Ｃ．前記口腔鉗子（４００）は、前記接続機構（３００）を介して前記口腔ビューア（２００）に取り付けられる、可視口腔鉗子。
【請求項１６】
前記顎部（４１）は、前記口腔ビューア（２００）の前記可視観察システム（２４）の視野内にある、請求項１５に記載の可視口腔鉗子。
【請求項１７】
前記口腔鉗子（４００）の前記顎部（４１）は、互いに噛み合う咬合歯（４１−３）を備える、請求項１５に記載の可視口腔鉗子。
【請求項１８】
前記口腔鉗子（４００）前記顎部（４１）は、人間の口腔の要件に合う湾曲部（４１−４）を有する、請求項１５に記載の可視口腔鉗子。
【請求項１９】
前記口腔鉗子（４００）の前記開閉機構（４２）は、スリーブスライドバー開閉機構、ヒンジ式開閉機構、レバー制御開閉機構、ボタン制御開閉機構、ばね制御開閉機構、プッシュプル制御開閉機構または回転制御開閉機構を有する、請求項１５に記載の可視口腔鉗子。
【請求項２０】
前記口腔鉗子（４００）の前記取り付け基部（４３）は、前記口腔ビューア（２００）と接続されるための位置決めブロック（３２）を有する、請求項１５に記載の可視口腔鉗子。
【請求項２１】
前記接続機構（３００）は、着脱可能な機械式接続機構であり、前記着脱可能な機械式接続機構は、前記口腔鉗子（４００）に配置されている若しくは前記口腔ビューア（２００）に配置されている独立の構成であり、または、前記着脱可能な機械式接続機構は、前記着脱可能な機械式接続機構の一部が前記口腔鉗子（４００）に配置され、他の部分を前記口腔ビューア（２００）に配置されるように形成される組み合わせ型機械式接続機構である、請求項１５に記載の可視口腔鉗子。
【請求項２２】
前記機械的接続機構は、凹凸嵌合接続、スライドスロット接続、ピン接続、キー接続、ねじ込み接続、ねじ接続、バックル接続、フック接続または締り嵌め接続を有する、請求項２１に記載の可視口腔鉗子。
【請求項２３】
前記口腔ビューア（２００）の前記ハウジング（２１）は、位置決めスロット（３５）と締め付けブロック（３６）とを有し、前記口腔鉗子（４００）の前記位置決めブロック（３２）は、前記位置決めスロット（３５）にはめ込まれることができ、前記締め付けブロック（３６）は、前記口腔鉗子（４００）の前記取り付け基部（４３）が後方にスライドするのを防止することができ、前記位置決めブロック（３２）と、前記位置決めスロット（３５）と、前記締め付けブロック（３６）との連係が前記接続機構（３００）を構成する、請求項１５に記載の可視口腔鉗子。
【請求項２４】
前記可視観察システム（２４）は、カメラシステム（２４−１）であり、前記カメラシステム（２４−１）は、カメラ（２４−１−１）と、データ処理および出力システム（２４−１−２）と、回路システム（２５）と、電源システム（２２）とを有する、請求項１５に記載の可視口腔鉗子。
【請求項２５】
前記カメラシステム（２４−１）の前記データ処理および出力システム（２４−１−２）によって出力される映像データを有線接続方法または無線接続方法で表示装置（２４−１−３）に表示することができ、前記表示装置（２４−１−３）は、スマートフォン（２４−１−３１）、コンピュータ（２４−１−３２）、液晶表示装置（２４−１−３３）またはテレビ（２４−１−３４）を有する、請求項２４に記載の可視口腔鉗子。
【請求項２６】
前記照明システム（２３）は、前記カメラ（２４−１−１）の周囲に配置される、請求項２４に記載の可視口腔鉗子。
【請求項２７】
前記口腔ビューア（２００）は防水設計を採用する、請求項１５に記載の可視口腔鉗子。
【請求項２８】
前記口腔鉗子（４００）の前記顎部（４１）は、弾性材料からなり、前記顎部（４１）は外力が加えられていないときに開き状態であり、前記顎部（４１）の後端が前記取り付け基部（４３）に固定され、前記接続機構（３００）を介して前記口腔ビューア（２００）に着脱可能に接続され、前記顎部（４１）の先端が前記開閉機構（４２）のスリーブ（４２−２）の孔（４２−２−１）を通過し、前記開閉機構（４２）のプッシュロッド（４２−１）を前方に押すことによって前記スリーブ（４２−２）が前記顎部（４１）の先端に向かって移動し、前記顎部（４１）の前記左アーム（４１−１）と前記右アーム（４１−２）とが挟み合うまで前記顎部（４１）を閉じ、前記開閉機構（４２）の前記プッシュロッド（４２−１）を後方に押すことによって前記スリーブ（４２−２）が前記顎部（４１）の後端に向かって移動し、前記顎部（４１）の弾性力の作用によって、前記左アーム（４１−１）と前記右アーム（４１−２）とが開かれる、請求項１５に記載の可視口腔鉗子。
【請求項２９】
前記口腔鉗子（４００）の前記顎部（４１）は、ヒンジ構造を採用し、ピン（４１−５）を有し、前記顎部（４１）の前記左アーム（４１−１）と前記右アーム（４１−２）とが前記ピン（４１−５）を介して前記スリーブ（４２−２）上に可動式に取り付けられ、前記スリーブ（４２−２）は前記取り付け基部（４３）に配置され、前記接続機構（３００）を介して前記口腔ビューア（２００）と着脱可能に接続され、前記顎部（４１）の後端は、前記開閉機構（４２）の前記プッシュロッド（４２−１）と接続され、前記プッシュロッド（４２−１）が後方に引かれると、前記顎部（４１）の前記左アーム（４１−１）と前記右アーム（４１−２）とが前記ピン（４１−５）を中心に回転し、前記顎部（４１）の前記左アーム（４１−１）と前記右アーム（４１−２）とが挟み合うまで閉じられ、前記プッシュロッド（４２−１）が前方に押されると、前記顎部（４１）の前記左アーム（４１−１）と前記右アーム（４１−２）とが前記ピン（４１−５）を中心に回転し、前記顎部（４１）の前記左アーム（４１−１）と前記右アーム（４１−２）とが開かれる、請求項１５に記載の可視口腔鉗子。
【請求項３０】
可視口腔洗浄器であって、
前記可視口腔洗浄器（９０３）は口腔洗浄器（５００）と、口腔ビューア（２００）と、接続機構（３００）とを備え、
Ａ．前記口腔洗浄器（５００）は、スプレーヘッド（５１）と、スプレーガン（５２）と、制御スイッチ（５３）と、圧力容器（５４）と、接続管（５５）と、継手（５６）とを有し、前記スプレーヘッド（５１）は前記スプレーガン（５２）の先端に配置され、前記制御スイッチ（５３）は前記スプレーガン（５２）内の流体の噴射を制御することができ、前記圧力容器（５４）内の流体が前記接続管（５５）と前記継手（５６）とを介して前記スプレーガン（５２）に接続され、
Ｂ．前記口腔ビューア（２００）は、ハウジング（２１）と、電源システム（２２）と、照明システム（２３）と、可視観察システム（２４）と、回路システム（２５）と、スイッチ（２６）とを有し、前記照明システム（２３）と、前記可視観察システム（２４）と、前記回路システム（２５）と、前記電源システム（２２）とは前記ハウジング（２１）の内部に取り付けられ、前記スイッチ（２６）は前記ハウジング（２１）に取り付けられ、前記照明システム（２３）と、前記可視観察システム（２４）と、前記電源システム（２２）と、前記スイッチ（２６）とが前記回路システム（２５）を介して接続され、
Ｃ．前記口腔洗浄器（５００）は、前記接続機構（３００）を介して前記口腔ビューア（２００）に取り付けられる、可視口腔洗浄器。
【請求項３１】
前記スプレーヘッド（５１）によって噴射される前記流体が前記口腔ビューア（２００）の前記可視観察システム（２４）の視野内にある、請求項３０に記載の可視口腔洗浄器。
【請求項３２】
前記口腔洗浄器（５００）の前記スプレーヘッド（５１）は、噴射される前記流体の形状および速度を調整することができる調整弁（５１−１）を有する、請求項３０に記載の可視口腔洗浄器。
【請求項３３】
前記口腔洗浄器（５００）の前記スプレーヘッド（５１）は、人間の口腔の要件に合う湾曲部（５１−２）を有する、請求項３０に記載の可視口腔洗浄器。
【請求項３４】
前記口腔洗浄器（５００）の前記制御スイッチ（５３）は、スリーブスライドバー開閉機構、ボタン制御開閉機構、回転制御開閉機構、電気制御スイッチまたはソレノイド式スイッチを有する、請求項３０に記載の可視口腔洗浄器。
【請求項３５】
前記口腔洗浄器（５００）の前記スプレーガン（５２）は、流体を通過させるための流路（５２−１）と、ハウジング（５２−２）と、取り付け基部（５２−３）とを有し、前記流路（５２−１）は前記ハウジング（５２−２）の内部ハウジング（５２−２）の内部に配置され、前記取り付け基部（５２−３）は前記ハウジング（５２−２）に配置され、前記取り付け基部（５２−３）は、前記口腔ビューア（２００）に接続可能な位置決めブロック（３２）を有する、請求項３０に記載の可視口腔洗浄器。
【請求項３６】
前記接続機構（３００）は、着脱可能な機械式接続機構であり、前記着脱可能な機械式接続機構は、前記口腔洗浄器（５００）に配置されている若しくは前記口腔ビューア（２００）に配置されている独立の構成であり、または、前記着脱可能な機械式接続機構は、前記着脱可能な機械式接続機構の一部が前記口腔洗浄器（５００）に配置され、他の部分が口腔ビューア（２００）に配置されるように形成される組み合わせ型機械式接続機構である、請求項３０に記載の可視口腔洗浄器。
【請求項３７】
前記機械的接続機構は、凹凸嵌合接続、スライドスロット接続、ピン接続、キー接続、ねじ込み接続、ねじ接続、バックル接続、フック接続または締り嵌め接続を有する、請求項３６に記載の可視口腔洗浄器。
【請求項３８】
前記口腔ビューア（２００）の前記ハウジング（２１）は、位置決めスロット（３５）と、前記スプレーガン（５２）に接続可能な締め付けブロック（３６）とを有し、前記スプレーガン（５２）上の位置決めブロック（３２）は前記位置決めスロット（３５）にはめ込まれることができ、前記締め付けブロック（３６）は前記スプレーガン（５２）の前記取り付け基部（５２−３）が後方にスライドするのを防止することができ、前記位置決めブロック（３２）と、前記位置決めスロット（３５）と、前記締め付けブロック（３６）との連係が前記接続機構（３００）を構成する、請求項３０に記載の可視口腔洗浄器。
【請求項３９】
前記可視観察システム２４は、カメラシステム（２４−１）であり、前記カメラシステム（２４−１）は、カメラ（２４−１−１）と、データ処理および出力システム（２４−１−２）と、回路システム（２５）と、電源システム（２２）とを有する、請求項３０に記載の可視口腔洗浄器。
【請求項４０】
前記カメラシステム（２４−１）のデータ処理および出力システム（２４−１−２）によって出力される映像データを有線接続方法または無線接続方法で表示装置（２４−１−３）に表示することができ、前記表示装置（２４−１−３）は、スマートフォン（２４−１−３１）、コンピュータ（２４−１−３２）、液晶表示装置（２４−１−３３）またはテレビ（２４−１−３４）を有する、請求項３９に記載の可視口腔洗浄器。
【請求項４１】
前記照明システム（２３）はカメラ（２４−１−１）の周囲に配置されている、請求項３９に記載の可視口腔洗浄器。
【請求項４２】
前記口腔ビューア（２００）は防水設計を採用する、請求項３０に記載の可視口腔洗浄器。
【請求項４３】
前記口腔洗浄器（５００）の前記圧力容器（５４）は、加圧器（５４−１）と、ハウジング（５４−２）と、流体収容空間（５４−３）とを有し、流体圧力を上昇させることが可能な前記加圧器（５４−１）は前記ハウジング（５４−２）に取り付けられる、請求項３０に記載の可視口腔洗浄器。
【請求項４４】
前記口腔洗浄器（５００）の前記圧力容器（５４）は注水口（５４−４）を有し、前記注水口（５４−４）は、前記圧力容器（５４）の前記ハウジング（５４−２）に配置され、接続ポート（５４−４１）と密封キャップ（５４−４２）とを有し、前記接続ポート（５４−４１）の遠端が前記圧力容器（５４）の前記流体収容空間（５４−３）と連通し、前記密封キャップ（５４−４２）は前記接続ポート（５４−４１）に着脱可能に取り付けられる、請求項４３記載の可視口腔洗浄器。
【請求項４５】
前記口腔洗浄器（５００）の前記圧力容器（５４）は、前記口腔ビューア（２００）の近端に取り付けることができる、請求項３０に記載の可視口腔洗浄器。
【請求項４６】
前記加圧器（５４−１）は、機械式加圧器または電動加圧器である、請求項４３に記載の可視口腔鉗子。
【請求項４７】
前記加圧器（５４−１）は手動式加圧器（５４１）であり、前記手動式加圧器（５４１）は、前部逆止弁（５４１−１）と、後部逆止弁（５４１−２）と、弁筒（５４１−３）と、ピストン（５４１−４）と、プッシュロッド（５４１−５）と、コアロッド（５４１−６）とを有し、前記前部逆止弁（５４１−１）と、前記後部逆止弁（５４１−２）と、前記ピストン（５４１−４）と、前記コアロッド（５４１−６）とは、前記弁筒（５１４−３）内に取り付けられ、前記プッシュロッド（５４１−５）の先端が前記ピストン（５４１−４）を有し、前記前部逆止弁（５４１−１）は前記コアロッド（５４１−６）の遠端に配置され、前記後部逆止弁（５４１−２）は前記コアロッド（５４１−６）の近端に配置され、前記プッシュロッド（５４１−５）は前記弁筒（５４１−３）内で往復するように前記ピストン（５４１−４）を押すことができ、前記プッシュロッド（５４１−５）が外側に引かれると、前記前部逆止弁（５４１−１）が閉じ状態になり、前記圧力容器５４の前記流体収容空間（５４−３）内の前記流体が前記弁筒（５４１−３）に流入することができず、前記後部逆止弁（５４１−２）が開き状態になり、外部の流体が前記弁筒（５４１−３）内に流入することができ、前記プッシュロッド（５４１−５）が内側に押されると、前記後部逆止弁（５４１−２）が閉じ状態になり、前記弁筒（５４１−３）内の前記流体が圧縮され、前記弁筒（５４１−３）内の圧力が上昇し、圧力の作用により、前記前部逆止弁（５４１−１）が開き状態になり、前記弁筒（５４１−３）内の圧縮された前記流体が前記前部逆止弁（５４１−１）を通って前記流体収容空間（５４−３）に流入し、このように繰り返すことによって前記圧力容器（５４）の前記流体収容空間（５４−３）内の前記流体の圧力を連続して上昇させることができる、請求項４３に記載の可視口腔洗浄器。
【請求項４８】
前記前部逆止弁（５４１−１）は、前部伸縮ばね（５４１−１−１）と、前部逆止ブロック（５４１−１−２）と、前部密封リング（５４１−１−３）とを有し、前記前部伸縮ばね（５４１−１−１）は前記前部逆止ブロック（５４１−１−２）の先端を押さえ、前記前部密封リング（５４１−１−３）は前記前部逆止ブロック（５４１−１−２）の近端に配置され、前記後部逆止弁（５４１−２）は後部伸縮ばね（５４１−２−１）と、後部逆止ブロック（５４１−２−２）と、後部密封リング（５４１−２−３）とを有し、前記後部伸縮ばね（５４１−２−１）は前記後部逆止ブロック（５４１−２−２）の遠端を押さえ、前記後部密封リング（５４１−２−３）は前記後部逆止ブロック（５４１−２−２）の近端に配置され、前記後部逆止ブロック（５４１−２−２）は流体を通過させるための貫通孔（５４１−２−２１）を備える、請求項４７に記載の可視口腔洗浄器。
【請求項４９】
前記加圧器（５４−１）は電動加圧器（５４２）である、請求項４６に記載の可視口腔洗浄器。
【請求項５０】
前記電動加圧器（５４２）は電動空圧器（５４２−１）または電動水圧器（５４２−２）である、請求項４９に記載の可視口腔洗浄器。
【請求項５１】
前記電動空圧器（５４２−１）は電動エアコンプレッサ（５４２−５１）である、請求項５０に記載の可視口腔洗浄器。
【請求項５２】
前記電動水圧器（５４２−２）は水中ポンプ（５４２−２１）または送水ポンプ（５４２−２２）である、請求項５０に記載の可視口腔洗浄器。
【請求項５３】
前記電動水圧器（５４２−２２）は水中ポンプ（５４２−２１）であり、前記水中ポンプ（５４２−２１）は、注水システム（５４２−２１−１）と、加押圧しステム（５４２−２１−２）と、吐水システム（５４２−２１−３）とを有し、前記水中ポンプ（５４２−２１）は、前記ハウジング（５４−２）の下部に取り付けられ、前記吐水システム（５４２−２１−３）は前記接続管（５５）に接続され、前記電源システム（２２）が前記水中ポンプ（５４２−２１）に給電した後、前記加押圧しステム（５４２−２１−２）が動作して前記注水システム（５４２−２１−１）を介して前記水中ポンプ（５４２−２１）に流入する流体を加圧し、加圧された前記流体は前記排水システム（５４２−２１−３）によって前記接続管（５５）を通って吐出されて歯を洗浄する洗浄する、請求項５２に記載の可視口腔洗浄器。
【請求項５４】
前記電動水圧器（５４２−２）は送水ポンプ（５４２−２２）であり、前記送水ポンプ（５４２−２２）はポンプシステム（５４２−２２−１）と、真空吸引システム（５４２−２２−２）と、吐水システム（５４２−２２−３）とを有し、前記吐水システム（５４２−２２−３）は前記接続管（５５）に接続され、前記電源システム（２２）が前記送水ポンプ（５４２−２２）に給電した後、前記真空吸引システム（５４２−２２−２）が動作して前記ポンプシステム（５４２−２２−１）を介して前記流体収容空間（５４−３）内の前記流体が前記送水ポンプ（５４２−２２）に吸引され、加圧された前記流体が前記吐水システム（５４２−２２−３）によって前記接続管（５５）を介して吐出されて歯を洗浄する、請求項５２に記載の可視口腔洗浄器。
【請求項５５】
前記スプレーヘッド（５１）と前記スプレーガン（５２）とは前記口腔ビューア（２００）の前記ハウジング（２１）の内部に配置されている、請求項３０に記載の可視口腔洗浄器。
【請求項５６】
前記スプレーヘッド（５１）が前記可視観察システム（２４）の近傍に配置され、前記スプレーヘッド（５１）によって噴射される前記流体が前記可視観察システム（２４）の視野内にある、請求項３０に記載の可視口腔洗浄器。
【請求項５７】
前記口腔ビューア（２００）の先端は接続機構（３００）を介して他の口腔清掃装置を備えることができ、前記他の口腔清掃装置は、歯間ブラシ（５００）、デンタルフロス（６００）、歯ブラシ（７００）または口腔鉗子（４００）である、請求項３０に記載の可視口腔洗浄器。
【請求項５８】
前記可視口腔洗浄器（９０３）の先端（９０３−１）が、着脱可能接続機構（９０３−３）を介して前記可視口腔洗浄器（９０３）の本体（９０３−２）に接続され、または前記可視口腔洗浄器（９０３）の先端（９０３−１）が、折り畳み式接続機構（９０３−４）を介して前記可視口腔洗浄器（９０３）の本体（９０３−２）に接続される、請求項３０に記載の可視口腔洗浄器。
【請求項５９】
前記可視口腔洗浄器（９０３）の前記口腔ビューア（２００）の先端（２００−１）が、着脱可能接続機構（９０３−３）を介して前記口腔ビューア（２００）の本体（２００−２）に接続され、または前記口腔ビューア（２００）の先端（２００−１）が、折り畳み式接続機構（９０３−４）を介して前記口腔ビューア（２００）の本体（２００−２）に接続される、請求項３０に記載の可視口腔洗浄器。
【請求項６０】
前記可視口腔洗浄器（９０３）の前記口腔洗浄器（５００）の先端（５００−１）が着脱可能接続機構（９０３−３）を介して前記口腔洗浄器（５００）の本体（５００−２）に接続され、または前記口腔洗浄器（５００）の先端（５００−１）が折り畳み式接続機構（９０３−４）を介して前記口腔洗浄器（５００）の本体（５００−２）に接続される、請求項３０に記載の可視口腔洗浄器。
【請求項６１】
前記着脱可能接続機構（９０３−３）は接続固定機構（９０３−３−１）を有する、請求項３０に記載の可視口腔洗浄器。
【請求項６２】
前記接続固定機構（９０３−３−１）は、凹凸嵌合型接続固定機構、回転型接続固定機構、または磁気接続固定機構である、請求項３３に記載の可視口腔洗浄器。
【請求項６３】
前記折り畳み式接続機構（９０３−４）は、回転軸運動機構または凹凸嵌合機構である、請求項３０に記載の可視口腔洗浄器。
【請求項６４】
前記折り畳み式接続機構（９０３−４）は、回転軸接続機構であり、前記折り畳み式接続機構（９０３−４）は回転軸（９０３−４−１）と回転軸孔（９０３−４−２）とを有し、前記回転軸（９０３−４−１）は前記回転軸孔（９０３−４−２）内で動くことができる、請求項３５に記載の可視口腔洗浄器。
【請求項６５】
前記口腔ビューア（２００）の前記先端（２００−１）が、前記着脱可能接続機構（９０３−３）を介して前記口腔ビューア（２００）の前記本体（２００−２）に接続され、前記着脱可能接続機構（９０３−３）は電気継手（９０３−３−２）をさらに有し、前記接続固定機構（９０３−３−１）は前記口腔ビューア（２００）の前記先端（２００−１）を前記本体（２００−２）に接続かつ固定することができ、前記電気継手（９０３−３−２）は前記口腔ビューア（２００）の前記先端（２００−１）の回路（２５−１）を前記本体（２００−２）の回路（２５−２）に接続することができる、請求項６０に記載の可視口腔洗浄器。
【請求項６６】
前記口腔ビューア（２００）の前記先端（２００−１）は、前記折り畳み式接続機構（９０３−４）を介して前記口腔ビューア（２００）の前記本体（２００−２）に接続され、前記口腔ビューア（２００）の前記先端（２００−１）が前記折り畳み式接続機構（９０３−４）の回転軸（９０３−４−１）を中心に回転すると、前記口腔ビューア（２００）の前記先端（２００−１）が前記口腔ビューア（２００）の前記本体（２００−２）に対して展開または折り畳まれることができ、前記口腔ビューア（２００）の前記先端（２００−１）の前記回路（２５−１）は、折り曲げ可能な可撓性回路折りを介して前記口腔ビューア（２００）の前記本体（２００−２）の前記回路（２５−２）に接続される、請求項６０に記載の可視口腔洗浄器。
【請求項６７】
前記口腔ビューア（２００）の前記先端（２００−１）は前記折り畳み式接続機構（９０３−４）を介して前記口腔ビューア（２００）の前記本体（２００−２）に接続され、前記口腔ビューア（２００）の前記先端（２００−１）の前記回路（２５−１）は、折り曲げ可能な可撓性回路を介して前記口腔ビューア（２００）の前記本体（２００−２）の前記回路に接続され、前記口腔ビューア（２００）の前記先端（２００−１）は前記凹凸嵌合機構を介して前記口腔ビューア（２００）の前記本体（２００−２）に対して展開または折り畳まれることができる、請求項６０に記載の可視口腔洗浄器。
【請求項６８】
前記口腔洗浄器（５００）の前記先端（５００−１）は、前記着脱可能接続機構（９０３−３）を介して前記口腔洗浄器（５００）の前記本体（５００−２）に接続され、前記着脱可能接続機構（９０３−３）は、水継手（９０３−３−３）をさらに有し、前記接続固定機構（９０３−３−１）は、前記口腔洗浄器（５００）の前記先端（５００−１）を前記本体（５００−２）に接続かつ固定することができ、前記水継手（９０３−３−３）は、前記口腔洗浄器（５００）の前記先端（５００−１）の水路を前記本体（５００−２）の水路に接続することができる、請求項６１に記載の可視口腔洗浄器。
【請求項６９】
前記口腔洗浄器（５００）の前記先端（５００−１）は、前記折り畳み式接続機構（９０３−４）を介して前記口腔洗浄器（５００）の前記本体（５００−２）に接続され、前記口腔洗浄器（５００）の前記先端（５００−１）が前記折り畳み式接続機構（９０３−４）の回転軸（９０３−４−１）を中心に回転すると、前記口腔洗浄器（５００）の前記先端（５００−１）が前記口腔洗浄器（５００）の前記本体（５００−２）に対して展開または折り畳まれることができ、前記口腔洗浄器（５００）の前記先端（５００−１）の水路が折り曲げ可能な可撓性水路を介して前記口腔洗浄器（５００）の前記本体（５００−２）の水路に接続される、請求項６１に記載の可視口腔洗浄器。
【請求項７０】
前記口腔洗浄器（５００）の前記先端（５００−１）は前記折り畳み式接続機構（９０３−４）を介して前記口腔洗浄器（５００）の前記本体（５００−２）に接続され、前記口腔洗浄器（５００）の前記先端（５００−１）の水路が折り曲げ可能な可撓性水路を介して前記口腔洗浄器（５００）の前記本体（５００−２）の水路に接続され、前記口腔洗浄器（５００）の前記先端（５００−１）は前記凹凸嵌合機構を介して前記口腔洗浄器（５００）の前記本体（５００−２）に対して展開または折り畳まれることができる、請求項６１に記載の可視口腔洗浄器。
【請求項７１】
前記口腔洗浄器（５００）の前記先端（５００−１）および前記口腔洗浄器（５００）の前記本体（５００−２）と、前記口腔ビューア（２００）の前記先端（２００−１）および前記口腔ビューア（２００）の前記本体（２００−２）とが、同時に、着脱可能接続機構（９０３−３）または折り畳み式接続機構（９０３−４）を介して接続される、請求項３０に記載の可視口腔洗浄器。
【請求項７２】
前記着脱可能接続機構（９０３−３）は、接続固定機構（９０３−３−１）と、電気継手（９０３−２）と、水継手（９０３−３−３）とを有し、前記接続固定機構（９０３−３−１）は、前記口腔洗浄器（５００）の前記先端（５００−１）と前記口腔ビューア（２００）の前記先端（２００−１）とのそれぞれを同時に前記口腔洗浄器（５００）の前記本体（５００−２）と前記口腔ビューア（２００）の前記本体（２００−２）とに接続して固定し、前記電気継手（９０３−３−２）は前記口腔ビューア（２００）の前記先端（２００−１）の前記回路（２５−１）を前記本体（２００−２）の前記回路（２５−２）に接続することができ、前記水継手（９０３−３−３）は、前記口腔洗浄器（５００）の前記先端（５００−１）の前記水路を前記本体（５００−２）の前記水路に接続することができる、請求項４３に記載の可視口腔洗浄器。
【請求項７３】
前記折り畳み式接続機構（９０３−４）は回転軸接続機構であり、前記折り畳み式接続機構（９０３−４）は回転軸（９０３−４−１）と回転軸孔（９０３−４−２）とを有し、前記回転軸（９０３−４−１）は前記回転軸孔（９０３−４−２）内で動くことができ、前記口腔ビューア（２００）の前記先端（２００−１）が前記折り畳み式接続機構（９０３−４）の回転軸（９０３−４−１）を中心に回転すると、前記口腔ビューア（２００）の前記先端（２００−１）が前記口腔ビューア（２００）の前記本体（２００−２）に対して展開または折り畳まれることができ、前記口腔ビューア（２００）の前記先端（２００−１）の前記回路（２５−１）は、折り曲げ可能な可撓性回路を介して前記口腔ビューア（２００）の前記本体（２００−２）の前記回路（２５−２）に接続され、前記口腔洗浄器（５００）の前記先端（５００−１）が前記折り畳み式接続機構（９０３−４）の前記回転軸（９０３−４−１）を中心に回転すると、前記口腔洗浄器（５００）の前記先端（５００−１）が前記口腔洗浄器（５００）の前記本体（５００−２）に対して展開または折り畳まれることができ、前記口腔洗浄器（５００）の前記先端（５００−１）の前記水路は、前記折り曲げ可能な可撓性水路を介して前記口腔洗浄器（５００）の前記本体（５００−２）の前記水路に接続される、請求項７２に記載の可視口腔洗浄器。
【請求項７４】
前記折り畳み式接続機構（９０３−４）は凹凸嵌合接続機構であり、前記口腔ビューア（２００）の前記先端（２００−１）の前記回路（２５−１）は、折り曲げ可能な可撓性回路を介して前記口腔ビューア（２００）の前記本体（２００−２）の前記回路に接続され、前記口腔ビューア（２００）の前記先端（２００−１）は、前記凹凸嵌合機構を介して前記口腔ビューア（２００）の前記本体（２００−２）に対して展開または折り畳まれることができ、前記口腔洗浄器（５００）の前記先端（５００−１）の前記水路は前記折り曲げ可能な可撓性水路を介して前記口腔洗浄器（５００）の前記本体（５００−２）の前記水路に接続され、前記口腔洗浄器（５００）の前記先端（５００−１）が前記凹凸嵌合機構を介して前記口腔洗浄器（５００）の前記本体（５００−２）に対して展開または折り畳まれることができる、請求項７１に記載の可視口腔洗浄器。
【請求項７５】
可視歯ブラシであって、
前記可視歯ブラシ（９０４）は、歯ブラシ（６００）と、口腔ビューア（２００）と、接続機構（３００）とを備え、
Ａ．前記歯ブラシ（６００）は、ブラシヘッド（６１）と、ブラシロッド（６２）と、取り付け基部（６３）とを有し、前記歯ブラシ（６００）の前記ブラシヘッド（６１）は少なくとも１つのブラシ毛（６１−１）を有し、前記ブラシヘッド（６１）は前記ブラシロッド（６２）の先端に配置され、前記取り付け基部（６３）は前記ブラシロッド（６２）の後端に配置され、
Ｂ．前記口腔ビューア（２００）は、ハウジング（２１）と、電源システム（２２）と、照明システム（２３）と、可視観察システム（２４）と、回路システム（２５）と、スイッチ（２６）とを有し、前記照明システム（２３）と、前記可視観察システム（２４）と、前記回路システム（２５）と、前記電源システム（２２）とは、前記ハウジング（２１）の内部に取り付けられ、前記スイッチ（２６）は、前記ハウジング（２１）に取り付けられ、前記照明システム（２３）と、前記可視観察システム（２４）と、前記電源システム（２２）と、前記スイッチ（２６）とは、前記回路（２５）を介して接続され、
Ｃ．前記歯ブラシ（６００）は、前記接続機構（３００）を介して前記口腔ビューア（２００）に取り付けられる、可視歯ブラシ。
【請求項７６】
前記ブラシヘッド（６１）は、前記口腔ビューア（２００）の前記可視観察システム（２４）の視野内にある、請求項７５に記載の可視歯ブラシ。
【請求項７７】
前記ブラシヘッド（６１）と前記ブラシロッド（６２）との間の内角βは９０°ないし１７０°の範囲内にある、請求項７５に記載の可視歯ブラシ。
【請求項７８】
前記歯ブラシ（６００）の前記ブラシヘッド（６１）と前記ブラシロッド（６２）との間に、人間の口腔の要件に合う湾曲部（６１−４）がある、請求項７５に記載の可視歯ブラシ。
【請求項７９】
前記歯ブラシ（６００）の前記取り付け基部（６３）は、前記口腔ビューア（２００）と接続されるための位置決めブロック（３２）を有する、請求項７５に記載の可視歯ブラシ。
【請求項８０】
前記接続機構（３００）は着脱可能な機械式接続機構であり、前記着脱可能な機械式接続機構は、前記歯ブラシ（６００）に配置されている若しくは前記口腔ビューア（２００）に配置されている独立の構成であり、または、前記着脱可能な機械式接続機構は、前記着脱可能な機械式接続機構の一部が前記歯ブラシ（６００）に配置され、他の部分が前記口腔ビューア（２００）に配置されるように形成される組み合わせ型機械式接続機構である、請求項７５に記載の可視歯ブラシ。
【請求項８１】
前記機械的接続機構は、凹凸嵌合接続、スライドスロット接続、ピン接続、キー接続、ねじ込み接続、ねじ接続、バックル接続、フック接続または締り嵌め接続を有する、請求項８０に記載の可視歯ブラシ。
【請求項８２】
前記口腔ビューア（２００）の前記ハウジング（２１）は、位置決めスロット（３５）と締め付けブロック（３６）とを有し、前記歯ブラシ（６００）の前記位置決めブロック（３２）は前記位置決めスロット（３５）にはめ込まれることができ、前記締め付けブロック（３６）は前記歯ブラシ（６００）の前記取り付け基部（６３）が後方にスライドするのを防止することができ、前記位置決めブロック（３２）と、前記位置決めスロット（３５）と、前記締め付けブロック（３６）との連係が前記接続機構（３００）を構成する、請求項７５に記載の可視歯ブラシ。
【請求項８３】
前記可視観察システム（２４）は、カメラシステム（２４−１）であり、前記カメラシステム（２４−１）は、カメラ（２４−１―１）と、データ処理および出力システム（２４−１−３）と、回路システム（２５）と、電源システム（２２）とを有する、請求項７５に記載の可視歯ブラシ。
【請求項８４】
前記カメラシステム（２４−１）の前記データ処理および出力システム（２４−１−２）によって出力される映像データを有線接続方法または無線接続方法で表示装置（２４−１−３）に表示することができ、前記表示装置（２４−１−３）は、スマートフォン（２４−１−３１）、コンピュータ（２４−１−３２）、液晶表示装置（２４−１−３３）またはテレビ（２４−１−３４）を有する、請求項８３に記載の可視歯ブラシ。
【請求項８５】
前記照明システム（２３）は、前記カメラ（２４−１−１）の周囲に配置されている、請求項８３に記載の可視歯ブラシ。
【請求項８６】
前記照明システム（２３）は、ＬＥＤ照明システム（２３−１）を採用している、請求項８５に記載の可視歯ブラシ。
【請求項８７】
前記カメラ（２４−１−１）は、前記照明システム（２３）の熱影響域内にあり、前記照明システム（２３）が発生する熱によってカメラ（２４−１−１）を加熱することができ、それによって使用中に前記カメラ（２４−１−１）が曇りを生じることを抑制する、請求項８３に記載の可視歯ブラシ。
【請求項８８】
前記照明システム（２３）が発生する熱は、前記カメラ（２４−１−１）の温度を３５℃ないし４５℃に上昇させることができる、請求項８７に記載の可視歯ブラシ。
【請求項８９】
前記ハウジング（２１）は、前記カメラ（２４−１−１）近傍の前記ハウジング（２１−５）の熱放散能力と前記照明システム（２３）が発生する熱との間の動的熱平衡を生じさせることができ、それによって前記カメラ（２４−１−１）と装着された防水レンズ（２４−１−４）との温度が３５℃ないし４５℃の範囲内に維持され、それによって曇り止めの目的を達成する、請求項８８に記載の可視歯ブラシ。
【請求項９０】
前記カメラ（２４−１−１）の先端は防水レンズ（２４−１−４）を有し、前記防水レンズ（２４−１−４）に曇り止めコーティングが施されている、請求項８７に記載の可視歯ブラシ。
【請求項９１】
前記口腔ビューア（２００）は防水設計を採用する、請求項８８に記載の可視歯ブラシ。
【請求項９２】
着脱可能可視歯間ブラシであって、
前記着脱可能可視歯間ブラシ（９０５）は、組み込み歯間ブラシ（７００）と、口腔ビューア（２００）と、接続機構（３００）とを備え、
Ａ．前記組み込み歯間ブラシ（７００）は、ブラシ本体（７１）と送り込み装置（７２）とを有し、前記ブラシ本体（７１）は前記送り込み装置（７２）の先端のエルボ管（７２−１−１）の内部に可動に配置され、
Ｂ．前記口腔ビューア（２００）は、ハウジング（２１）と、電源システム（２２）と、照明システム（２３）と、可視観察システム（２４）と、回路システム（２５）と、スイッチ（２６）とを有し、前記照明システム（２３）と、前記可視観察システム（２４）と、前記電源システム（２２）とは前記ハウジング（２１）の内部に取り付けられ、前記スイッチ（２６）は前記ハウジング（２１）に取り付けられ、前記照明システム（２３）と、前記可視観察システム（２４）と、前記電源システム（２２）と、前記スイッチ（２６）とは前記回路システム（２５）を介して接続され、
Ｃ．前記組み込み歯間ブラシ（７００）は、前記接続機構（３００）を介して前記口腔ビューア（２００）に着脱可能に取り付けられる、着脱可能可視歯間ブラシ。
【請求項９３】
前記接続機構（３００）は着脱可能な機械式接続機構であり、前記着脱可能な機械式接続機構は、独立の構成であり、または、前記組み込み歯間ブラシ（７００）若しくは口腔ビューア（２００）に配置される構成である、請求項９２に記載の着脱可能可視歯間ブラシ。
【請求項９４】
前記機械的接続機構は、凹凸嵌合接続、スライドスロット接続、ピン接続、キー接続、ねじ込み接続、ねじ接続、バックル接続、フック接続または締り嵌め接続とすることができる、請求項９３に記載の着脱可能可視歯間ブラシ。
【請求項９５】
前記組み込み歯間ブラシ（７００）の前記ブラシ本体（７１）は、作用部（７１−１）と接続体（７２）とを有し、前記作用部（７１−１）は前記接続体（７２）の先端に配置され、前記送り込み装置（７２）は、ガイドヘッド（７２−１）とスライド機構（７２−２）とを有し、前記ガイドヘッド（７２−１）は前記送り込み装置（７２）の先端（７２１）に配置され、前記ガイドヘッド（７２−１）はエルボ管（７２−１−１）を有し、前記エルボ管（７２−１−１）の出口（７２−１−２）が前記ガイドヘッド（７２−１）の端部（７２−１−３）に配置され、前記ブラシ本体（７１）は前記エルボ管（７２−１−１）内に取り付けられ、前記ブラシ本体（７１）の前記作用部（７１−１）は前記エルボ管（７２−１−１）内でスライド可能であり、前記ブラシ本体（７１）の前記接続体（７２）は前記送り込み装置（７２）の前記スライド機構（７２−２）に取り付けられ、前記スライド機構（７２−２）の動きが前記ブラシ本体（７１）の前記作用部（７１−１）を駆動して前記エルボ管（７２−１−１）内でスライドさせ、前記スライド機構（７２−２）の駆動によって前記ブラシ本体（７１）の前記作用部（７１−１）が前記ガイドヘッドの端部において前記エルボ管の前記出口（７２−１−２）から突出することができる、請求項９２に記載の着脱可能可視歯間ブラシ。
【請求項９６】
前記組み込み歯間ブラシ（７００）の前記スライド機構（７２−２）は、歯間ブラシ接続機構（７２−２−１）とスライドブロック（７２−２−２）とを有し、前記歯間ブラシ接続機構（７２−２−１）は前記スライドブロック（７２−２−２）に配置され、前記歯間ブラシの接続体（７２）と前記歯間ブラシ接続機構（７２−２−１）とが接続され、前記スライドブロック（７２−２−２）は前記ブラシ本体（７１）を駆動して前記エルボ管（７２−１−１）内で往復させるように押されることと引かれることとが可能であり、それによって前記歯間ブラシの前記作用部（７１−１）がガイドヘッド（７２−１）の端部で前記エルボ管の出口（７２−１−２）から突出または後退する、請求項９５に記載の着脱可能可視歯間ブラシ。
【請求項９７】
前記接続機構（３００）は前記組み込み歯間ブラシ（７００）の前記ガイドヘッド（７２−１）に配置され、前記接続機構（３００）は位置決めブロック（３４）を有する、請求項９３に記載の着脱可能可視歯間ブラシ。
【請求項９８】
前記口腔ビューア（２００）の前記ハウジング（２１）は、前記組み込み歯間ブラシ（７００）の前記スライドブロック（７２−２−２）が往復運動することを可能にするためのスライドスロット（２１１−１）と、前記接続機構（３００）を固定することができる位置決めスロット（３５）とを有する、請求項９２に記載の着脱可能可視歯間ブラシ。
【請求項９９】
前記組み込み歯間ブラシ（７００）の前記スライド機構（７２−２）の前記スライドブロック（７２−２−２）は、アーチ形ハウジング（７２−２−２１）を有し、前記アーチ形ハウジング（７２−２−２１）の内側に、ガイドブロック（７２−２−２２）を配置され、前記ガイドブロック（７２−２−２２）は前記口腔ビューア（２００）の前記スライドスロット（２１１−１）内で往復することができる、請求項９２に記載の着脱可能可視歯間ブラシ。
【請求項１００】
前記接続機構（３００）の前記位置決めブロック（３４）は、逆Ｔ字形位置決めブロック（３４−１）であり、前記逆Ｔ字形位置決めブロック（３４−１）は、前記接続機構（３００）の下に配置され、前記口腔ビューア（２００）の前記ハウジング（２１）は固定機構（２１１）を有し、前記固定機構（２１１）は、前記位置決めスロット（３５）と、前記スライドスロット（２１１−１）と、締め付けブロック（３６）とを有し、前記Ｔ字形位置決めブロック（３４−１）は、前記位置決めスロット（３５）に着脱可能にはめ込まれ、上方へ跳ねている前記締め付けブロック（３６）は前記接続機構（３００）が後退するのを防止することができ、前記組み込み歯間ブラシ（７００）が誤って前記口腔ビューア（２００）から外されるのを防止することができ、前記接続機構（３００）は、前記締め付けブロック（３６）を押し下げると同時に前記接続機構（３００）を後方に引くことで口腔ビューア（２００）から外されることができる、請求項９９に記載の着脱可能可視歯間ブラシ。
【請求項１０１】
前記接続機構（３００）の前記位置決めブロック（３４）は、円弧状位置決めフック（３２−２）であり、前記円弧状位置決めフック（３２−２）は位置決め溝（３２−２−１）を有し、前記口腔ビューア（２００）内の前記位置決めスロット（３５）は、前記位置決め溝（３２−２−１）と合致される位置決め凸状段（２１１−１−１）を有し、前記円弧状位置決めフック（３２−２）は位置決めスロット（３５）にはめ込まれて凹凸嵌合を形成し、それによって接続機構（３００）の垂直方向の動きを制限し、前記位置決め凸状段（２１１−１−１）が前記位置決め溝（３２−２−１）にはめ込まれ、それによって前記接続機構（３００）の前方および後方への動きを制限する、請求項９９に記載の着脱可能可視歯間ブラシ。
【請求項１０２】
前記接続機構（３００）は前記口腔ビューア（２００）に配置され、前記接続機構（３００）は接続リング（３２−３）であり、前記組み込み歯間ブラシ（７００）は前記接続リング（３２−３）の取り付け孔３２−３−１を通過し、それによって前記組み込み歯間ブラシ（７００）が前記口腔ビューア（２００）に固定される、請求項９３に記載の着脱可能可視歯間ブラシ。
【請求項１０３】
前記接続機構（３００）は囲繞アーム（３２−４）であり、前記組み込み歯間ブラシ（７００）と前記口腔ビューア（２００）とは前記囲繞アーム（３２−４）を介して互いに着脱可能に接続される、請求項９３に記載の着脱可能可視歯間ブラシ。
【請求項１０４】
前記可視観察システム（２４）は、カメラシステム（２４−１）であり、前記カメラシステム（２４−１）は、カメラ（２４−１−１）と、データ処理および出力システム（２４−１−２）と、回路システム（２５）と、電源システム（２２）とを有する、請求項９２に記載の着脱可能可視歯間ブラシ。
【請求項１０５】
前記カメラシステム（２４−１）の前記データ処理および出力システム（２４−１−２）によって出力される映像データを有線接続方法または無線接続方法で表示装置（２４−１−３）に表示することができ、前記表示装置（２４−１−３）は、スマートフォン（２４−１−３２）、コンピュータ（２４−１−３４）、液晶表示装置（２４−１−３３）またはテレビ（２４−１−３４）を有する、請求項１０４に記載の着脱可能可視歯間ブラシ。
【請求項１０６】
前記照明システム（２３）は、前記カメラ（２４−１−１）の周囲に配置されている、
請求項１０４に記載の着脱可能可視歯間ブラシ。
【発明の詳細な説明】
【技術分野】
【０００１】
本発明は、口腔清掃器具に関し、特に、歯間清掃用多機能可視口腔清掃器具に関する。
【背景技術】
【０００２】
加齢、病変およびその他の理由により、歯茎の萎縮および歯間の拡大を生じやすく、それによって食物残渣が生じやすいことがある。食物残渣を適時に清掃することができない場合、一方では口臭が発生し、他方では様々な歯の疾病および口腔疾患、特に歯周炎を引き起こしやすい。さらに、人が魚を食べるときに魚の骨が歯肉に刺さることがあり、適時に取り除く必要がある。
【０００３】
このような状況に応えて、現在、様々な歯ブラシ、デンタルフロス、歯間ブラシおよびその他の製品が、ユーザが選べるように市場で開発されている。歯ブラシ、デンタルフロス、歯間ブラシなどの異なる大きさの製品の様々な構造体が、現在、市場に存在するが、既存の製品は、一般的に、観察しにくい欠点がある。特に、清掃する位置が口腔内の奥側、例えば、第３大臼歯と第２大臼歯との間の隙間、第２大臼歯と第１大臼歯との間の隙間または第１大臼歯と第２小臼歯との間の隙間奥側にあるとき、清掃部分が極めて暗く、一般的には清掃する位置が明瞭に見えず、そのため、ユーザは感覚でしか操作ができず不便であり、清掃する位置が完全に清掃されているか知ることができず、また、歯肉出血またはその他の偶発的損傷を起こしやすいである。
【発明の概要】
【発明が解決しようとする課題】
【０００４】
従来技術のこれらの不都合を克服するために、口腔内部、特に口腔内の奥側を明瞭に観察ことができ、また、口腔清掃を直視状態で行うことができる可視口腔清掃器具を開発する必要がある。
【課題を解決するための手段】
【０００５】
本発明は、可視可視デンタルフロス、および／または可視口腔鉗子、および／または可視口腔洗浄器、および／または可視歯ブラシ、および／または着脱可能可視歯間ブラシを備える、多機能可視口腔清掃器具に関する。デンタルフロス、および／または口腔鉗子、および／または口腔洗浄器、および／または歯ブラシ、および／または歯間ブラシは、接続機構を介して口腔ビューアに接続される。使用する場合、スマートフォンまたはタブレットコンピュータを介して、デンタルフロスと、口腔鉗子と、口腔洗浄器と、歯ブラシまたは歯間ブラシと、歯間の隙間とを明瞭に見ることができ、よって、直視状態で歯間を便利に清掃および処置することができ、また、歯間の清掃効果をリアルタイムで観察および記録することができる。
【０００６】
本発明の可視可視デンタルフロスは、以下の特徴を有する。
【０００７】
可視可視デンタルフロス９０１は、デンタルフロス１００と、口腔ビューア２００と、接続機構３００とを備え、
Ａ．デンタルフロス１００は、フロス１１と、ブラケット１２と、取り付け基部１３とを有し、デンタルフロス１００のフロス１１の両端がそれぞれブラケット１２の左アーム１２−１と右アーム１２−２とに固定され、ブラケット１２は取り付け基部１３に配置され、
Ｂ．口腔ビューア２００は、ハウジング２１と、電源システム２２と、照明システム２３と、可視観察システム２４と、回路システム２５と、スイッチ２６とを有し、照明システム２３と、可視観察システム２４と、回路システム２５と、電源システム２２とはハウジング２１の内部ハウジング２１の内部に取り付けられ、スイッチ２６はハウジング２１に取り付けられ、照明システム２３と、可視観察システム２４と、電源システム２２とスイッチ２６とは、回路システム２５を介して接続され、
Ｃ．デンタルフロス１００は、接続機構３００を介して口腔ビューア２００に取り付けられる。
【０００８】
特に、デンタルフロス１００は、接続機構３００を介して口腔ビューア２００に着脱可能に取り付けられている。
【０００９】
デンタルフロス１００のフロス１１は、口腔ビューア２００の可視観察システム２４の視野内にある。したがって、デンタルフロスと歯間の隙間とを明瞭に見ることができ、それによって使用時に直視状態で歯間を便利に清掃および処置することができるとともに、歯間の清掃効果をリアルタイムで観察および記録することができる。
【００１０】
デンタルフロス１００のフロス１１と口腔ビューア２００のハウジングのヘッド２１−１の中心線との間の内角δは、調整可能である。したがって、異なる部分の歯間の角度に応じて内角βを調整することができ、それによって、デンタルフロスが便利に歯間に入り、歯間を清掃することができる。内角βの調整は、ねじ構造、凹凸嵌合構造、若しくは中度締り嵌め構造などの受動機械構造を採用することにより、またはモータの動力伝達などの能動電気制御方法によって実施可能である。
【００１１】
接続機構３００は着脱可能な機械式接続機構である。接続機構３００は、独立の構成であってよく、デンタルフロス１００に配置されてもよく、または口腔ビューア２００にされてもよい。あるいは、接続機構３００は、デンタルフロス１００に着脱可能な機械式接続機構の一部を配置し、口腔ビューア２００に他の部分を配置することによって形成される組み合わせ型機械式接続機構であってもよい。接続機構３００は、独立の構成であってよく、デンタルフロス１００と口腔ビューア２００とを一体に接続するように、デンタルフロス１００と口腔ビューア２００とにそれぞれ接続される。接続機構３００は、全体がデンタルフロス１００または口腔ビューア２００とともに製造されてよく、その後、口腔ビューア２００またはデンタルフロス１００と接続されて一体に形成してもよい。接続の種類を問わず、最終目標は、デンタルフロス１００と口腔ビューア２００との間の着脱可能接続を実現することである。したがって、接続機構３００がデンタルフロス１００または口腔ビューア２００のうちの一方との着脱可能機械的接続を実現する限り、デンタルフロス１００と口腔ビューア２００との間の着脱可能接続が実現可能である。
【００１２】
機械的接続機構は、凹凸嵌合接続、スライドスロット接続、ピン接続、キー接続、ねじ込み接続、ねじ接続、バックル接続、フック接続または締り嵌め接続などであってよい。当然ながら、当業者は本願の保護範囲から逸脱することなく他の機械的接続方法を選択することができる。
【００１３】
デンタルフロス１００の取り付け基部１３は、貫通孔１３−１を備え、口腔ビューア２００のハウジングのヘッド２１−１が貫通孔１３−１にはめ込まれることができ、デンタルフロス１００と口腔ビューア２００との間に着脱可能接続が形成される。接続時は、口腔ビューア２００のハウジングのヘッド２１−１を貫通孔１３−１にはめ込んで接続を形成することができ、取り外し時には、口腔ビューア２００とデンタルフロス１００とをわずかな力で外側に引っ張ることによって、デンタルフロス１００を口腔ビューア２００から取り外すことができるため、利用プロセスがきわめて好都合である。
【００１４】
デンタルフロス１００の取り付け基部１３は、位置決め溝１３−２を備える。接続機構３００は、位置決めフック３１と位置決めブロック３２とを備える。接続機構３００は、位置決めブロック３２を介して口腔ビューア２００に取り付けられ、接続機構３００上の位置決めフック３１がデンタルフロス１００の位置決め溝１３−２にはめ込まれて凹凸嵌合接続を形成し、デンタルフロス１００と口腔ビューア２００との間に着脱可能接続が形成される。取り外し時、位置決めフック３１を押し下げることによってデンタルフロス１００を口腔ビューア２００から取り外すことができる。位置決めフック３１と位置決め溝１３−２とによって形成される凹凸嵌合接続方法は、位置決めフック３１の効果的な位置決めにより、一般的な貫通孔接続方法よりも確実で信頼性が高い。
【００１５】
デンタルフロス１００の取り付け基部１３は、ねじ山１３−３を備え、接続機構３００はねじ込み接続機構３３であり、ねじ込み接続機構３３はネジ山１３−３と合致され、口腔ビューア２００のハウジングのヘッド２１−１に配置される。デンタルフロス１００を回転させることによって、デンタルフロス１００のねじ山１３−３をねじ込み接続機構３３に取り付けることができ、デンタルフロス１００を逆方向に回転させることによって、デンタルフロス１００のネジ山１３−３をねじ込み接続機構３３から取り外すことができる。このとき、取り付け基部１３のネジ山１３−３をねじ型またはボルト型として設定されてもよく、接続機構３００のねじ込み接続機構３３は対応するナットであり、その逆に、取り付け基部１３のネジ山１３−３がナット型に設定されてもよく、接続機構３００のねじ込み接続機構３３は対応するねじまたはボルトである。
【００１６】
デンタルフロス１００のフロス１３−３を回転させることによって、デンタルフロス１００のフロス１１と口腔ビューア２００のハウジングのヘッド２１−１の中心線との間の内角δを調整することができる。したがって、異なる部分の歯間の角度に応じて内角βを適時に調整することができ、それによって、デンタルフロスが便利に歯間に入ることができ、歯間を清掃することができる。
【００１７】
接続機構３００は、スライドバー３０と、位置決めフック３１と、左位置決めフック３１−１と、右位置決めフック３１−２と、位置決めブロック３２と、滑り止め凸線３４とを有する。位置決めフック３１と、左位置決めフック３１−１と、右位置決めフック３１−２とは、スライドバー３０の先端に配置され、位置決めフック３１は中央に配置され、左位置決めフック３１−１と右位置決めフック３１−２とは、それぞれ両端に配置される。位置決めブロック３２は、スライドバー３０の中央に配置され、滑り止め凸線３４はスライドバー３０の尾端に配置され、位置決めブロック３２は口腔ビューア２００のハウジング２１の位置決めスロット３５内に取り付けられ、口腔ビューア２００のハウジング２１の締め付けブロック３６がスライドバー３０の尾端を押さえ尾端を押え、それによって接続機構３００が口腔ビューア２００のハウジング２１に着脱可能に取り付けられて固定され、、口腔ビューア２００のハウジング２１のヘッド２１−１がデンタルフロス１００の取り付け基部の貫通孔１３−１内にはめ込まれ、接続機構３００の位置決めフック３１が取り付け基部の位置決め溝１３−２内にはめ込まれ、左位置決めフック３１−１と右位置決めフック３１−２とが左側と右側から口腔ビューア２００のハウジング２１のヘッド２１−１を囲む。
【００１８】
取り付け時、接続機構３００の位置決めブロック３２がまず口腔ビューア２００のハウジング２１の位置決めスロット３５にはめ込まれ、接続機構３００のスライドバー３０が、口腔ビューア２００のハウジング２１の締め付けブロック３６がスライドバー３０の尾端に接して持ち上げられるまで前方にスライドされ、このとき、接続機構３００を口腔ビューア２００に取り付けて接続するように、左位置決めフック３１−１と右位置決めフック３１−２とが口腔ビューア２００のハウジング２１のヘッド２１−１を左側と右側から囲む。滑り止め凸線３４の設計は、スライドバー３０が前後にスライドするときに滑るのを実質的に防止することができる。左位置決めフック３１−１と右位置決めフック３１−２の囲み動作と、位置決めブロック３２と位置決めスロット３５との凹凸嵌合とが、接続機構３００を口腔ビューア２００に有効に確実に接続することができる。
【００１９】
次に、口腔ビューア２００のハウジング２１のヘッド２１−１がデンタルフロス１００の取り付け基部の貫通孔１３−１にはめ込まれ、デンタルフロス１００を接続機構３００に向かって押すことによって、接続機構３００の位置決めフック３１を取り付け基部１３の位置決め溝１３−２にはめ込むことができる。
【００２０】
取り外し時、接続機構３００の位置決めフック３１の最上部が押し下げられてデンタルフロス１００を引き出し、それによって接続機構３００とデンタルフロス１００との間の凹凸嵌合を解除することができる。口腔ビューア２００から接続機構３００をさらに取り外す必要があるときは、スライドバー３０が強制的に後方に動かされ、口腔ビューア２００の締め付けブロック３６が押し下げられ、接続機構３００と口腔ビューア２００との接続が完全に解除されるまで接続機構３００の位置決めフック３２が口腔ビューア２００の位置決めスロット３５から引き出される。
【００２１】
接続機構３００の位置決めブロック３２は、逆Ｔ字形構造を採用しているため、Ｔ字形位置決めブロック３２が位置決めスロット３５にはめ込まれると、逆Ｔ字形構造の底部と位置決めスロット３５とが凹凸嵌合構造を形成することができ、それによって接続機構３００の垂直方向の動きを実質的に制限し、使用中に接続機構３００と口腔ビューア２００とが垂直方向に沿って離れるのをさらに防止することができる。一方、口腔ビューア２００の締め付けブロック３６が接続機構３００の後端に配置される。口腔ビューア２００の締め付けブロック３６が持ち上げられると、締め付けブロック３６の最上部が接続機構３００の尾端よりも高いため、接続機構３００の後方への移動を実質的に防止することができ、接続機構３００が故意かつ強制的に後方に移動されたときにのみ、締め付けブロック３６の誘導面に沿って引き出した後で接続機構３００を口腔ビューア２００から外されることができ、それによって、接続機構３００が容易に後方に移動可能であることからデンタルフロス１００が口腔ビューア２００から誤って外されるのを実質的に防止する。
【００２２】
可視観察システム２４は、カメラシステム２４−１であり、カメラシステム２４−１は、カメラ２４−１−１と、データ処理および出力システム２４−１−２と、回路システム２５と、電源システム２２とを有する。
【００２３】
カメラシステム２４−１のデータ処理および出力システム２４−１−２によって出力される映像データを、有線接続方法または無線接続方法で表示装置２４−１−３に表示することができ、表示装置２４−１−３は、スマートフォン２４−１−３１、コンピュータ２４−１−３２、液晶表示装置／テレビ２４−１−３３またはタブレットコンピュータ２４−１−３４を有する。
【００２４】
照明システム６がカメラ２４−１−１の周囲に配置される。
【００２５】
口腔ビューア２００は、防水設計を採用し、密封充電ポート２５−３のための密封装置２１−４を有する。密封装置２１−４は、密封リング２１−４−１と、加圧板２１−４−２と、スライド板２１−４−３とを有する。密封リング２１−４−１はハウジング２１の尾端の密封溝２１−４−０内に取り付けられ、加圧板２１−４−２は密封リング２１-４-１を押圧し、スライド板２１−４−３は、加圧板２１−４−２を着脱可能に圧する。スライド板２１−４−３がハウジング２１の尾端のスライド板位置決めスロット３５−４−４内にスライドすると、スライド板２１−４−３が加圧板２１−４−２を押圧し、加圧板２１−４−２は密封リング２１−４−１を押圧して封止を形成する。そしてスライド板２１−４−３が外側に押されるとスライド板２１−４−３はハウジング２１の尾端のスライド板位置決めスロット３５−４−４−から外され、スライド板２１−４−３が持ち上げられ、加圧板２１−４−２の圧力が解除され、密封充電ポート２５−３を露出させるように加圧板２１−４−２を持ち上げることができ、封止が解除され、口腔ビューア２００が充電される。
【００２６】
口腔ビューア２００は防水設計を採用しているため、口腔ビューア２００が充電を必要としないときは、スライド板２１−４−３がスライド板位置決めスロット３５−４−４内にスライドし、密封リング２１−４−１が封止を形成し、このとき、口腔ビューア２００は良好な防水性を有し、便利に洗浄および清掃することができる。
【００２７】
本発明の可視可視デンタルフロス９０１は、デンタルフロス１００と、口腔ビューア２００と、接続機構３００とを有する。デンタルフロス１００と口腔ビューア２００とは、接続機構３００を介して着脱可能に接続される。接続機構３００は、デンタルフロス１００と口腔ビューア２００とに一体に固定され接続されてよく、着脱可能な機械式接続機構であってもよい。接続機構３００が着脱可能な機械式接続機構である場合、独立の構成であってもよく、デンタルフロス１００または口腔ビューア２００に配置されてもよい。デンタルフロス１００のフロス１１は、口腔ビューア２００の可視観察システム２４の視野内にある。デンタルフロスと歯間の隙間とを明瞭に見ることができ、それによって、使用中に直視状態で歯間を便利に清掃および処置することができ、歯間の清掃効果をリアルタイムで観察することができる。
【００２８】
本発明の可視口腔鉗子は以下の特徴を有する。
【００２９】
可視口腔鉗子は、可視口腔鉗子９０２が口腔鉗子４００と、口腔ビューア２００と、接続機構３００とを備え、
Ａ．口腔鉗子４００は、顎部４１と、開閉機構４２と、取り付け基部４３とを有し、口腔鉗子４００の顎部４１は、左アーム４１−１と右アーム４１−２とを有し、左アーム４１−１と右アーム４１−２との間に挟合締付構造が形成され、顎部４１の開閉運動を制御可能な開閉機構４２は取り付け基部４３に配置され、
Ｂ．口腔ビューア２００は、ハウジング２１と、電源システム２２と、照明システム２３と、可視観察システム２４と、回路システム２５と、スイッチ２６とを有し、照明システム２３と、可視観察システム２４と、回路システム２５と、電源システム２２とはハウジング２１の内部ハウジング２１の内部に取り付けられ、スイッチ２６はハウジング２１に取り付けられ、照明システム２３と、可視観察システム２４と、電源システム２２と、スイッチ２６とは、回路システム２５を介して接続され、
Ｃ．口腔鉗子４００は、接続機構３００を介して口腔ビューア２００に取り付けられることを特徴とする。
【００３０】
また、顎部４１は、口腔ビューア２００の可視観察システム２４の視野内にあり、それによって可視を容易にする。
【００３１】
口腔鉗子４００の顎部４１は、互いに噛み合う咬合歯４１−３を備え、それによって咬合力を強化する。
【００３２】
口腔鉗子４００の顎部４１は、人間の口腔の要件に合う湾曲部４１−４を有し、それによって異物の捕捉を容易にする。
【００３３】
口腔鉗子４００の開閉機構４２は、スリーブスライドバー開閉機構、ヒンジ式開閉機構、レバー制御開閉機構、ボタン制御開閉機構、ばね制御開閉機構、プッシュプル制御開閉機構または回転制御開閉機構などを有する。当業者は、本特許の保護範囲から逸脱することなく、本発明で開示されている技術的解決策に従って様々な特定の製品設計を行うことができる。
【００３４】
口腔鉗子４００の取り付け基部４３は、口腔ビューア２００に接続するために使用される位置決めブロック３２を備える。
【００３５】
接続機構３００は着脱可能な機械式接続機構である。接続機構３００は独立の構成であってもよく、口腔鉗子４００に配置されてもよく、または口腔ビューア２００に配置されてもよい。あるいは、接続機構３００は、着脱可能な機械式接続機構の一部を口腔鉗子４００に配置し、他の部分を口腔ビューア２００に配置することによって形成される組み合わせ型機械式接続機構であってもよい。
【００３６】
機械的接続機構は、凹凸嵌合接続、スライドスロット接続、ピン接続、キー接続、ねじ込み接続、ねじ接続、バックル接続、ック接続、締り嵌め接続または任意のその他の接続機構を有する。当業者は、本特許の保護範囲から逸脱することなく、本発明で開示されている技術的解決策に従って様々な特定の製品設計を行うことができる。
【００３７】
口腔ビューア２００のハウジング２１は、位置決めスロット３５と締め付けブロック３６とを備える。口腔鉗子４００の位置決めブロック３２は位置決めスロット３５にはめ込まれることができ、締め付けブロック３６は口腔鉗子４００の取り付け基部４３が後方にスライドするのを防止することができ、位置決めブロック３２と位置決めスロット３５と締め付けブロック３６との連係が接続機構３００を構成する。
【００３８】
可視観察システム２４はカメラシステム２４−１であり、カメラシステム２４−１は、カメラ２４−１−１と、データ処理および出力システム２４−１−２と、回路システム２５と、電源システム２２とを有する。
【００３９】
カメラシステム２４−１のデータ処理および出力システム２４−１−２によって出力される映像データを、有線接続方法または無線接続方法で表示装置２４−１−３に表示することができ、表示装置２４−１−３は、スマートフォン２４−１−３１、コンピュータ２４−１−３２、液晶表示装置２４−１−３３、テレビ２４−１−３４または任意のその他の表示装置を有する。
【００４０】
照明システム２３はカメラ２４−１−１の周囲に配置される。照明の向上のため、照明輝度を調整するために追加のＬＥＤライトを口腔ビューア２００のハウジング２１に配置してもよい。
【００４１】
口腔ビューア２００は防水設計を採用し、それによって清掃と操作を容易にする。
【００４２】
また、口腔鉗子４００の顎部４１は弾性材料からなり、外力が加えられていないときに顎部４１は開いたままである。顎部４１の後端は取り付け基部４３に固定され、接続機構３００を介して口腔ビューア２００に着脱可能に接続される。顎部４１の先端は、開閉機構４２のスリーブ４２−２の孔４２−２−１を通過する。開閉機構４２のプッシュロッド４２−１を前方に押すことによって、スリーブ４２−２が顎部４１の先端に向かって動いて、顎部４１の左アーム４１−１と右アーム４１−２とが挟み合うまで顎部４１を閉じ、開閉機構４２のプッシュロッド４２−１を後方に押すことによって、スリーブ４２−２が顎部４１の後端に向かって動き、顎部４１の弾性力の作用により顎部４１の左アーム４１−１と右アーム４１−２とが開かれる。弾性材料は、ポリウレタン材料（ＰＵ）、ポリプロピレン材料（ＰＰ）、弾性ステンレススチール、形状記憶金属などの、弾性ポリマー材料、弾性金属材料、金属−プラスチック複合弾性材料などを有するがこれらには限定されない医用弾性材料からなる。
【００４３】
口腔鉗子４００の顎部４１は、ヒンジ構造を採用し、ピン４１−５を備える。顎部４１の左アーム４１−１と右アーム４１−２とが、ピン４１−５を介してスリーブ４２−２上に可動式に取り付けられ、スリーブ４２−２は取り付け基部４３に配置され、接続機構３００を介して口腔ビューア２００に着脱可能に接続される。顎部４１の後端は開閉機構４２のプッシュロッド４２−１に接続され、プッシュロッド４２−１が後方に引かれると、顎部４１の左アーム４１−１と右アーム４１−２とがピン４１−５を中心として回転し、顎部４１の左アーム４１−１と右アーム４１−２とが挟み合うまで閉じられ、プッシュロッド４２−１が前方に押されると、顎部４１の左アーム４１−１と右アーム４１−２とがピン４１−５を中心にして回転し、顎部４１の左アーム４１−１と右アーム４１−２とが開かれる。
【００４４】
さらに、当業者は、本発明で開示されている技術的解決策に従って様々な特定の製品設計を行うことができ、特に、本特許の保護範囲から逸脱することなく口腔鉗子４００の形状および構造について多くの特定の設計を行うことができる。
【００４５】
本発明の可視口腔鉗子９０２は、口腔鉗子４００と、口腔ビューア２００と、接続機構３００とを有する。口腔鉗子４００は、顎部４１と、開閉機構４２と、取り付け基部４３とを有し、口腔鉗子４００の顎部４１は、左アーム４１−１と右アーム４１−２とを有し、左アーム４１−１と右アーム４１−２との間に挟合締付構造が形成される。顎部４１の開閉運動を制御可能な開閉機構４２は、取り付け基部４３に配置される。口腔鉗子４００と口腔ビューア２００とは、接続機構３００を介して互いに着脱可能に接続される。口腔ビューア２００は照明システム２３と可視観察システム２４とを有し、有線方法または無線方法で可視映像をスマートフォンまたは任意のその他の表示装置に送信するため、本発明の可視口腔鉗子９０２を使用して、食物残渣、魚の骨またはその他の異物を口腔から直視状態で安全かつ便利に取り出すことができ、ユーザは取り出しプロセスと取り出し後の効果とを可視することができ、画像または映像の記録を行うことができる。
【００４６】
本発明の可視口腔洗浄器は、可視口腔洗浄器９０３が口腔洗浄器５００と、口腔ビューア２００と、接続機構３００とを備え、
Ａ．口腔洗浄器５００は、スプレーヘッド５１と、スプレーガン５２と、制御スイッチ５３と、圧力容器５４と、接続管５５と、継手５６とを有し、スプレーヘッド５１はスプレーガン５２の先端に配置され、制御スイッチ５３はスプレーガン５２内の流体の噴射を制御することができ、圧力容器５４内の流体は接続管５５と継手５６とを介してスプレーガン５２に接続され、
Ｂ．口腔ビューア２００は、ハウジング２１と、電源システム２２と、照明システム２３と、可視観察システム２４と、回路システム２５と、スイッチ２６とを有し、照明システム２３と、可視観察システム２４と、回路システム２５と、電源システム２２とはハウジング２１の内部ハウジング２１の内部に取り付けられ、スイッチ２６はハウジング２１に取り付けられ、照明システム２３と、可視観察システム２４と、電源システム２２と、スイッチ２６とは回路システム２５を介して接続され、
Ｃ．口腔洗浄器５００は接続機構３００を介して口腔ビューア２００に取り付けられることを特徴とする。
【００４７】
制御スイッチ５３は、スプレーガン５２または口腔ビューア２００に配置されてもよい。制御スイッチ５３がスプレーガン５２内の流体の噴射を制御することができる限り、制御スイッチ５３は本特許出願の保護範囲から逸脱しない。
【００４８】
スプレーヘッド５１によって噴射される流体は、口腔ビューア２００の可視観察システム２４の視野内にある。したがって、使用中、清掃される個所の清掃効果をリアルタイムで観察することができ、使用プロセスがより好都合である。
【００４９】
口腔洗浄器５００のスプレーヘッド５１は、噴射される流体の形状および速度を調整することができる調整弁５１−１を備える。
【００５０】
口腔洗浄器５００のスプレーヘッド５１は、人間の口腔の要件に合う湾曲部５１−２を有する。特に、歯の外側に沿った後側の臼歯を清掃する必要があるときは、この湾曲部５１−２によりスプレーヘッド５１が臼歯位置に円滑に達することができるようにすることが可能であり、したがって使用プロセスがより快適である。
【００５１】
口腔洗浄器５００の制御スイッチ５３は、スリーブスライドバー開閉機構、ボタン制御開閉機構、回転制御開閉機構またはソレノイド式スイッチを有する。当然ながら、当業者は、本特許の保護範囲から逸脱することなく、本発明で開示されている技術的解決策に従ってその他の設計も行うことができる。
【００５２】
口腔洗浄器５００のスプレーガン５２は、流体を通過させるための流路５２−１と、ハウジング５２−２と、取り付け基部５２−３とを有し、流路５２−１はハウジング５２−２の内部に配置され、取り付け基部５２−３はハウジング５２−２に配置され、取り付け基部５２−３は、口腔ビューア２００と接続可能な位置決めブロック３２を有する。
【００５３】
接続機構３００は、着脱可能な機械式接続機構である。接続機構３００は、独立の構成であってもよく、口腔洗浄器５００に配置されてよく、または口腔ビューア２００に配置されてもよい。あるいは、接続機構３００は、着脱可能な機械式接続機構の一部を口腔洗浄器５００に配置し、他の部分を口腔ビューア２００に配置することによって形成される組み合わせ型機械式接続機構であってもよい。
【００５４】
機械的接続機構は、凹凸嵌合接続、スライドスロット接続、ピン接続、キー接続、ねじ込み接続、ねじ接続、バックル接続、フック接続または締り嵌め接続を有する。当業者は本特許の保護範囲から逸脱することなく、本発明で開示されている技術的解決策に従って様々な特定の製品設計を行うことができる。
【００５５】
口腔ビューア２００のハウジング２１は、位置決めスロット３５と、スプレーガン５２に接続可能な締め付けブロック３６とを備え、スプレーガン５２の位置決めブロック３２は位置決めスロット３５にはめ込まれることができ、締め付けブロック３６はスプレーガン５２の取り付け基部５２−３が後方にスライドするのを防止することができ、位置決めブロック３２と、位置決めスロット３５と、締め付けブロック３６との連係が接続機構３００を構成する。
【００５６】
可視観察システム２４はカメラシステム２４−１であり、カメラシステム２４−１は、カメラ２４−１−１と、データ処理および出力システム２４−１−２と、回路システム２５と、電源システム２２とを有する。
【００５７】
カメラシステム２４−１のデータ処理および出力システム２４−１−２によって出力される映像データを有線接続方法または無線接続方法で表示装置２４−１−３に表示することができ、表示装置２４−１−３は、スマートフォン２４−１−３１、コンピュータ２４−１−３２、液晶表示装置２４−１−３３またはテレビ２４−１−３４を有する。
【００５８】
照明システム２３は、カメラ２４−１−１の周囲に配置される。照明を向上させるため、照明輝度を調整するために追加のＬＥＤライトを口腔ビューア２００のハウジング２１に配置してもよい。
【００５９】
口腔ビューア２００は防水設計を採用し、それによって清掃と操作を容易にする。
【００６０】
口腔洗浄器５００の圧力容器５４は、加圧器５４−１と、ハウジング５４−２と、流体収容空間５４−３とを有し、流体圧力を増大させることができる加圧器５４−１はハウジング５４−２に取り付けられる。
【００６１】
さらに、口腔洗浄器５００の圧力容器５４は、注水口５４−４も備えてよく、注水口５４−４は圧力容器５４のハウジング５４−２に配置され、接続ポート５４−４１と密封キャップ５４−４２とを有し、接続ポート５４−４１の遠端は圧力容器５４の流体収容空間５４−３と連通し、密封キャップ５４−４２は、接続ポート５４−４１に着脱可能に取り付けられる。注水口５４−４を加えることによって、圧力容器５４内の水が使い果たされた後で、歯のすすぎを行うために圧力容器５４に水を便利に補充することができる。
【００６２】
口腔洗浄器５００の圧力容器５４は、口腔ビューア２００の近端に取り付けることができる。圧力容器５４は、口腔ビューア２００の近端に着脱可能に取り付けられ、それによって取り付けが容易になる。使用後、圧力容器５４を口腔ビューア２００の近端から取り外すことができ、それによって保管および携帯が容易になる。
【００６３】
加圧器５４−１は、機械式加圧器または電動加圧器である。
【００６４】
また、加圧器５４−１は手動式加圧器５４１であり、手動式加圧器５４１は、前部逆止弁５４１−１と、後部逆止弁５４１−２と、弁筒５４１−３と、ピストン５４１−４と、プッシュロッド５４１−５と、コアロッド５４１−６とを有する。前部逆止弁５４１−１と、後部逆止弁５４１−２と、ピストン５４１−４と、コアロッド５４１−６とは弁筒５１４−３内に取り付けられる。プッシュロッド５４１−５の先端はピストン５４１−４を備え、前部逆止弁５４１−１はコアロッド５４１−６の遠端に配置され、後部逆止弁５４１−２はコアロッド５４１−６の近端に配置される。プッシュロッド５４１−５は、弁筒５４１−３内を往復するようにピストン５４１−４を押すことができる。プッシュロッド５４１−５が外側に引かれると、前部逆止弁５４１−１が閉じ状態になり、圧力容器５４の流体収容空間５４−３内の流体が弁筒５４１−３内に流入することができず、後部逆止弁５４１−２が開き状態になり、外部の流体が弁筒５４１−３内に流入することができ、プッシュロッド５４１−５が内側に押されると、後部逆止め弁５４１−２が閉じ状態になり、弁筒５４１−３内の流体が圧縮され、弁筒５４１−３内の圧力が増大し、圧力の作用により前部逆止弁５４１−１が開き状態になり、弁筒５４１−３内の圧縮された流体が前部逆止弁５４１−１を通って流体収容空間５４−３に流入し、このように繰り返すことによって圧力容器５４の流体収容空間５４−３内の圧力を連続的に上昇させることができる。
【００６５】
前部逆止弁５４１−１は、前部伸縮ばね５４１−１−１と、前部逆止ブロック５４１−１−２と、前部密封リング５４１−１−３とを有し、前部伸縮ばね５４１−１−１は、前部逆止ブロック５４１−１−２の遠端を押さえ、前部密封リング５４１−１−３は、前部逆止ブロック５４１−１−２の近端に配置される。後部逆止弁５４１−２は、後部伸縮ばね５４１−２−１と、後部逆止ブロック５４１−２−２と、後部密封リング５４１−２−３とを有し、後部伸縮ばね５４１−２−１は、後部逆止ブロック５４１−２−２の遠端を押さえ、後部密封リング５４１−２−３は後部逆止ブロック５４１−２−２の近端に配置され、後部逆止ブロック５４１−２−２は、流体を通過させることができる貫通孔５４１−２−２１を備える。
【００６６】
さらに、当業者は本発明で開示されている技術的解決策に従って様々な特定の製品設計を行うことができ、特に、本特許の保護範囲から逸脱することなく、口腔洗浄器５００の形状および構造に関して多くの特定の設計を行うことができる。
【００６７】
加圧器５４−１は、電動加圧器５４２である。電動加圧器５４２は、電源をオンにするだけで自動圧力上昇を実施することができ、圧力を安定に保つことができ、したがって使用プロセスがより好都合である。加圧器５４−１が電動加圧器５４２である場合、電源システム２２は、電動加圧器５４２をより良好に駆動して動作させるように電源システム２２の電圧を上昇させるために、昇圧装置２２−１を備えてもよい。
【００６８】
電動加圧器５４２は、電動空圧器５４２−１または電動水圧器５４２−２である。
【００６９】
電動空圧器５４２−１は、電動エアコンプレッサ５４２−５１である。
【００７０】
電動エアコンプレッサ５４２−５１は、空気吸入口５４２−５１−１と、空気注入管５４２−５１−２と、コンプレッサ５４２−５１−３とを有する。
【００７１】
電動エアコンプレッサ５４２−５１の空気注入管５４２−５１−２の空気注入口５４２−５１−２１が、加圧される水面の上方に配置され、スイッチ２６がオンにされ、電動エアコンプレッサ５４２−５１が圧力容器５４を膨らませるように動作し、それによって流体収容空間５４−３内の水圧を上昇させる。制御スイッチ５３がオンにされると、加圧された水が接続管５５を通ってスプレーガン５２に流入し、スプレーヘッド５１から噴射されて歯を清掃する。
【００７２】
電動水圧器５４２−２は、水中ポンプ５４２−２１または送水ポンプ５４２−２２である。
【００７３】
電動水圧器５４２−２は水中ポンプ５４２−２１であり、水中ポンプ５４２−２１は、注水システム５４２−２１−１と、加押圧しステム５４２−２１−２と、吐水システム５４２−２１−３とを有する。水中ポンプ５４２−２１は、ハウジング５２の下部に取り付けられ、吐水システム５４２−２１−３は接続管５５に接続され、電源システム２２が水中ポンプ５４２−２１に給電した後、加押圧しステム５４２−２１−２が、注水システム５４２−２１−１を介して水中ポンプ５４２−２１に流入する流体を加圧するように動作し、加圧された流体は排水システム５４２−２１−３によって接続管５５を通って吐出されて歯を洗浄する。
【００７４】
水中ポンプ５４２−２１は、圧力容器５４の下部に配置され、吐水システム５４２−２１−３の吐水口５４２−２１−３１が接続管５５に接続される。動作時、水面が注水システム５４２−２１−１の注水口５４２―２１−５１を超え、電源システム２２が加押圧しステム５４２−２１−２を駆動して動作させ、注水システム５４２−２１−１の注水口５４２−２１−５１から水が加押圧しステム５４２−２１−２に流入する。加押圧しステム５４２−２１−２が水を加押圧した後、水は吐水システム５４２−２１−３の吐水口５４２−２１−３１から吐出された後で接続管５５に流入する。そして、制御スイッチ５３がオンにされると、接続管５５内の加圧された水がスプレーガン５２に流入し、スプレーヘッド５１から噴射されて歯を洗浄する。
【００７５】
電動水圧器５４２−２は送水ポンプ５４２−２２であり、送水ポンプ５４２−２２は、ポンプシステム５４２−２１−１と、真空吸引システム５４２−２２−２と、吐水システム５４２−２２−３とを有する。吐水システム５４２−２２−３は接続管５５に接続され、電源システム２２が送水ポンプ５４２−２２に給電した後、真空吸引システム５４２−２２−２が動作してポンプシステム５４２−２２−１を介して流体収容空間５４−３内の流体を送水ポンプ５４２−２２に吸引し、加圧された流体が吐水システム５４２−２２−３によって接続管５５を介して吐出されて歯を洗浄する。
【００７６】
送水ポンプ５４２−２２のポンプシステム５４２−２２−１のポンプポート５４２−２２−５１が、流体収容空間５３の底部に配置される。電源システム２２が送水ポンプ５４２−２２を駆動して動作させると、ポンプポート５４２−２２−５１から真空吸引システム５４３２−２２−２に水が流入し、吐水システム５４２−２２−３の吐水口５４２−２２−３１から接続管５５内に吐出される。そして、制御スイッチ５３がオンにされると、加圧された水が接続管５５を通ってスプレーガン５２に流入し、スプレーヘッド５１から噴射されて歯を清掃する。
【００７７】
組立て時、まず、スプレーガン５２が口腔ビューア２００の前部に取り付けられ、次に、圧力容器５４内に水が加えられ、圧力容器５４が口腔ビューア２００の近端に取り付けられ、圧力容器５４とスプレーガン５２とが継手５６を介して接続管５５によって接続され、これによって口腔ビューア２００への口腔洗浄器５００の取り付け作業が完了する。
【００７８】
使用前に、加圧器５４−１によって水圧が上げられる。口腔ビューア２００の可視観察システム２４により、携帯電話などの表示装置で歯または歯間を明瞭に見ることができ、食物残渣に照準を合わせることができる。制御スイッチ５３がオンにされ、スプレーガン５２のスプレーヘッド５１から水が噴射され、直視状態で歯と口腔とを清掃する。
【００７９】
スプレーヘッド５１とスプレーガン５２とは、口腔ビューア２００のハウジング２１の内部ハウジング２１の内部に組み付けられる。スプレーヘッド５１とスプレーガン５２とは口腔ビューア２００のハウジング２１の内部ハウジング２１の内部に組み付けられ、したがって、より多くの空間を節約することができ、口腔ビューア２００の先端に別の清掃装置を同時に便利に組み合わせて取り付けることができ、一方、複数の清掃機能が備えられ、ユーザは必要に応じて異なる機能の組み合わせを選択することができ、したがって使用プロセスがより便利になる。
【００８０】
スプレーヘッド５１は、可視観察システム２４の近傍に配置され、スプレーヘッド５１によって噴射される流体は可視観察システム２４の視野内にある。
【００８１】
口腔ビューア２００の先端は、接続機構３００を介して他の口腔清掃装置を備えてもよく、口腔清掃装置は歯間ブラシ７００、デンタルフロス１００、歯ブラシ６００または口腔鉗子４００などであってよい。
【００８２】
可視口腔洗浄器９０３の先端９０３−１が、着脱可能接続機構９０３−３を介して可視口腔洗浄器９０３の本体９０３−２に接続されるか、または可視口腔洗浄器９０３の先端９０３−１が折り畳み式接続機構９０３−４を介して可視口腔洗浄器９０３の本体９０３−２に接続される。
【００８３】
携帯時、部品が占める空間をいかに削減し、保管を容易にするかは、人々が非常に気にする点である。本発明の可視口腔洗浄器は、携帯と保管がしやすいように着脱可能構造および折り畳み式構造を有するように設計されている。可視口腔洗浄器９０３の着脱可能性または折り畳み可能性を実現するために、その口腔ビューア２００は着脱可能構造または折り畳み式構造として別個に設計されてよく、可視口腔洗浄器９０３における口腔洗浄器５００もインクワイアリ構造または折り畳み式構造として別個に設計されてよく、または口腔ビューア２００と口腔洗浄器５００の両方が着脱可能構造または折り畳み式構造として設計されてもよい。口腔ビューア２００および口腔洗浄器５００の着脱可能機構または折り畳み式機構のために、当業者は本特許出願の保護範囲から逸脱することなく要件に応じて異なる組み合わせを設計することができる。
【００８４】
可視口腔洗浄器９０３の口腔ビューア２００の先端２００−１が、着脱可能接続機構９０３−３を介して口腔ビューア２００の本体２００−２に接続されるか、または口腔ビューア２００の先端２００−１が、折り畳み式接続機構９０３−４を介して口腔ビューア２００の本体２００−２に接続される。
【００８５】
可視口腔洗浄器９０３の口腔洗浄器５００の先端５００−１が、着脱可能接続機構９０３−３を介して口腔洗浄器５００の本体５００−２に接続されるか、または口腔洗浄器５００の先端５００−１が、折り畳み式接続機構９０３−４を介して口腔洗浄器５００の本体５００−２に接続される。
【００８６】
着脱可能接続機構９０３−３は、接続固定機構９０３−３−１を有する。接続固定機構９０３−３−１は、口腔ビューア２００の先端２００−１を口腔ビューア２００の本体２００−２に接続してよく、口腔洗浄器５００の先端５００−１を口腔洗浄器５００の本体５００−２に接続してもよい。
【００８７】
接続固定機構９０３−３−１は、凹凸嵌合型接続固定機構、回回転型接続固定機構、または磁気接続固定機構である。ここでは、本出願人は上記の３種類の接続および固定機構のみを挙げるが、当業者は、本願の保護範囲から逸脱することなく、関連する周知の知識と併せて他の異なる接続および固定機構も設計することができる。
【００８８】
折り畳み式接続機構９０３−４は、回転軸運動機構または凹凸嵌合機構である。ここでは、本出願人は上記の２種類の折り畳み式接続および固定機構のみを挙げるが、当業者は本願の保護範囲から逸脱することなく、関連する周知の知識と併せて他の異なる折り畳み式接続および固定機構も設計することができる。
【００８９】
また、折り畳み式接続機構９０３−４は、回転軸接続機構であり、折り畳み式接続機構９０３−４は回転軸９０３−４−１と回転軸孔９０３−４−２とを有し、回転軸９０３−４−１は回転軸孔９０３−４−２内で動くことができる。
【００９０】
また、口腔ビューア２００の先端２００−１は、着脱可能接続機構９０３−３を介して口腔ビューア２００の本体２００−２に接続される。着脱可能接続機構９０３−３は、電気継手９０３−３−２をさらに有する。接続固定機構９０３−３−１は、口腔ビューア２００の先端２００−１を本体２００−２に接続し、固定することができ、電気継手９０３−３−２は口腔ビューア２００の先端２００−１の回路２５−１を本体２００−２の回路２５−２に接続することができる。
【００９１】
電気継手９０３−３−２の接続強度が十分であれば、接続固定機構９０３−３−１と電気継手９０３−３−２とは一体に製造されてもよく、口腔ビューア２００の接続強度を強化するために、接続固定機構９０３−３−１と電気継手９０３−３−２とが別々に製造されてもよい。
【００９２】
保管時、接続固定機構９０３−３−１と電気継手９０３−３−２とが分離され、先端２００−１と本体２００−２とを別々に保管することができるように口腔ビューア２００の先端２００−１が口腔ビューア２００の本体２００−２から取り外され、それによって保管空間が節約されるとともに携帯するのに便利である。使用時は、口腔ビューア２００を接続するために固定機構９０３−３−１と電気継手９０３−３−２とを再度差し込むだけでよい。
【００９３】
口腔ビューア２００の先端２００−１は、折り畳み式接続機構９０４−４を介して口腔ビューア２００の本体２００−２に接続される。口腔ビューア２００の先端２００−１が折り畳み式接続機構９０３−４の回転軸９０３−４−１を中心に回転すると、口腔ビューア２００の先端２００−１が口腔ビューア２００の本体２００−２に対して展開または折り畳まれることができる。口腔ビューア２００の先端２００−１の回路２５−１は、折り曲げ可能な可撓性回路を介して口腔ビューア２００の本体２００−２の回路２５−２に接続される。
【００９４】
口腔ビューア２００の先端２００−１の回路２５−１と口腔ビューア２００の本体２００−２の回路２５−２とが、折り曲げ可能な可撓性回路を介して接続され、使用後、口腔ビューア２００の先端２００−１を回転軸９０３−４−１を中心にして回転させることによって、口腔ビューア２００の先端２００−１を口腔ビューア２００の本体２００−２に対して折り畳むことができ、それによって保管と携帯が容易になる。使用時は、口腔ビューア２００を展開するように口腔ビューア２００の先端２００−１を回転軸９０３−４−１を中心に逆方向に回転するだけでよい。
【００９５】
口腔ビューア２００の先端２００−１が折り畳み式接続機構９０４−４を介して口腔ビューア２００の本体２００−２に接続される。口腔ビューア２００の先端２００−１の回路２５−１が、折り曲げ可能な可撓性回路を介して口腔ビューア２００の本体２００−２の
回路に接続され、口腔ビューア２００の先端２００−１が口腔ビューア２００の本体２００−２に対して凹凸嵌合機構を介して展開または折り畳まれることができる。
【００９６】
口腔洗浄器５００の先端５００−１が、着脱可能接続機構９０３−３を介して口腔洗浄器５００の本体５００−２に接続される。着脱可能接続機構９０３−３は、水継手９０３−３−３をさらに有する。接続固定機構９０３−３−１は、口腔洗浄器５００の先端５００−１を本体５００−２に接続し、固定することができ、水継手９０３−３−３は、口腔洗浄器５００の先端５００−１の水路を本体５００−２の水路に接続することができる。
【００９７】
口腔洗浄器５００は、口腔洗浄器５００の先端５００−１が口腔洗浄器５００の後端５００−２に着脱可能に接続されるように設計されてもよい。水継手９０３−３−３の接続強度が十分であれば、接続固定機構９０３−３−１と水継手９０３−３−３とが一体に製造されてもよく、口腔洗浄器５００の接続強度をさらに強化するために、接続固定機構９０３−３−１と水継手９０３−３−３とが別々に製造されてもよい。
【００９８】
保管時、接続固定機構９０３−３−１と水継手９０３−３−３とが分離され、先端５００−１と本体５００−２とを別々に保管することができるように口腔洗浄器５００の先端５００−１が口腔洗浄器５００の本体５００−２から取り外され、それによって保管空間を節約し、携帯が便利になる。使用時は、口腔洗浄器５００を接続してから歯を洗浄するために、固定機構９０３−３−１と水継手９０３−３−３とを再度差し込むだけでよい。
【００９９】
口腔洗浄器５００の先端５００−１が、折り畳み式接続機構９０４−４を介して口腔洗浄器５００の本体５００−２に接続される。口腔洗浄器５００の先端５００−１が折り畳み式接続機構９０３−４の回転軸９０３−４−１を中心に回転すると、口腔洗浄器５００の本体５００−２に対して口腔洗浄器５００の先端５００−１が展開または折り畳まれることができ、口腔洗浄器５００の先端５００−１の水路が折り曲げ可能な可撓性水路を介して口腔洗浄器５００の本体５００−２の水路に接続される。
【０１００】
口腔洗浄器５００の先端５００−１と本体５００−２とは、折り曲げ可能な可撓性水路によって接続される。したがって、保管時には、口腔洗浄器５００を回転軸９０３−４−１を中心に回転させるだけでよく、口腔洗浄器５００を折り畳むことができ、それによって保管および携帯が容易になる。使用時には、口腔洗浄器５００を回転軸９０３−４−１を中心に逆方向に回転させるだけでよく、口腔洗浄器５００を展開することができる。このとき、口腔洗浄器５００を使用して歯を洗浄することができる。
【０１０１】
口腔洗浄器５００の先端５００−１が折り畳み式接続機構９０３−４を介して口腔洗浄器５００の本体５００−２に接続されるか、または口腔洗浄器５００の先端５００−１の水路が折り曲げ可能な可撓性水路を介して口腔洗浄器５００の本体５００−２の水路に接続され、口腔洗浄器５００の先端５００−１が凹凸嵌合機構を介して口腔洗浄器５００の本体５００−２に対して展開または折り畳まれることができる。
【０１０２】
また、口腔洗浄器５００の先端５００−１と口腔洗浄器５００の本体５００−２と、口腔ビューア２００の先端２００−１と口腔ビューア２００の本体２００−２とが、着脱可能接続機構９０３−３を介して、または折り畳み式接続機構９０３−４を介して、共に同時に接続される。
【０１０３】
上記は、本出願人により列記された口腔ビューア２００と口腔洗浄器５００とがそれぞれ着脱可能または折り畳み式に接続される場合であり、保管および使用をさらに容易にするために、口腔ビューア２００と口腔洗浄器５００とが、着脱可能接続機構９０３−３または折り畳み式接続機構９０３−４によって共に同時に接続されてもよい。
【０１０４】
着脱可能接続機構９０３−３は、接続固定機構９０３−３−１と、電気継手９０３−３−２と、水継手９０３−３−３とを有する。接続固定機構９０３−３−１は、口腔洗浄器５００の先端５００−１および口腔ビューア２００の先端２００−１を、口腔洗浄器５００の本体５００−２および口腔ビューア２００の本体２００−２に同時にそれぞれ接続し、固定することができる。電気継手９０３−３−２は口腔ビューア２００の先端２００−１の回路２５−１を本体２００−２の回路２５−２に接続することができる。水継手９０３−３−３は、口腔洗浄器５００の先端５００−１の水路を本体５００−２の水路に接続することができる。
【０１０５】
口腔ビューア２００と口腔洗浄器５００とが同時に回転して着脱可能接続機構９０３−３を介して接続を行う場合、製造コストを抑えるために、接続強度を確保することを条件として接続固定機構９０３−３−１と電気継手９０３−３−２または水継手９０３−３−３とを一体に設計してもよい。当然ながら、接続強度をさらに強化するために、接続固定機構９０３−３−１が別個に配置されてもよい。
【０１０６】
保管時、接続固定機構９０３−３−１と、電気継手９０３−３−２と、水継手９０３−３−３とが同時に取り外され、次に、可視口腔洗浄器９０３の先端９０３−１がその本体９０３−２から分離され、その後、可視口腔洗浄器９０３の先端９０３−１と本体９０３−２とを別々に保管することができる。使用する必要があるときは、接続固定機構９０３−３−１と、電気継手９０３−３−２と、水継手９０３−３−３とを再接続すればよい。
【０１０７】
折り畳み式接続機構９０３−４は、回転軸接続機構であり、折り畳み式接続機構９０３−４は回転軸９０３−４−１と回転軸孔９０３−４−２とを有し、回転軸９０３−４−１は回転軸孔９０３−４−２内で動くことができる。口腔ビューア２００の先端２００−１が折り畳み式接続機構９０３−４の回転軸９０３−４−１を中心に回転すると、口腔ビューア２００の先端２００−１が口腔ビューア２００の本体２００−２に対して展開または折り畳まれることができる。口腔ビューア２００の先端２００−１の回路２５−１が、折り曲げ可能な可撓性回路を介して口腔ビューア２００の本体２００−２の回路２５−２に接続される。口腔洗浄器５００の先端５００−１が折り畳み式接続機構９０３−４の回転軸９０３−４−１を中心に回転すると、口腔洗浄器５００の先端５００−１が口腔洗浄器５００の本体５００−２に対して展開または折り畳まれることができ、口腔洗浄器５００の先端５００−１の水路が折り曲げ可能な可撓性水路を介して口腔洗浄器５００の本体５００−２の水路に接続される。
【０１０８】
折り畳み式接続機構９０３−４は凹凸嵌合接続機構である。口腔ビューア２００の先端２００−１の回路２５−１が、折り曲げ可能な可撓性回路を介して口腔ビューア２００の本体２００−２の回路に接続される。口腔ビューア２００の先端２００−１が、合凹凸嵌合機構を介して口腔ビューア２００の本体２００−２に対して展開または折り畳まれることができる。口腔洗浄器５００の先端５００−１の水路が折り曲げ可能な可撓性水路を介して口腔洗浄器５００の本体５００−２の水路に接続され、口腔洗浄器５００の先端５００−１が凹凸嵌合機構を介して口腔洗浄器５００の本体５００−２に対して展開または折り畳まれることができる。
【０１０９】
折り畳み式接続機構９０３−４を使用して口腔ビューア２００と可視口腔洗浄器９０３の口腔洗浄器５００とが同時に接続されると、可視口腔洗浄器９０３は可視口腔洗浄器９０３の先端９０３−１を折り畳み式接続機構９０３−４を中心に回転させるだけで折り畳みと展開が可能であって、保管が便利であり、この折り畳みと展開のプロセスはきわめて単純かつ好都合である。
【０１１０】
本発明の可視口腔洗浄器９０３は、口腔洗浄器５００と、口腔ビューア２００と、接続機構３００とを有する。口腔洗浄器５００は、スプレーヘッド５１と、スプレーガン５２と、制御スイッチ５３と、圧力容器５４と、接続管５５と、継手５６とを有する。スプレーヘッド５１は、スプレーガン５２の先端に配置され、制御スイッチ５３はスプレーガン５２に配置され、圧力容器５４内の流体が接続管５５と継手５６とを通してスプレーガン５２に接続される。口腔洗浄器５００は、接続機構３００を介して口腔ビューア２００に取り付けられる。スプレーガン５２のスプレーヘッド５１は、口腔ビューア２００の可視観察システム２４の視野内にある。口腔洗浄器５００の圧力容器５４は、加圧器５４−１と、ハウジング５４−２と、流体収容空間５４−３とを有する。加圧器５４−１によって流体圧力が増大させられ、制御スイッチ５３がオンにされ、スプレーガン５２のスプレーヘッド５１から水が噴射され、ユーザは直視状態で歯および口腔を清掃することができ、清掃プロセスの画像および映像の記録を行うことができる。
【０１１１】
本発明の可視口腔洗浄器９０３は使用が好都合であり、歯間と歯肉と歯冠と口腔粘膜とをはっきり見るために使用することができ、食物残渣の位置をリアルタイムで観察するためと直視状態で食物残渣を清掃するためにも使用することができる。
【０１１２】
本発明の可視歯ブラシは、以下の特徴を有する。
【０１１３】
可視歯ブラシは、可視歯ブラシ９０４が歯ブラシ６００と、口腔ビューア２００と、接続機構３００とを有し、
Ａ．歯ブラシ６００は、ブラシヘッド６１と、ブラシロッド６２と、取り付け基部６３とを有し、歯ブラシ６００のブラシヘッド６１は少なくとも１つのブラシ毛６１−１を有し、ブラシヘッド６１はブラシロッド６２の先端に配置され、取り付け基部６３はブラシロッド６２の後端に配置され、
Ｂ．口腔ビューア２００は、ハウジング２１と、電源システム２２と、照明システム２３と、可視観察システム２４と、回路システム２５と、スイッチ２６とを有し、照明システム２３と、可視観察システム２４と、回路システム２５と、電源システム２２とはハウジング２１の内部ハウジング２１の内部に取り付けられ、スイッチ２６はハウジング２１に取り付けられ、照明システム２３と、可視観察システム２４と、電源システム２２と、スイッチ２６とは回路システム２５を介して接続され、
Ｃ．歯ブラシ６００は接続機構３００を介して口腔ビューア２００に取り付けられることを特徴とする。
【０１１４】
ブラシヘッド６１は、ブラシロッド６２と一体に形成するように一体製造によってブラシロッド６２の先端にブラシ毛６１−１を直接、植毛してよく、ブラシロッド６２の先端に着脱可能に接続されてもよい。
【０１１５】
使用時には、接続機構３００を介して歯ブラシ６００が口腔ビューア２００に取り付けられ、歯ブラシ６００のブラシヘッド６１が口腔ビューア２００の可視機能を使用して直視状態で口腔を清掃するために使用され、したがって清掃プロセスがきわめて好都合であり、特に口腔内の奥側の場合、口腔ビューア２００の可視機能を使用することによって、ユーザは清掃位置が完全に清掃されているかを明確に知ることができる。さらに、可視歯ブラシは、歯と歯肉との間の食物残渣を清掃するためにも特に適しており、それによって的確な清掃が実施される。
【０１１６】
ブラシヘッド６１は、口腔ビューア２００の可視観察システム２４の視野内にあり、したがって、清掃された位置と歯ブラシヘッド６１の清掃効果とを可視観察システム２４を通して明瞭に可視することができる。
【０１１７】
ブラシヘッド６１とブラシロッド６２との間の内角βは９０°ないし１７０°の範囲内にある。ブラシヘッド６１が口腔ビューア２００の可視観察システム２４の視野内に確実に入ることができるようにするために、ブラシヘッド６１とブラシロッド６２との間の内角βは一般に９０°より大きく、可視効果を確実にするために、ブラシヘッド６１とブラシロッド６２との間の内角は一般に６００°ないし１５０°に制御される。
【０１１８】
歯ブラシ６００のブラシヘッド６１とブラシロッド６２との間には、人間の口腔の要件に合う湾曲部６１−４がある。口腔の深い位置を清掃するときは、ブラシヘッド６１とブラシロッド６２との間の、人間の口腔の要件に合う湾曲部６１−４が、ブラシヘッド６１を口腔の深い清掃位置まで便利に届けることができる。
【０１１９】
歯ブラシ６００の取り付け基部６３は、口腔ビューア２００との接続のために使用される位置決めブロック３２を備える。
【０１２０】
接続機構３００は着脱可能な機械式接続機構である。接続機構３００は独立の構成であってよく、歯ブラシ６００に配置されてよく、または口腔ビューア２００に配置されてもよい。あるいは、接続機構３００は、着脱可能な機械式接続機構の一部を歯ブラシ６００に配置し、他の部分を口腔ビューア２００に配置することによって形成される組み合わせ型機械式接続機構であってもよい。着脱可能な機械式接続機構は、ユーザが歯ブラシ６００を交換するのに便利であり、したがって使用プロセスがより好都合かつ衛生的であり、ユーザの使用コストが節約される。
【０１２１】
機械的接続機構は、凹凸嵌合接続、スライドスロット接続、ピン接続、キー接続、ねじ込み接続、ねじ接続、バックル接続、フック接続または締り嵌め接続を有する。当業者は本特許の保護範囲から逸脱することなく、本発明で開示されている技術的解決策に従って様々な特定の製品設計を行うことができる。
【０１２２】
口腔ビューア２００のハウジング２１は、位置決めスロット３５と締め付けブロック３６とを備え、歯ブラシ６００の位置決めブロック３２は位置決めスロット３５にはめ込まれることができ、締め付けブロック３６は歯ブラシ６００の取り付け基部６３が後方にスライドするのを防止することができ、位置決めブロック３２と、位置決めスロット３５と、締め付けブロック３６との連係が接続機構３００を構成する。
【０１２３】
可視観察システム２４はカメラシステム２４−１であり、カメラシステム２４−１は、カメラ２４−１−１と、データ処理および出力システム２４−１−２と、回路システム２５と、電源システム２２とを有する。
【０１２４】
カメラシステム２４−１のデータ処理および出力システム２４−１−２によって出力される映像データを、有線接続方法または無線接続方法で表示装置２４−１−３に表示することができ、表示装置２４−１−３は、スマートフォン２４−１−３１、コンピュータ２４−１−３２、液晶表示装置２４−１−３３またはテレビ２４−１−３４を有する。
【０１２５】
使用時には、カメラ２４−１−１が清掃プロセスの画像および映像の記録を行うことができ、データ処理および出力システム２４−１−２によって出力される映像データを表示装置２４−１−３にリアルタイムで表示することができ、ユーザは、どの位置が清掃されたか、およびどの位置がまだ清掃されていないかを明瞭に見るために、表示装置２４−１−３に表示される清掃プロセスのリアルタイム画像を通して清掃プロセスをリアルタイムで見るだけでよい。
【０１２６】
照明システム２３はカメラ２４−１−１の周囲に配置される。
【０１２７】
照明システム２３はＬＥＤ照明システム２３−１を採用する。
【０１２８】
カメラ２４−１−１は照明システム２３の熱影響域内にあり、照明システム２３が発生する熱によってカメラ２４−１−１を加熱することができ、それによって使用中にカメラ２４−１−１が曇りを生じることを抑制する。
【０１２９】
照明システム２３が発生する熱は、カメラ２４−１−１の温度を３５℃ないし４５℃に上昇させることができる。
【０１３０】
ハウジング２１は、カメラ２４−１−１近傍のハウジング２１−５の熱放散能力と照明システム２３が発生する熱との間の動的熱平衡を生じさせることができ、それによってカメラ２４−１−１と装着された防水レンズ２４−１−４との温度が３５℃ないし４５℃の範囲内に維持され、それによって曇り止めの目的が達成される。
【０１３１】
ＬＥＤ照明システム２３−１の照度を強め、カメラ２４−１−１周囲の動的熱平衡を必要なレベルに達するように制御し、カメラ２４−１−１およびその周囲の温度が必要な温度範囲内に確実に維持されるようにするために、必要に応じて４個、６個または８個のＬＥＤライトなど複数のＬＥＤライトをカメラ２４−１−１の周囲に配置してもよい。一方では、複数のＬＥＤライトは、ＬＥＤ照明システム２３−１の照度を強め、カメラ２４−１−１の撮影プロセスの鮮明度を向上させ、他方では、ＬＥＤ照明システム２３−１のＬＥＤライトが発生する熱が、カメラ２４−１−１近傍のハウジング２１−５による熱放散後のカメラ２４−１−１とその装着防水レンズ２４−１−４との温度を３５ないし４５℃に維持することができ、それによって曇り止めの目的が達成される。
【０１３２】
カメラ２４−１−１の先端は防水レンズ２４−１−４を備え、防水レンズ２４−１−４に曇り止めコーティングが施される。防水レンズ２４−１−４に曇り止めコーティングが施された後は、防水レンズ２４−１−４の先端に小量の水蒸気が形成されて防水レンズ２４−１−４の表面に結露を形成したとしても、水滴の形態では存在せず、透明な水膜となり、カメラ２４−１−１の前面における霧現象を形成することができず、それによって曇り止め効果をさらに向上させる。
【０１３３】
口腔ビューア２００は防水設計を採用する。口腔ビューア２００は防水設計を採用するため、ユーザは本発明の可視歯ブラシを使用プロセス中に適時に清掃することができ、防水設計は、水または人間の導電性分泌物が口腔ビューア２００に入ることによる、使用プロセス中のハウジング２１の内部ハウジング２１の内部の電源システム２２、照明システム２３、可視観察システム２４、回路システム２５、またはスイッチ２６の機能に及ぼす影響を回避することもできるため、使用プロセスがより好都合かつ安全になる。
【０１３４】
本発明の可視歯ブラシは、歯ブラシ６００と、口腔ビューア２００と、接続機構３００とを有する。歯ブラシ６００は、ブラシヘッド６１と、ブラシロッド６２と、取り付け基部６３とを有し、取り付け基部６３は位置決めブロック３２を備える。口腔ビューア２００のハウジング２１は、位置決めスロット３５と締め付けブロック３６とを備える。歯ブラシ６００の位置決めブロック３２は、位置決めスロット３５にはめ込まれることができ、締め付けブロック３６は、歯ブラシ６００の取り付け基部６３が後方にスライドするのを防止することができる。位置決めブロック３２と、位置決めスロット３５と、締め付けブロック３６との連係が接続機構３００を構成する。歯ブラシ６００と口腔ビューア２００とは、接続機構３００を介して着脱可能に接続される。口腔ビューア２００は照明システム２３と可視観察システム２４とを有し、可視映像を表示装置２４−１−３に有線方法または無線方法で送信するため、本発明の可視歯ブラシを使用することによって、ユーザは直視状態で口腔を清掃することができ、清掃プロセスと清掃後の効果とを可視することができ、画像または映像の記録を行うことができる。
【０１３５】
本発明の着脱可能可視歯間ブラシは、着脱可能可視歯間ブラシ９０５が組み込み歯間ブラシ７０１と、口腔ビューア２００と、接続機構３００とを有し、
Ａ．組み込み歯間ブラシ７０１は、ブラシ本体７１と送り込み装置７２とを有し、ブラシ本体７１は送り込み装置７２の先端のエルボ管７２−１−１の内部に可動に配置され、
Ｂ．口腔ビューア２００は、ハウジング２１と、電源システム２２と、照明システム２３と、可視観察システム２４と、回路システム２５と、スイッチ２６とを有し、照明システム２３と、可視観察システム２４と、電源システム２２とはハウジング２１の内部ハウジング２１の内部に取り付けられ、スイッチ２６はハウジング２１に取り付けられ、照明システム２３と、可視観察システム２４と、電源システム２２と、スイッチ２６とは回路システム２５を介して接続され、
Ｃ．組み込み歯間ブラシ７０１は、接続機構３００を介して口腔ビューア２００に着脱可能に取り付けられることを特徴とする。
【０１３６】
本発明の中核は、２つの独立したユニットである組み込み歯間ブラシ７０１と口腔ビューア２００とが、接続機構３００を介して互いに柔軟に組み付けられることにある。２つの独立ユニットは、歯間を清掃するために片手操作により操作されるように互いに組み付けられてよく、２つの独立ユニットは分離されてもよく、口腔ビューア２００が可視のために一方の手で保持され、組み込み歯間ブラシ７０１が歯間を清掃するために他方の手で保持され、したがって、２つの独立ユニットは携帯と組み立てが便利であり、使用に柔軟性がある。
【０１３７】
接続機構３００は着脱可能な機械式接続機構であり、独立の構成であってよく、または、組み込み歯間ブラシ７０１ないし口腔ビューア２００に配置されてもよい。
【０１３８】
接続機構３００は独立の構成であってよく、組み込み歯間ブラシ７０１と口腔ビューア２００とにそれぞれ接続されて、組み込み歯間ブラシ７０１と口腔ビューア２００とを一体に接続する。接続機構３００と組み込み歯間ブラシ７０１とは、一体にまたは口腔ビューア２００内に製造されて、その後、口腔ビューア２００または組み込み歯間ブラシ７０１に接続されて一体に形成されてもよい。接続の種類にかかわらず、最終目標は組み込み歯間ブラシ７０１と口腔ビューア２００との着脱可能接続を実現することである。したがって、接続機構３００が組み込み歯間ブラシ７０１または口腔ビューア２００のうちの一方との着脱可能機械的接続を実現する限り、組み込み歯間ブラシ７０１と口腔ビューア２００との着脱可能接続が実現可能である。
【０１３９】
機械的接続機構は、凹凸嵌合接続、スライドスロット接続、ピン接続、キー接続、ねじ込み接続、ねじ接続、バックル接続、フック接続または締り嵌め接続などであってよい。当然ながら、当業者は本願の保護範囲から逸脱することなく、他の機械的接続方法を選択することができる。
【０１４０】
組み込み歯間ブラシ７０１のブラシ本体７１は、作用部７１−１と接続体７２とを有する。作用部７１−１は接続体７２の先端に配置される。送り込み装置７２は、ガイドヘッド７２−１とスライド機構７２−２とを有し、ガイドヘッド７２−１は送り込み装置７２の先端７２１に配置される。ガイドヘッド７２−１はエルボ管７２−１−１を有し、エルボ管７２−１−１の出口７２−１−２がガイドヘッド７２−１の端部７２−１−３に配置され、ブラシ本体７１がエルボ管７２−１−１内に取り付けられ、ブラシ本体７１の作用部７１−１はエルボ管７２−１−１内でスライド可能であり、ブラシ本体７１の接続体７２は送り込み装置７２のスライド機構７２−２に取り付けられ、スライド機構７２−２の動きがブラシ本体７１の作用部７１−１を駆動してエルボ管７２−１−１内でスライドさせ、スライド機構７２−２を駆動することによってブラシ本体７１の作用部７１−１がガイドヘッドの端部でエルボ管の出口７２−１−２から突出することができる。
【０１４１】
組み込み歯間ブラシ７０１のスライド機構７２−２は、歯間ブラシ接続機構７２−２−１とスライドブロック７２−２−２とを有し、歯間ブラシ接続機構７２−２−１はスライドブロック７２−２−２に配置され、歯間ブラシの接続体７２と歯間ブラシ接続機構７２−２−１とが接続され、スライドブロック７２−２−２は、ブラシ本体７１を駆動してエルボ管７２−１−１内で往復させるように押したり引いたりすることができ、それによって歯間ブラシの作用部７１−１がガイドヘッド７２−１の端部でエルボ管出口７２−１−２から突出したり引っ込んだりする。
【０１４２】
組み込み歯間ブラシ７０１はブラシ本体７１が送り込み装置７２のガイドヘッド７２−１のエルボ管７２−１−１内に組み込まれた構造を採用しているため、ガイドヘッド７２−１が歯間と位置合わせされた後、弾性材料からなるブラシ本体７１の作用部７１−１が、送り込み装置７２のスライド機構７２−２を押してブラシ本体７１の作用部７１−１を駆動して、ブラシ本体７１の作用部７１−１がエルボ管７２−１−１の湾曲部に沿って自動的に曲がり、歯間と位置合わせされて歯間に入るようにし、送り込み装置７２のスライド機構７２−２のスライドブロック７２−２−２が前後に押されたり引き戻されたりし、それによって歯間ブラシの作用部７１−１が歯間内で往復して歯間を清掃する。送り込み装置７２は好適な剛性を有するため、送り込み装置７２のガイドヘッド７２−１のエルボ管出口７２−１−２が歯間と位置合わせされた後は、押し出されるブラシ本体７１の作用部７１−１が直接、歯間に入る。送り込み装置７２のガイドヘッド７２−１のエルボ管出口７２−１−２がほとんど歯間に付けられそうであり、歯間にきわめて近く、歯間ブラシの作用部７１−１が容易に曲がることができないため、ブラシ本体７１の力の伝導が著しく強化され、ブラシ本体７１の操作性が向上し、それによって従来技術における歯間ブラシが臼歯の間の隙間を清掃する際に曲がりやすく、歯肉を傷つけやすいという欠陥が回避される。
【０１４３】
接続機構３００は組み込み歯間ブラシ７０１のガイドヘッド７２−１に配置され、接続機構３００は位置決めブロック３２を有する。
【０１４４】
接続機構３００と組み込み歯間ブラシ７０１のガイドヘッド７２−１とは、接続を実現するように一体に製造されるか、互いに接着されるか、または着脱可能に接続されてもよい。
【０１４５】
口腔ビューア２００のハウジング２１は、組み込み歯間ブラシ７０１のスライドブロック７２−２−２の往復運動を可能にするためのスライドスロット２１１−２と、接続機構３００を固定することができる位置決めスロット３５とを備える。
【０１４６】
組み込み歯間ブラシ７０１のスライド機構７２−２のスライドブロック７２−２−２は、アーチ形ハウジング７２−２−２１を有し、アーチ形ハウジング７２−２−２１の内側にガイドブロック７２−２−２２を備え、ガイドブロック７２−２−２２は口腔ビューア２００のスライドスロット２１１−２内で往復することができる。
【０１４７】
スライドブロック７２−２−２を便利に押して動かすために、アーチ形ハウジング７２−２−２１は滑り止め線を備えてもよい。アーチ形ハウジング７２−２−２１がわずかに押し下げられると、ガイドブロック７２−２−２２が口腔ビューア２００のスライドスロット２１１−２にはめ込まれることができ、アーチ形ハウジング７２−２−２１が前後に押されると、スライドブロック７２−２−２が、ガイドブロック７２−２−２２の誘導作用により口腔ビューア２００のスライドスロット２１１−２に沿って前後に便利にスライドすることができる。
【０１４８】
接続機構３００の位置決めブロック３２は、逆Ｔ字形位置決めブロック３２−１である。逆Ｔ字形位置決めブロック３２−１は、接続機構３００の下に配置される。口腔ビューア２００のハウジング２１は固定機構２１１を備え、固定機構２１１は、位置決めスロット３５と、スライドスロット２１１−２と、締め付けブロック３６とを有する。Ｔ字形位置決めブロック３２−１は、位置決めスロット３５に着脱可能にはめ込まれ、上方へ跳ねている締め付けブロック３６が、接続機構３００が後退するのを防止することができ、組み込み歯間ブラシ７０１が誤って口腔ビューア２００から外されるのを防止することができ、締め付けブロック３６を押し下げると同時に接続機構３００を後方に引くことによってのみ、接続機構３００を口腔ビューア２００から外すことができる。
【０１４９】
取り付け時、接続機構３００が組み込み歯間ブラシ７０１の送り込み装置７２のガイドヘッド７２−１の適切な位置に固定され、組み込み歯間ブラシ７０１のブラシ本体７１が、送り込み装置７２のスライドブロック７２−２−２に接続され、ブラシ本体７１が送り込み装置７２のガイドヘッド７２−１のエルボ管７２−１−１内に取り付けられ、スライドブロック７２−２−２が前方に押されて接続機構３００と組み込み歯間ブラシのスライドブロック７２−２−２とを接合する。
【０１５０】
次に、組み込み歯間ブラシ７０１と接続機構３００とが、口腔ビューア２００のハウジング２１の位置決め端部２１２に沿って口腔ビューア２００のハウジング２１の固定機構２１１に下方に収まる。組み込み歯間ブラシ７０１と接続機構３００とが押し下げられ、組み込み歯間ブラシ７０１のスライドブロック７２−２−２のアーチ形ハウジング７２−２−２１の内側のガイドブロック７２−２−２２が、口腔ビューア２００のスライドスロット２１１−２にはめ込まれ、一方、締め付けブロック３６が押し下げられ、逆Ｔ字形位置決めブロック３２−１が口腔ビューア２００の位置決めスロット３５内に入る。
【０１５１】
スライドブロック７２−２−２と組み込み歯間ブラシ７０１のブラシ本体７１とが静止状態に保たれている状態で、接続機構３００が前方に押され、それによって、締め付けブロック３６が上に跳ねて接続機構３００の後端に当接するまで接続機構３００の逆Ｔ字形位置決めブロック３２−１が口腔ビューア２００の位置決めスロット３５にはめ込まれ、これによって接続機構３００が所定の位置に取り付けられ、それによって組み込み歯間ブラシ７０１と口腔ビューア２００との確実な接続が達成される。
【０１５２】
組み込み歯間ブラシ７０１を取り外す必要があるときは、接続機構３００が力によって後方に動かされ、それによって締め付けブロック３６が押し下げられ、接続機構３００が後方に動くことができ、Ｔ字形位置決めブロック３２−１と位置決めスロット３５との間の接続が解除されるまで逆Ｔ字形位置決めブロック３２−１が位置決めスロット３５から引き出され、それによって組み込み歯間ブラシ７０１が口腔ビューア２００から取り外される。
【０１５３】
逆Ｔ字形位置決めブロック３２−１が逆Ｔ字形構造を採用しているため、Ｔ字形位置決めブロック３２−１が位置決めスロット３５にはめ込まれると、逆Ｔ字形構造の底部と位置決めスロット３５とが凹凸嵌合構造を形成することができ、それによって接続機構３００の垂直方向の動きが実質的に制限され、使用中に組み込み歯間ブラシ７０１と口腔ビューア２００とが垂直方向に離れるのをさらに防止する。一方、締め付けブロック３６は接続機構３００の後端に配置される。締め付けブロック３６が持ち上げられると、締め付けブロック３６の最上部が接続機構３００の尾端よりも高いため、接続機構３００が後方に動くのを実質的に防止することができ、接続機構３００が意識的かつ強制的に後方に動かされたときのみ、接続機構３００を締め付けブロック３６の誘導面に沿って引き出した後で口腔ビューア２００から外すことができ、それによって、接続機構３００が後方に容易に動くことができるために組み込み歯間ブラシ７０１が口腔ビューア２００から誤って外されるのを実質的に防止する。
【０１５４】
接続機構３００の位置決めブロック３２は円弧状位置決めブロック３２−２である。円弧状位置決めフック３２−２は位置決め溝３２−２−１を有し、口腔ビューア２００内の位置決めスロット３５が、位置決め溝３２−２−１と合致される位置決め凸状段２１１−１−１を有する。円弧状位置決めフック３２−２は位置決めスロット３５にはめ込まれて凹凸嵌合を形成し、それによって接続機構３００の垂直方向の動きを制限し、位置決め凸状段２１１−１−１が位置決め溝３２−２−１にはめ込まれ、それによって接続機構３００の前方および後方への動きを制限する。
【０１５５】
取り付け時、組み込み歯間ブラシ７０１と接続機構３００とが上述のように取り付けられた後、組み込み歯間ブラシ７０１のスライドブロック７２−２−２が口腔ビューア２００のハウジング２１の内部ハウジング２１の内部のスライドスロット２１１−２と位置合わせされ、接続機構３００の円弧状位置決めフック３２−２が口腔ビューア２００のハウジング２１の内部ハウジング２１の内部の位置決めスロット３５と位置合わせされ、組み込み歯間ブラシ７０１と接続機構３００とが押し下げられ、それによって組み込み歯間ブラシ７０１のスライドブロック７２−２−２のアーチ形ハウジング７２−２−２１の内側のガイドブロック７２−２−２２が口腔ビューア２００のスライドスロット２１１−２にはめ込まれ、接続機構３００の円弧状位置決めフック３２−２が位置決めスロット３５にはめ込まれて凹凸嵌合を形成し、それによって接続機構３００の垂直方向の動きを制限し、接続機構３００は、口腔ビューア２００の位置決め凸状段２１１−１−１が接続機構３００の位置決め溝３２−２−１にはめ込まれるまで前方にスライドさせられ、それによって接続機構３００の前方および後方への動きを制限する。組み込み歯間ブラシ７０１を取り外す必要があるときは、接続機構３００が力により後方に動かされ、それによって接続機構３００の位置決め溝３２−２−１が口腔ビューア２００の位置決め凸状段２１１−１−１から外され、接続機構３００は口腔ビューア２００の位置決めスロット３５に沿って後方に連続してスライドされ、その後接続機構３００を口腔ビューア２００から外すことができる。
【０１５６】
円弧状位置決めフック３２−２と位置決めスロット３５との間と、位置決め凸状段２１１−１−１と位置決め溝３２−２−１との間に形成される二重凹凸嵌合接続方法は、接続機構３００と口腔ビューア２００との有効な接続および固定を実現することができる。
【０１５７】
接続機構３００は口腔ビューア２００に配置され、接続機構３００は接続リング３２−３であり、組み込み歯間ブラシ７０１は接続リング３２−３の取り付け孔３２−３−１を通過し、それによって組み込み歯間ブラシ７０１が口腔ビューア２００に固定される。凹凸嵌合接続方法と比較すると、接続リング３２−３のリング構造は、組み込み歯間ブラシ７０１が垂直方向に口腔ビューア２００から分離されるのをより有効に防止することができ、したがってより確実で信頼性が高い。
【０１５８】
接続機構３００は囲繞アーム３２−４であり、組み込み歯間ブラシ７０１と口腔ビューア２００とが囲繞アーム３２−４を介して互いに着脱可能に接続される。囲繞アーム３２−４は、組み込み歯間ブラシ７００に配置されてよく、次に口腔ビューア２００を取り囲んで両者の着脱可能接続を実現してもよく、口腔ビューア２００に配置され、次に組み込み歯間ブラシ７０１を取り囲んで両者の着脱可能接続を実現してもよい。
【０１５９】
可視観察システム２４はカメラシステム２４−１であり、カメラシステム２４−１は、カメラ２４−１−１と、データ処理および出力システム２４−１−２と、回路システム２５と、電源システム２２とを有する。
【０１６０】
カメラシステム２４−１のデータ処理および出力システム２４−１−２によって出力される映像データを有線接続方法または無線接続方法で表示装置２４−１−３に表示することができ、表示装置２４−１−３は、スマートフォン２４−１−３１、コンピュータ２４−１−３２、液晶表示装置２４−１−３３またはテレビ２４−１−３４を有する。
【０１６１】
照明システム２３はカメラ２４−１−１の周囲に配置される。
【０１６２】
本発明の着脱可能可視歯間ブラシ９０５は、組み込み歯間ブラシ７０１と、口腔ビューア２００と、接続機構３００とを有する。組み込み歯間ブラシ７０１と口腔ビューア２００とは、接続機構３００を介して互いに着脱可能に接続される。接続機構３００は、着脱可能な機械式接続機構であり、独立の構成であってよく、または組み込み歯間ブラシ７０１上または口腔ビューア２００に配置されてもよい。本発明の着脱可能可視歯間ブラシは、ユーザの使用習慣および好みに応じて自由に組み合わせてよく、組み込み歯間ブラシ７０１と口腔ビューア２００とは、片手で操作して歯間を清掃するように接続機構３００を介して互いに柔軟に組み立てられ、両者は分離されてもよく、可視を行うために口腔ビューア２００が一方の手で保持され、歯間を清掃するために組み込み歯間ブラシ７０１が他方の手で保持され、したがって着脱可能可視歯間ブラシ９０５は携帯および組み立てが便利であり、使用に柔軟性がある。
【０１６３】
本発明の上述の特徴および利点と本発明のその他の特徴および利点は、以下、好ましい実施形態の詳細な説明を図面とともに読めば、より明確にわかるであろう。
【図面の簡単な説明】
【０１６４】
【図１】本発明による可視可視デンタルフロスの斜視図である。
【図１−１】図１の分解図である。
【図１−２】中心線に沿って切断され、前から後ろに見たときの本発明による図１の可視可視デンタルフロスの斜視図である。
【図１−３】中心線に沿って切断され、後ろから前に見たときの本発明による図１の可視可視デンタルフロスの斜視図である。
【図１−４】図１のＡ−Ａ領域の部分断面図である。
【図１−５】図１の正面図である。
【図１−６】図１−５のＢ−Ｂ断面図である。
【図２】先端から後端の方向に見たときの本発明による可視可視デンタルフロスの斜視図である。
【図２−１】図２のＣ領の拡大図である。
【図３】本発明による可視可視デンタルフロスの可視可視デンタルフロスの斜視図である。
【図３−１】本発明による可視可視デンタルフロスの可視可視デンタルフロスの斜視図である。
【図３−２】本発明による可視可視デンタルフロスの可視可視デンタルフロスの斜視図である。
【図４】本発明による可視可視デンタルフロスの接続機構の斜視図である。
【図４−１】底部から見たときの本発明による可視可視デンタルフロスの接続機構の斜視図である。
【図５】本発明によるナット接続型可視可視デンタルフロスの斜視図である。
【図５−１】図５のＤ領域の拡大図である。
【図６】本発明によるねじ接続型可視可視デンタルフロスの斜視図である。
【図６−１】図６のＥ領域の拡大図である。
【図７】密封されたときの本発明による可視可視デンタルフロスの充電インターフェース密封装置の斜視図である。
【図７−１】図７のＦ領域の拡大図である。
【図８】開かれたときの本発明による可視可視デンタルフロスの充電インターフェース密封装置の斜視図である。
【図８−１】図８のＧ領域の拡大図である。
【図９】有線接続方法で表示装置に接続されたときの本発明による可視可視デンタルフロスを示す図である。
【図１０】無線接続方法で表示装置に接続されたときの本発明による可視可視デンタルフロスを示す図である。
【図１１】本発明による可視口腔鉗子の斜視図である。
【図１１−１】図１１の平面図である。
【図１１−２】図１１の側面図である。
【図１１−３】図１１の底面図である。
【図１１−４】顎部が開かれたときの図１１の可視口腔鉗子を上から見たときの構造を示す図である。
【図１１−５】図１１−４のＧ−Ｇ断面図である。
【図１１−６】顎部が閉じられたときの図１１の可視口腔鉗子を上から見たときの構造を示す図である。
【図１１−７】図１１−６のＨ−Ｈ断面図である。
【図１１−８】図１１の分解図である。
【図１２】口腔鉗子が開き状態のときの本発明による可視口腔鉗子の斜視図である。
【図１２−１】図１２の分解図である。
【図１２−２】図１２の前面斜視図である。
【図１２−３】図１２の口腔鉗子の顎部と取り付け基部とを上から見たときの構造を示す図である。
【図１２−４】図１２の口腔鉗子の顎部と取り付け基部とを下から見たときの構造を示す図である。
【図１２−５】図１２の口腔鉗子の開閉機構を上から見たときの構造を示す図である。
【図１２−６】図１２の口腔鉗子の開閉機構を下から見たときの構造を示す図である。
【図１２−７】口腔鉗子が開き状態のときの本発明による可視口腔鉗子の構造を示す図である。
【図１２−８】口腔鉗子が閉じ状態のときの本発明による可視口腔鉗子の構造を示す図である。
【図１３】開き状態の本発明によるヒンジ式可視口腔鉗子の構造を示す図である。
【図１３−１】閉じ状態の本発明によるヒンジ式可視口腔鉗子の構造を示す図である。
【図１４】本発明による湾曲顎部を有する可視口腔鉗子の構造を示す図である。
【図１５】本発明による湾曲顎部を有するヒンジ式可視口腔鉗子の構造を示す図である。
【図１６】有線方法で表示装置に接続されたときの本発明による可視口腔鉗子の構造を示す図である。
【図１７】無線方法で表示装置に接続されたときの本発明による口腔鉗子の構造を示す図である。
【図１８】本発明による可視口腔洗浄器の斜視図である。
【図１８−１】図１８の分解図である。
【図１９】本発明による可視口腔洗浄器の口腔洗浄器の斜視図である。
【図１９−１】［021図１９の分解図である。
【図２０】本発明による可視口腔洗浄器を示す取り付け関係図である。
【図２１】本発明による可視口腔洗浄器のスプレーガンの斜視図でる。
【図２１−１】図２１の底面図である。
【図２１−２】図２１の側面図である。
【図２１−３】閉じ状態の図２１のスプレーガンのＩ−Ｉ断面図である。
【図２１−４】開き状態の図２１のスプレーガンのＩ−Ｉ断面図である。
【図２２】本発明による可視口腔洗浄器の平面図である。
【図２２−１】図２２のＪ−Ｊ断面図である。
【図２２−２】ピストンが外側に移動したときの図２２−１の圧力容器のＫ領域の拡大図である。
【図２２−３】ピストンが内側に移動した（加圧された）ときの図２２−１の圧力容器のＫ領域の拡大図である。
【図２３】本発明による調整可能スプレーヘッドを備えた可視口腔洗浄器の斜視図である。
【図２３−１】図２３の側面図である。
【図２３−２】図２３の平面図である。
【図２３−３】図２３−２のＬ−Ｌ断面図である。
【図２３−４】調整可能スプレーヘッドがマルチノズル状態であるときの図２３−３のＭ領域の拡大図である。
【図２３−５】調整可能スプレーヘッドがシングルノズル状態であるときの図２３−３のＭ領域の拡大図である。
【図２４】本発明による注水口を備えた可視口腔洗浄器の斜視図である。
【図２５】有線方法で表示装置に接続されたときの本発明による可視口腔洗浄器の構造を示す図である。
【図２６】無線方法で表示装置に接続されたときの本発明による可視口腔洗浄器の構造を示す図である。
【図２７】本発明による電動エアコンプレッサを有する可視口腔洗浄器の構造を示す図である。
【図２７−１】図２７の分解図である。
【図２８】本発明による水中ポンプを有する可視口腔洗浄器の斜視図である。
【図２８−１】図２８の背面の斜視図である。
【図２９】本発明による水中ポンプを有する可視口腔洗浄器の構造を示す図である。
【図２９−１】図２９の分解図である。
【図３０】本発明による送水ポンプを有する可視口腔洗浄器の構造を示す図である。
【図３０−１】図３０の分解図である。
【図３１】本発明による歯間ブラシを有する多機能可視口腔洗浄器を示す図である。
【図３１−１】図３１のＮ領域の拡大図である。
【図３１−２】本発明による多機能可視口腔洗浄器から歯間ブラシが取り外されたときの構造を示す図である。
【図３２】本発明によるデンタルフロスを有する多機能可視口腔洗浄器を示す図である。
【図３２−１】図３２のＯ領域の拡大図である。
【図３２−２】本発明による多機能可視口腔洗浄器からデンタルフロスが取り外されたときの構造を示す図である。
【図３３】本発明による歯ブラシを有する多機能可視口腔洗浄器を示す図である。
【図３３−１】図３３のＰ領域の拡大図である。
【図３３−２】本発明による多機能可視口腔洗浄器から歯ブラシが取り外されたときの構造を示す図である。
【図３４】本発明による口腔鉗子を有する多機能可視口腔洗浄器を示す図である。
【図３４−１】図３４のＱ領域の拡大図である。
【図３４−２】本発明による多機能可視口腔洗浄器から口腔鉗子が取り外されたときの構造を示す図である。
【図３５】有線方法で表示装置に接続されたときの本発明による多機能可視口腔洗浄器の構造を示す図である。
【図３６】無線方法で表示装置に接続されたときの本発明による多機能可視口腔洗浄器の構造を示す図である。
【図３７】本発明による折り畳み式可視口腔洗浄器の構造を示す図である。
【図３７−１】折り畳まれた状態の本発明による可視口腔洗浄器の構造を示す図である。
【図３７−２】展開された状態の本発明による可視口腔洗浄器の斜視図である。
【図３８】本発明による着脱可能可視口腔洗浄器の構造を示す図である。
【図３８−１】図３８のＲ領域の拡大図である。
【図３８−２】取り外された状態の本発明による可視口腔洗浄器の斜視図である。
【図３８−３】図２１の分解図である。
【図３９】本発明による可視歯ブラシの斜視図である。
【図３９−１】図３９のＳ領域の拡大図である。
【図３９−２】歯ブラシと口腔ビューアとが分離されたときの本発明による可視歯ブラシの斜視図である。
【図３９−３】図３９−２のＴ領域の拡大図である。
【図４０】歯ブラシの構造を示す図である。
【図４０−１】図４０の前面斜視図である。
【図４０−２】下から見たときの図４０の歯ブラシのブラシヘッドと取り付け基部との構造を示す図である。
【図４１】本発明による１つのブラシ毛を有する可視歯ブラシの斜視図である。
【図４１−１】図４１のＵ領域の拡大図である。
【図４１−２】取り外されたときの図４１の防水レンズの斜視図である。
【図４１−３】図４１−２のＶ領域の拡大図である。
【図４２】無線方法で表示装置に接続されたときの本発明による可視歯ブラシの構造を示す図である。
【図４２−１】無線方法で表示装置に接続されたときの本発明による可視歯ブラシの構造を示す図である。
【図４３】有線方法で表示装置に接続されたときの本発明による可視歯ブラシの構造を示す図である。
【図４４】本発明による着脱可能可視歯間ブラシの構造を示す図である。
【図４４−１】スライドブロックの前方への動きが歯間ブラシを突出させたときの図４４の着脱可能可視歯間ブラシの構造を示す図である。
【図４４−２】接続機構の後方への動きが位置決めブロックと位置決めスロットとの間を解放したときの図４４の着脱可能可視歯間ブラシの構造を示す図である。
【図４４−３】組み込み歯間ブラシが口腔ビューアから完全に分離されたときの図４４の着脱可能可視歯間ブラシの構造を示す図である。
【図４５】本発明による着脱可能可視歯間ブラシの平面図である。
【図４５−１】図４５のＷ−Ｗ断面図である。
【図４５−２】図４５−１のＸ−Ｘ断面図である。
【図４５−３】図４５−１のＹ−Ｙ断面図である。
【図４６】接続機構の後方への動きが位置決めブロックと位置決めスロットとの間を解放したときの本発明による着脱可能可視歯間ブラシを示す平面図である。
【図４６−１】図４６のＺ−Ｚ断面図である。
【図４７】本発明による着脱可能可視歯間ブラシの組み込み歯間ブラシの構造を示す図である。
【図４７−１】上から見たときの本発明による着脱可能可視歯間ブラシの組み込み歯間ブラシの斜視図である。
【図４７−２】下から見たときの本発明による着脱可能可視歯間ブラシの組み込み歯間ブラシの斜視図である。
【図４７−３】図４７−１の分解図である。
【図４７−４】図４７−３の分解図である。
【図４８】本発明による着脱可能可視歯間ブラシの有線方法で表示装置に接続されたときの動作原理図である。
【図４９】本発明による着脱可能可視歯間ブラシの無線方法で表示装置に接続されたときの動作原理図である。
【図５０】本発明による円弧状位置決めフック型位置決めブロックを有する着脱可能可視歯間ブラシの構造を示す図である。
【図５０−１】スライドブロックの前方への動きが歯間ブラシを突出させたときの図５０の着脱可能可視歯間ブラシの構造を示す図である。
【図５０−２】接続機構の後方への動きが位置決めブロックと位置決めスロットとの間を解放したときの図５０の着脱可能可視歯間ブラシの構造を示す図である。
【図５０−３】組み込み歯間ブラシが口腔ビューアから完全に分離されたときの図５０の着脱可能可視歯間ブラシの構造を示す図である。
【図５１】図５０−２の正面図である。
【図５１−１】図５１のａ−ａ断面図である。
【図５１−２】図５１のｂ−ｂ断面図である。
【図５２】図５０の正面図である。
【図５２−１】図５２のｃ−ｃ断面図である。
【図５３】上から見たときの図５０の着脱可能可視歯間ブラシの組み込み歯間ブラシの斜視図である。
【図５３−１】下から見たときの図５３の組み込み歯間ブラシの斜視図である。
【図５３−２】図５３の分解図である。
【図５３−３】図５３−１の分解図である。
【図５３−４】図５３−２の分解図である。
【図５３−５】図５３−３の分解図である。
【図５４】本発明による接続リング型位置決めブロックを有する着脱可能可視歯間ブラシの構造を示す図である。
【図５４−１】本発明による囲繞アーム型位置決めブロックを有する着脱可能可視歯間ブラシの構造を示す図である。
【０１６５】
上記の図面において、
１００はデンタルフロス、２００は口腔ビューア、３００は接続機構、４００は口腔鉗子、５００は口腔洗浄器、６００は歯ブラシ、７００は歯間ブラシ、９０１は本発明の可視可視デンタルフロス、９０２は本発明の可視口腔鉗子、９０３は本発明の可視口腔洗浄器、９０４は本発明の可視歯ブラシ、９０５は本発明の着脱可能可視歯間ブラシである。
【０１６６】
デンタルフロスにおいて、
１１はフロス、１２はブラケット、１３は取り付け基部である。
１３−１は取り付け基部内の貫通孔、１３−２は位置決め溝、１３−３はねじ山である。
【０１６７】
口腔ビューアにおいて、
２００−１は口腔ビューアの先端であり、２００−２は口腔ビューアの本体である。
２１１は固定機構、２１１−２はスライドスロット、２１１−１−１は位置決め凸状段、２１２は位置決め端部である。
２１はハウジング、２２は電源システム、２３は照明システム、２４は可視観察システム、２５は回路システム、２６はスイッチである。
２１−１はハウジングのヘッド、２１−２は支持リブ板、２１−３は口腔鉗子の取り付けスロット、２１−４は密封装置である。
２２−１は昇圧装置、２２−２は電源、２２−３は接続基部である。
２４−１はカメラシステムである。
２５−１は口腔ビューアの先端の回路であり、２５−２は口腔ビューアの本体の回路であり、２５−３は密封充電ポートであり、２５−１−１は先端の回路のインターフェースであり、２５−２−１は本体の回路のインターフェースである。
２６−１は状態表示灯である。
２１−２−１は支持リブ板の外側に配置されたスライドスロット、２１−４−０は密封溝、２１−４−１は密封リング、２１−４−２は加圧板、２１−４−３はスライド板、２１−４−４はスライド板位置決めスロットである。
２４−１−１はカメラ、２４−１−２はデータ処理および出力システム、２４−１−３は表示装置である。
２４−１−３１はスマートフォン、２４−１−３２はコンピュータ、２４−１−３３は液晶表示装置／テレビ、２４−１−３４はタブレットコンピュータである。
【０１６８】
接続機構において、
３０はスライドバー、３１は位置決めフック、３１−１は左位置決めフック、３１−２は右位置決めフック、３２は位置決めブロック、３３はねじ込み接続機構、３４は滑り止め凸線、３５は位置決めスロット、３６は締め付けブロックである。
３２−１は逆Ｔ字形位置決めブロック、３２−２は円弧状位置決めフック、３２−３は接続リング、３２−４は囲繞アーム、３２−２−１は位置決め溝である。
δは、デンタルフロスと口腔ビューアのハウジングのヘッドの中心線との間の内角である。
【０１６９】
口腔鉗子において、
４１は顎部、４２は開閉機構、４３は取り付け基部である。
４１−１は顎部の左アーム、４１−２は顎部の右アーム、４１−３は顎部上の咬合歯、４１−４は顎部の湾曲部、４１−５はピンである。
４１−１−１は左アーム接続ロッド、４１−２−１は右アーム接続ロッドである。
４２−１はプッシュロッドである。
４２−１−１はプッシュロッド上のスライドブロックである。
４２−１−２はプッシュブロックである。
４２−１−２１はプッシュブロック上のスライドスロット、４２−１−２２はプッシュブロック上のスライドブロックである。
４２−２はスリーブである。
４２−２−１はスリーブ内の孔である。
４３−２はスライドスロットである。
【０１７０】
口腔洗浄器において、
５００−１は口腔洗浄器の先端、５００−２は口腔洗浄器の本体である。
９０３−１は本発明の可視口腔洗浄器の先端、９０３−２は本発明の可視口腔洗浄器の本体、９０３−３は着脱可能接続機構、９０３−４は折り畳み式接続機構である。
９０３−３−１は、接続および固定機構、９０３−３−２−は電気継手、９０３−３−３は水継手である。
９０３−３−１１は内側ねじ、９０３−３−１２は回転止めブロック、９０３−３−１３は接続構成、９０３−３−１４は外側ナット、９０３−３−１１１は取り付けスロット、９０３−３−１１２は位置決め溝、９０３−３−１２１は位置決め凸状段、９０３−３−１２２は回転止めスロット、９０３−３−１２３は回転止め凸状段、９０３−３−１３１はリミット凸状段、９０３−３−１３２は電気コネクタ、９０３−３−１３３は水管、９０３−３−１４１は接合台である。
９０３−４−１は回転軸、９０３−４−２は回転軸孔である。
５１はスプレーヘッド、５２はスプレーガン、５３は制御スイッチ、５４は圧力容器、５５は接続管、５６は継手、５７は基部である。
５１−１はスプレーヘッド調整弁、５１−２はスプレーヘッドの湾曲部、５１−１−１は吐水口、５１−１−２は調整コーンである。
５２−１はスプレーガンの流路、５２−２はスプレーガンのハウジング、５２−３はスプレーガンの取り付け基部である。
５３−１は制御スイッチの伸縮ばね、５３−２は注水口である。
５４−１は圧力容器の加圧装置、５４−２は圧力容器のハウジング、５４−３は圧力容器の流体収容空間、５４−４は圧力容器の注水口、５４−４１は注水口のインターフェース、５４−４２は注水口の密封キャップ、５４−５は仕切り、５４−６は取り付け中間層である。
５４−２−１は吸気孔、５４−２−２は位置決めシート、５４−２−３は上部カバーである。
５４−５−１は通気孔、５４−５−２は排水孔、５４−５−３は吐水孔である。
５５−１は口腔洗浄器の先端の吐水管、５５−２は口腔洗浄器の本体の吐水管、５５−１−１は先端の吐水管のインターフェース、５５−２−１は本体の吐水管のインターフェースである。
５７−１は下部カバー、５７−２は取り付けスロットである。
５４１は手動式加圧器である。
５４１−１は前部逆止弁、５４１−２は後部逆止弁、５４１−３は弁筒、５４１−４はピストン、５４１−５はプッシュロッド、５４１−６はコアロッドである。
５４１−１−１は、前部伸縮ばね、５４１−１−２は前部逆止ブロック、５４１−１−３は前部密封リングである。
５４１−２−１は後部伸縮ばね、５４１−２−２は後部逆止ブロック、５４１−２−３は後部密封リングである。
５４１−２−２１は、後部逆止ブロック内の貫通孔である。
５４２は電動加圧器である。
５４２−１は電動空圧器、５４２−２は電動水圧器である。
５４２−５１は、電動エアコンプレッサ、５４２−５１−１は空気吸入口、５４２−５１−２は空気注入管、５４２−５１−２１は空気注入口、５４２−５１−２２はエルボ、５４２−５１−２３は直管、５４２−５１−３はエアコンプレッサである。
５４２−２１は水中ポンプ、５４２−２１−１は水中ポンプ注水システム、５４２−２１−５１は注水口、５４２−２１−２は水中ポンプ加押圧しステム、５４２−２１−３は水中ポンプ吐水システム、５４２−２１−３１は吐水口である。
５４２−２２は送水ポンプ、５４２−２２−１はポンプシステム、５４２−２２−５１はポンプポート、５４２−２２−２は真空吸引システム、５４２−２２−３は送水ポンプ吐水システム、５４２−２２−３１は吐水口である。
【０１７１】
歯ブラシにおいて、
６１はブラシヘッド、６２はブラシロッド、６３は取り付け基部である。
６１−１はブラシ毛、６１−４はブラシヘッドの湾曲部である。
３２は取り付け基部上の位置決めブロック、６３−２はスライドスロットである。
βはブラシヘッドとブラシロッドとの間の内角である。
【０１７２】
歯間ブラシにおいて、
７０１は組み込み歯間ブラシであり、
７１はブラシ本体、７１−１は歯間ブラシの作用部、７１−２は歯間ブラシの接続体、７１−１−１はブラシヘッドである。
７２は送り込み装置、７２−１はガイドヘッド、７２−１−１はエルボ管、７２−１−２はエルボ管出口、７２−２はスライド機構、７２−２−１は歯間ブラシと接続された接続機構、７２−２−２はスライドブロック、７２−２−２１はスライドブロックのアーチ形ハウジング、７２−２−２２はアーチ形ハウジングの内側のガイドブロックである。
【０１７３】
これらの図面のいくつかの図を通じて同様の参照番号は対応する部品を指す。
【発明を実施するための形態】
【０１７４】
以下、添付図面に例が示されている実施形態について詳細に言及する。以下の詳細な説明では、本明細書に記載の対象物を十分に理解することができるように多くの特定の詳細が記載されている。しかし、対象物はこれらの特定の詳細がなくても実装可能であることが、当業者にはわかるであろう。他の例では、実施形態の態様が無用に不明瞭にならないように、周知の方法、手順、構成、および回路については詳細には説明していない。
【０１７５】
本発明は、可視可視デンタルフロス、および／または可視口腔鉗子、および／または可視口腔洗浄器、および／または可視歯ブラシ、および／または着脱可能可視歯間ブラシを有する多機能可視口腔清掃器具に関する。デンタルフロス、および／または口腔鉗子、および／または口腔洗浄器、および／または歯ブラシ、および／または歯間ブラシは、接続機構を介して口腔ビューアに接続される。スマートフォンまたはタブレットコンピュータを使用して、デンタルフロス、口腔鉗子、口腔洗浄器、歯ブラシまたは歯間ブラシと歯間の隙間とを明瞭に見ることができ、それによって使用時に歯間を直視状態で便利に清掃および処置することができ、歯間の清掃効果をリアルタイムで観察および記録することができる。
【０１７６】
実施形態１：本発明による凹凸嵌合型可視可視デンタルフロス
【０１７７】
図１ないし図４−１に示すように、本実施形態の可視可視デンタルフロス９０１は、デンタルフロス１００と、口腔ビューア２００と、接続機構３００とを有する。
【０１７８】
デンタルフロス１００は、フロス１１と、ブラケット１２と、取り付け基部１３とを有し、デンタルフロス１００のフロス１１の両端はそれぞれ、ブラケット１２の左アーム１２−１と右アーム１２−２とに固定され、ブラケット１２は取り付け基部１３に配置される。
【０１７９】
口腔ビューア２００は、ハウジング２１と、電源システム２２と、照明システム２３と、可視観察システム２４と、回路システム２５と、スイッチ２６とを有し、照明システム２３と、可視観察システム２４と、回路システム２５と、電源システム２２とはハウジング２１の内部ハウジング２１の内部に取り付けられ、スイッチ２６はハウジング２１に取り付けられ、照明システム２３と、可視観察システム２４と、電源システム２２と、スイッチ２６とは回路システム２５を介して接続される。
【０１８０】
デンタルフロス１００は、接続機構３００を介して口腔ビューア２００に取り付けられる。本実施形態では、デンタルフロス１００は接続機構３００を介して凹凸嵌合方法で口腔ビューア２００に着脱可能に接続される。図２、図２−１、および図３ないし図３−２に示すように、デンタルフロス１００の取り付け基部１３は貫通孔１３−１を備え、口腔ビューア２００のハウジングのヘッド２１−１は貫通孔１３−１にはめ込まれることができる。
【０１８１】
図１に示すように、デンタルフロス１００のフロス１１は、口腔ビューア２００の可視観察システム２４の視野内にある。したがって、デンタルフロスと歯間の隙間とを明瞭に見ることができ、それによって使用時に歯間を直視状態で便利に清掃および処置することができ、歯間の清掃効果をリアルタイムで観察および記録することができる。
【０１８２】
本実施形態では、接続機構３００は独立の構成である。図４および図４−１に示すように、接続機構３００は、スライドバー３０と、位置決めフック３１と、左位置決めフック３１−１と、右位置決めフック３１−２と、位置決めブロック３２と、滑り止め凸線３４とを有する。位置決めフック３１と、左位置決めフック３１−１と、右位置決めフック３１−２とは、スライドバー３０の先端に配置され、位置決めフック３１は中央にあり、左位置決めフック３１−１と右位置決めフックとが両側に配置される。位置決めブロック３２はスライドバー３０の中央に配置される。滑り止め凸線３４はスライドバー３０の尾端に配置される。位置決めブロック３２は、口腔ビューア２００のハウジング２１の位置決めスロット３５内に取り付けられ、口腔ビューア２００のハウジング２１の締め付けブロック３６がスライドバー３０を押さえ、それによって接続機構３００が口腔ビューア２００のハウジング２１に着脱可能に取り付けられて固定され、、口腔ビューア２００のハウジング２１のヘッド２１−１はデンタルフロス１００の取り付け基部の貫通孔１３−１にはめ込まれ、接続機構３００の位置決めフック３１は取り付け基部の位置決め溝１３−２にはめ込まれ、左位置決めフック３１−３と右位置決めフック３１−２とが左側と右側から口腔ビューア２００のハウジング２１のヘッド２１−２を取り囲む。
【０１８３】
図１および図２に示すように、取り付け時、まず、接続機構３００の位置決めブロック３２が口腔ビューア２００のハウジング２１の位置決めスロット３５にはめ込まれ、口腔ビューア２００のハウジング２１の締め付けブロック３６がスライドバー３０の尾端に接して持ち上げられるまで接続機構３００のスライドバー３０が前方にスライドされ、このとき、接続機構３００を口腔ビューア２００に取り付けて接続するように、左位置決めフック３１−１と右位置決めフック３１−２とが左側と右側から口腔ビューア２００のハウジング２１のヘッド２１−１を取り囲む。滑り止め凸線３４がスライドバー３０の尾端に配置され、それによって摩擦力が増し、接続機構３００を取り付けたり取り外したりするのが便利になる。締め付けブロック３６と、左位置決めフック３１−１と、右位置決めフック３１−２との取り囲み作用と、位置決めブロック３２と位置決めスロット３５との凹凸嵌合との組み合わせにより、接続機構３００を口腔ビューア２００に有効に確実に接続することができる。
【０１８４】
次に、口腔ビューア２００のハウジング２１のヘッド２１−１が、デンタルフロス１００の取り付け基部の貫通孔１３−１にはめ込まれ、デンタルフロス１００を接続機構３００に向かって押すことによって、接続機構３００の位置決めフック３１を接続基部１３の位置決め溝１３−２にはめ込むことができ、それによって接続および固定が形成される。
【０１８５】
取り外し時は、接続機構３００の位置決めフック３１の最上部が押し下げられて、デンタルフロス１００を引っ込め、それによって接続機構３００とデンタルフロス１００との凹凸嵌合を解除することができる。接続機構３００を口腔ビューア２００からさらに取り外す必要があるときは、スライドバー３０が強制的に後方に動かされ、口腔ビューア２００の締め付けブロック３６が押し下げられ、接続機構３００と口腔ビューア２００との接続が完全に解除されるまで接続機構３００の位置決めブロック３２が口腔ビューア２００の位置決めスロット３５から引き出される。
【０１８６】
接続機構３００の位置決めブロック３２は、逆Ｔ字形構造を採用しているため、Ｔ字形位置決めブロック３２が位置決めスロット３５にはめ込まれると、逆Ｔ字形構造の底部と位置決めスロット３５とが凹凸嵌合構造を形成することができ、それによって接続機構３００の垂直方向の動きを実質的に制限し、使用中に接続機構３００と口腔ビューア２００とが垂直方向に沿って離れるのをさらに防止する。一方、口腔ビューア２００の締め付けブロック３６は、接続機構３００の後端に配置される。口腔ビューア２００の締め付けブロック３６が持ち上げられると、締め付けブロック３６の最上部が接続機構３００の尾端よりも高いため、接続機構３００が後方に移動するのを実質的に防止することができ、接続機構３００が故意かつ強制的に後方に移動されたときにのみ、締め付けブロック３６の誘導面に沿って引いた後で接続機構３００を口腔ビューア２００から外すことができ、それによって、接続機構３００が容易に後方に移動可能であるためにデンタルフロス１００が口腔ビューア２００から誤って外されるのを実質的に防止する。
【０１８７】
図９および図１０に示すように、可視観察システム２４はカメラシステム２４−１であり、カメラシステム２４−１は、カメラ２４−１−１と、データ処理および出力システム２４−１−２と、回路システム２５と、電源システム２２とを有する。
【０１８８】
カメラシステム２４−１のデータ処理および出力システム２４−１−２によって出力される映像データを、有線接続方法または無線接続方法で表示装置２４−１−３に表示することができ、表示装置２４−１−３は、スマートフォン２４−１−３１、コンピュータ２４−１−３２、液晶表示装置／テレビ２４−１−３３またはタブレットコンピュータ２４−１−３４などを有する。
【０１８９】
照明システム６は、カメラ２４−１−１の周囲に配置され、一般には照明のためにＬＥＤライトを採用する。
【０１９０】
図７ないし図８−１に示すように、口腔ビューア２００は防水設計を採用し、密封充電ポート２５−３のための密封装置２１−４を有する。密封装置２１−４は、密封リング２１−４−１と、加圧板２１−４−２と、スライド板２１−４−３とを有する。加圧板２１−４−２とスライド板２１−４−３とは、相対的に移動可能である。密封リング２１−４−１はハウジング２１の尾端の密封溝２１−４−０内に取り付けられ、加圧板２１−４−２は密封リング２１−４−１を押圧し、スライド板２１−４−３は加圧板２１−４−２を着脱可能に圧する。スライド板２１−４−３がハウジング２１の尾端のスライド板位置決めスロット３５−４−４内にスライドすると、スライド板２１−４−３は加圧板２１−４−２を押圧し、加圧板２１−４−２は密封リング２１−４−１を押圧して封止を形成し、スライド板２１−４−３が外側に押されると、スライド板２１−４−３はハウジング２１の尾端のスライド板位置決めスロット３５−４−４から外され、スライド板２１−４−３が持ち上げられ、加圧板２１−４−２が駆動されて持ち上げられ、加圧板２１−４−２の圧力が解放されて密封充電ポート２５−３を露出させ、封止が解除され、口腔ビューア２００の充電が可能になる。
【０１９１】
口腔ビューア２００は防水設計を採用しているため、口腔ビューア２００が充電を必要としないときは、スライド板２１−４−３がスライド板位置決めスロット３５−４−４内にスライドし、密封リング２１−４−１が封止を形成し、このとき、口腔ビューア２００は良好な防水性を有し、便利に洗浄および清掃することができる。
【０１９２】
デンタルフロス１００のフロス１１は、口腔ビューア２００の可視観察システム２４の視野内にある。したがって、デンタルフロスと歯間の隙間とを明瞭に見ることができ、それによって使用時に直視状態で歯間を便利に清掃および処置することができるとともに、歯間の清掃効果をリアルタイムで観察することができる。本発明の可視可視デンタルフロス９０１は、携帯および組み立てが便利であり、使用の柔軟性がある。
【０１９３】
実施形態２：本発明によるねじ込み接続型可視可視デンタルフロス
【０１９４】
図５ないし図６−１に示すように、本実施形態と実施形態１との相違は、本実施形態の接続機構３００がねじ込み接続機構３３である点にある。
【０１９５】
本実施形態では、デンタルフロス１００の取り付け基部１３がねじ山１３−３を備え、ねじ込み接続機構３３はねじ山１３と合致され、口腔ビューア２００のハウジングのヘッド２１−１に配置される。デンタルフロス１００を回転させることによって、デンタルフロス１００のねじ山１３−３をねじ込み接続機構３３に取り付けることができ、デンタルフロス１００を逆方向に回転させることによって、デンタルフロス１００のねじ山１３−３をねじ込み接続機構３３から取り外すことができる。このとき、取り付け基部１３のねじ山１３−３はねじ型またはボルト型として設定されてよく、接続機構３００のねじ込み接続機構３３は対応するナットであり、その逆に、取り付け基部１３のねじ山１３−３がナット型として設定されてもよく、接続機構３００のねじ込み接続機構３３は対応するねじまたはボルトである。
【０１９６】
デンタルフロス１００のねじ山１３−３を回転させることによって、デンタルフロス１００のフロス１１と口腔ビューア２００のハウジングのヘッド２１−１の中心線との間の内角δを調整することができる。したがって、内角βは、異なる部分の歯の角度に応じて適時に調整することができ、それによってデンタルフロスが便利に歯間に入り、歯間を清掃することができる。
【０１９７】
内角δの調整可能性を実装するために、本実施形態ではねじ構造が採用される。当然ながら、内角βの調整は、凹凸嵌合構造、中度締り嵌め構造などの受動機械構造を採用することによって、またはモータの動力伝達などの能動電気制御方法によって実装可能である。
【０１９８】
実施形態１と比較すると、本実施形態では、デンタルフロス１００のフロス１１と口腔ビューア２００のハウジングのヘッド２１−１の中心線との間の内角δをねじ山１３−３を回転させることによって調整することができ、使用時には、異なる歯間角度によりよく適応するように内角δを異なる位置の歯間の角度に応じて適時に調整することができ、したがって使用プロセスがより好都合である。
【０１９９】
本願は、デンタルフロス１００と口腔ビューア２００とが互いに着脱可能に接続される技術的解決策を開示する。この接続方法では、接続機構３００は独立の構成であってよく、デンタルフロス１００と口腔ビューア２００とにそれぞれ接続されてデンタルフロス１００と口腔ビューア２００とを一体に接続する。接続機構３００は、全体がデンタルフロス１００または口腔ビューア２００とともに製造されてもよく、その後、口腔ビューア２００またはデンタルフロス１００に接続されて一体に形成してもよい。したがって、接続機構３００がデンタルフロス１００または口腔ビューア２００のうちの一方との着脱可能機械的接続を実現する限り、デンタルフロス１００と口腔ビューア２００との着脱可能接続が実現可能である。
【０２００】
本願の実施形態は、凹凸嵌合およびねじ込み接続方法の接続機構３００を具体的に開示しているに過ぎない。機械的接続機構は、スライドスロット接続、ピン接続、キー接続、ねじ接続、バックル接続、フック接続または締り嵌め接続などであってよい。当然ながら、当業者は本願の保護範囲から逸脱することなく他の機械的接続方法を選択することができる。
【０２０１】
さらに、デンタルフロス１００と口腔ビューア２００とが、接続機構３００を介して一体に、互いに着脱不能に接続されてもよい。対応する構造については本願の実施形態では具体的には説明しないが、それらの構造も本願の保護範囲から逸脱しない。
【０２０２】
実施形態３：本発明によるスリーブスライドバー型可視口腔鉗子
【０２０３】
図１１ないし図１２−８に示すように、本実施形態の可視口腔鉗子９０２は、口腔鉗子４００と、口腔ビューア２００と、接続機構３００とを有する。
【０２０４】
口腔鉗子４００は、顎部４１と、開閉機構４２と、取り付け基部４３とを有する。口腔鉗子４００の顎部４１は、左アーム４１−１と右アーム４１−２とを有し、左アーム４１−１と右アーム４１−２との間に締り嵌め構造が形成され、このような顎部は食物残渣、魚の骨またはその他の口腔異物を把持することができる。顎部４１の開閉運動を制御することができる開閉機構４２は取り付け基部４３に配置される。
【０２０５】
本実施形態では、口腔鉗子４００の顎部４１は弾性材料からなり、外力が加えられていないときには顎部４１は開いたままである。顎部４１の後端は取り付け基部４３に固定され、接続機構３００を介して口腔ビューア２００と着脱可能に接続される。顎部４１の先端は開閉機構４２のスリーブ４２−２の孔４２−２−１を通過する。開閉機構４２のプッシュロッド４２−１を前方に押すことによって、スリーブ４２−２が顎部４１の先端に向かって移動し、顎部４１の左アーム４１−１と右アーム４１−２とが挟み合うまで顎部４１を閉じ、開閉機構４２のプッシュロッド４２−１を後方に押すことによって、スリーブ４２−２が顎部４１の後端に向かって移動し、顎部４１の弾性力の作用により顎部４１の左アーム４１−１と右アーム４１−２とが開かれる。
【０２０６】
弾性材料は、ポリウレタン材料（ＰＵ）、ポリプロピレン材料（ＰＰ）、弾性ステンレススチール、形状記憶金属などの、弾性ポリマー材料、弾性金属材料、金属−プラスチック複合弾性材料などを有するがこれらには限定されない医用弾性材料を採用する。
【０２０７】
本実施形態の口腔鉗子４００の顎部４１は弾性医用ステンレススチールまたはチタン−ニッケル形状記憶合金からなる。
【０２０８】
図１２−３、図１２−４、図１２−７および図１３に示すように、口腔鉗子４００の顎部４１は、互いに噛み合う咬合歯４１−３を備え、それによって咬合力が強化される。
【０２０９】
図１２−３および図１２−４を参照し、図１１−５および図１１−７に示すように、口腔鉗子４００の取り付け基部４３は、口腔ビューア２００と接続するために使用される位置決めブロック３２を備える。
【０２１０】
図１２−３、図１２−４、図１２−７、および図１２−８に示すように、本実施形態では、本発明の顎部４１はまず、汎用加工技術によるチタン−ニッケル形状記憶合金から作られる。次に、顎部４１の左アーム４１−１と右アーム４１−２とが取り付け基部４３の先端に対して露出され、外力が加えられていないときに開き状態に維持されるように、金属―プラスチックカプセル化汎用技術の汎用技術により顎部４１の尾端が取り付け基部４３に固定される。
【０２１１】
取り付け基部４３はスライドスロット４３−２を備え、スライドスロット４３−２と開閉機構４２のプッシュロッド４２−１上のスライドブロック４２−１−１とが滑りばめを形成し、スライドブロック４３−１−１はスライドスロット４３−２に沿ってスライドすることができる。
【０２１２】
取り付け基部４３は位置決めブロック３２を備え、位置決めブロック３２は口腔ビューア２００のハウジング２１の位置決めスロット３５にはめ込まれることができ、取り付け基部４３はハウジング２１の口腔鉗子取り付けスロット２１−３にはめ込まれることができ、取り付け基部４３の尾端が口腔ビューア２００のハウジング２１の締め付けブロック３６を押さえ、締め付けブロック３６によって固定される。
【０２１３】
図１２−５、図１２−６、図１２−７および図１２−８に示すように、開閉機構４２はプラスチックからなり、プラスチック汎用技術により射出成形されてもよい。開閉機構４２はプッシュロッド４２−１とスリーブ４２−２とを有する。スリーブ４２−２は孔４２−２−１を備え、顎部４１が孔４２−２−１を通過することができる。プッシュロッド４２−１の後端はプッシュブロック４２−１−２を備え、プッシュブロック４２−１−２は開閉機構４２を指で前後に動かすのに好都合である。プッシュブロック４２−１−２は、スライドスロット４２−１−２１を備え、スライドスロット４２−１−２１は口腔ビューア２００のハウジング２１の支持リブ板２１−２に収まることができる。スライドスロット４２−１−２１の内側にスライドブロック４２−１−２２を備え、スライドブロック４２−１−２２は口腔ビューア２００のハウジング２１の支持リブ板２１−２の外側にある位置決めスライドスロット２１−２−１にはめ込まれることができ、位置決めスライドスロット２１−２−１に沿って前後にスライドすることができる。
【０２１４】
組み立て時、顎部４１の先端の左アーム４１−１と右アーム４１−２とが閉じられ、顎部４１の先端がスリーブ４２−２の貫通孔４２−２−１を通過し、スライドブロック４２−１−１がスライドスロット４３−２に沿ってスライドされ、開閉機構４２が取り付け基部４３に取り付けられ、これによって口腔鉗子４００の組み立てが完了する。
【０２１５】
図１１−５、図１１−７および図１−３に示すように、口腔ビューア２００は、ハウジング２１と、電源システム２２と、照明システム２３と、可視観察システム２４と、回路システム２５と、スイッチ２６とを有し、照明システム２３と、可視観察システム２４と、回路システム２５と、電源システム２２とはハウジング２１の内部ハウジング２１の内部に取り付けられ、スイッチ２６はハウジング２１に取り付けられ、照明システム２３と、可視観察システム２４と、電源システム２２と、スイッチ２６とは回路システム２５を介して接続される。
【０２１６】
可視観察システム２４はカメラシステム２４−１であり、カメラシステム２４−１はカメラ２４−１−１と、データ処理および出力システム２４−１−２と、回路システム２５と、電源システム２２とを有する。
【０２１７】
図１６および図１７に示すように、カメラシステム２４−１のデータ処理および出力システム２４−１−２によって出力される映像データを有線接続方法または無線接続方法で表示装置２４−１−３に表示することができ、表示装置２４−１−３は、スマートフォン２４−１−３１、コンピュータ２４−１−３２、液晶表示装置２４−１−３３、テレビ２４−１−３４または任意のその他の表示装置を有する。
【０２１８】
照明システム２３はカメラ２４−１−１の周囲に配置される。照明を向上させるため、照明の輝度を調整するための追加のＬＥＤライトを口腔ビューア２００のハウジング２１に配置してもよい。
【０２１９】
口腔ビューア２００は防水設計を採用し、それによって清掃および操作を容易にする。
【０２２０】
口腔鉗子４００は、顎部４１が口腔ビューア２００の可視観察システム２４の視野に入るように接続機構３００を介して口腔ビューア２００に取り付けられ、それによって可視を容易にする。
【０２２１】
口腔ビューア２００のハウジング２１は位置決めスロット３５と締め付けブロック３６とを備える。口腔鉗子４００の位置決めブロック３２は位置決めスロット３５にはめ込まれることができ、締め付けブロック３６は口腔鉗子４００の取り付け基部４３が後方にスライドするのを防止することができる。位置決めブロック３２と、位置決めスロット３５と、締め付けブロック３６との連係が接続機構３００を構成し、位置決めブロック３２は位置決めスロット３５と合致され、それによって口腔ビューア２００のハウジング２１での口腔鉗子４００の上下左右の動きを制限する。締め付けブロック３６は取り付け基部４３の尾端を押さえ尾端を押え、それによって取り付け基部４３が取り付け基部４３の取り付けスロット２１−３にはめ込まれ、したがって口腔鉗子４００の前方および後方への動きが制限され、それによって口腔鉗子４００が口腔ビューア２００のハウジング２１に取り付けられて固定され、る。締め付けブロック３６が押し下げられて取り付け基部４３の尾端に対する締め付けブロック３６の締め付けの制限作用を解除し、それによって取り付け基部４３を後方に引くことができ、口腔鉗子４００を口腔ビューア２００から取り外すことができる。
【０２２２】
さらに、当業者は、本発明で開示されている技術的解決策に従って様々な特定の製品設計を行うことができ、特に、本特許の保護範囲から逸脱することなく口腔鉗子４００の形状および構造に関して多くの特定の設計を行うことができる。
【０２２３】
例えば、図１４および図１５に示すように、口腔鉗子４００の顎部４１は、人間の口腔の要件に合う湾曲部４１−４を有し、それによって異物の捕捉を容易にする。
【０２２４】
実施形態４：本発明によるヒンジ式可視口腔鉗子
【０２２５】
図１３、図１３−１および図１５に示すように、本実施形態では、口腔鉗子４００の顎部４１はヒンジ構造を採用し、角柱状に配置された４本のピン４１−５を備える。顎部４１の左アーム４１−１と右アーム４１−２とは、先端のピン４１−５を介してスリーブ４２−２上に可動式に取り付けられ、スリーブ４２−２は取り付け基部４３に配置され、接続機構３００を介して口腔ビューア２００に着脱可能に接続される。顎部４１の左アーム４１−１の後端と右アーム４１−２の後端とは、それぞれ、左側と右側でピン４１−５を介して左アーム接続ロッド４１−１−１と右アーム接続ロッド４１−２−１とに可動式に接続される。左アーム接続ロッド４１−１−１の後端と右アーム接続ロッド４１−２−１の後端が、後端に角柱状に配置されたピン４１−５を介して開閉機構４２のプッシュロッド４２−１の先端に接続される。そして、プッシュロッド４２−１が後方に押されると、顎部４１の左アーム４１−１と右アーム４１−２とがピン４１−５を中心に回転し、顎部４１の左アーム４１−１と右アーム４１−２とが挟み合うまで閉じられ、プッシュロッド４２−１が前方に押されると顎部４１の左アーム４１−１と右アーム４１−２とがピン４１−５を中心に回転し、顎部４１の左アーム４１−１と右アーム４１−２とが開かれる。
【０２２６】
本実施形態のヒンジ式可視口腔鉗子４００を接続機構３００を介して口腔ビューアのハウジング２１に着脱可能に取り付けるステップは、実施形態１と基本的に同じであり、ここでは繰り返さない。
【０２２７】
さらに、実施形態では、本発明の口腔鉗子４００がプッシュプル方法で開閉するように制御される本発明の可視口腔鉗子の２つの特定の構造のみを挙げている。口腔鉗子４００の開閉を制御するためのボタン型開閉機構の採用も、よい実践的選択肢である。ボタンが押し下げられると、口腔内の異物を捕捉するように口腔鉗子４００の顎部が閉じられることができ、ボタンが放されると、口腔鉗子４００の顎部が自然に開くことができ、それによって異物の捕捉が容易になる。
【０２２８】
口腔鉗子４００の開閉機構４２は、スリーブスライドバー開閉機構、ヒンジ式開閉機構、レバー制御開閉機構、ボタン制御開閉機構、ばね制御開閉機構、プッシュプル制御開閉機構または回転制御開閉機構を有するがこれらには限定されない。当業者は、本特許の保護範囲から逸脱することなく、本発明で開示されている技術的解決策に従って様々な特定の製品設計を行うことができる。
【０２２９】
接続機構３００は着脱可能な機械式接続機構である。接続機構３００は独立の構成であってよく、口腔鉗子４００、または口腔ビューア２００に配置されてよい。あるいは、接続機構３００は、着脱可能な機械式接続機構の一部を口腔鉗子４００に配置し、他の部分を口腔ビューア２００に配置することによって形成される組み合わせ型機械式接続機構であってもよい。
【０２３０】
機械的接続機構は、凹凸嵌合接続、スライドスロット接続、ピン接続、キー接続、ねじ込み接続、ねじ接続、バックル接続、フック接続、締り嵌め接続または任意のその他の接続機構を有する。当業者は、本特許の保護範囲から逸脱することなく、本発明で開示されている技術的解決策に従って様々な特定の製品設計を行うことができる。
【０２３１】
本発明の可視口腔鉗子９０２は、口腔鉗子４００と、口腔ビューア２００と、接続機構３００とを有する。口腔鉗子４００は、顎部４１と、開閉機構４２と、取り付け基部４３とを有する。口腔鉗子４００の顎部４１は、左アーム４１−１と右アーム４１−２とを有し、左アーム４１−１と右アーム４１−２との間に挟合締付構造が形成される。顎部４１の開閉動作を制御可能な開閉機構４２が、取り付け基部４３に配置される。口腔鉗子４００と口腔ビューア２００とは、接続機構３００を介して互いに着脱可能に接続される。口腔ビューア２００は照明システム２３と可視観察システム２４とを有し、有線方法または無線方法で可視映像をスマートフォンまたは任意のその他の表示装置に送信するため、本発明の可視口腔鉗子９０２を使用して、食物残渣、魚の骨またはその他の異物を口腔から直視状態で安全かつ便利に取り出すことができ、ユーザは取り出しプロセスと取り出し後の効果とを可視することができ、画像または映像の記録を行うことができる。
【０２３２】
実施形態５：本発明による可視口腔洗浄器
【０２３３】
図１８ないし図２２−３に示すように、本実施形態の可視口腔洗浄器９０３は、口腔洗浄器５００と、口腔ビューア２００と、接続機構３００とを備える。
【０２３４】
口腔洗浄器５００は、スプレーヘッド５１と、スプレーガン５２と、制御スイッチ５３と、圧力容器５４と、接続管５５と、継手５６とを有する。スプレーヘッド５１はスプレーガン５２の先端に配置され、スプレーガン５２内の流体を制御することができる制御スイッチ５３はスプレーガン５２に配置され、圧力容器５４内の流体は接続管５５と継手５６とを介してスプレーガン５２に接続される。
【０２３５】
口腔ビューア２００は、ハウジング２１と、電源システム２２と、照明システム２３と、可視観察システム２４と、回路システム２５と、スイッチ２６とを有し、照明システム２３と、可視観察システム２４と、回路システム２５と、電源システム２２とはハウジング２１の内部ハウジング２１の内部に取り付けられ、スイッチ２６はハウジング２１に取り付けられ、照明システム２３と、可視観察システム２４と、電源システム２２と、スイッチ２６とは回路システム２５を介して接続される。
【０２３６】
口腔洗浄器５００は接続機構３００を介して口腔ビューア２００に取り付けられる。
【０２３７】
スプレーヘッド５１は、口腔ビューア２００の可視観察システム２４の視野内にある。したがって、使用中、清掃個所の清掃効果をリアルタイムで観察することができ、使用プロセスがより好都合である。
【０２３８】
口腔洗浄器５００のスプレーヘッド５１は、人間の口腔の要件に合う湾曲部５１−２を有する。特に、歯の外側に沿った後側の臼歯を清掃する必要があるときは、この湾曲部５１−２によりスプレーヘッド５１が臼歯位置に円滑に達することができるようにすることが可能であり、したがって使用プロセスがより快適である。
【０２３９】
本実施形態では、制御スイッチ５３はスリーブスライドバー開閉機構を採用し、制御スイッチ５３は伸縮ばね５３−１と注水口５３−２とを有する。制御スイッチ５３が遠端に押されると、伸縮ばね５３−１が圧縮され、注水口５３−２が開き状態になり、圧力容器５４内に収容されている水が圧力の作用で注水口５３−２を介してスプレーガン５２に流入し、スプレーヘッド５１から噴射されて歯および口腔を清掃する。制御スイッチ５３が放されると、制御スイッチ５３は伸縮ばね５３−１の弾性力の作用で近端に移動し、注水口５３−２が閉じ状態になり、スプレーガン５２のスプレーヘッド５１は水を噴射しない。
【０２４０】
口腔洗浄器５００の制御スイッチ５３はまた、ボタン制御開閉機構、または回転制御開閉機構、またはソレノイド式スイッチなどであってよい。当然ながら、当業者は、本特許の保護範囲から逸脱することなく、本発明で開示されている技術的解決策に従ってその他の設計も行うことができる。
【０２４１】
口腔洗浄器５００のスプレーガン５２は、流体を通過させるための流路５２−１と、ハウジング５２−２と、取り付け基部５２−３とを有する。流路５２−１はハウジング５２−２の内部に配置され、取り付け基部５２−３はハウジング５２−２に配置され、取り付け基部５２−３は、口腔ビューア２００と接続可能な位置決めブロック３２を有する。
【０２４２】
接続機構３００は、着脱可能な機械的接続機構である。接続機構３００は、独立の構成であってよく、口腔洗浄器５００に配置されてよく、または口腔ビューア２００に配置されてもよい。あるいは、接続機構３００は、着脱可能な機械的接続機構の一部を口腔洗浄器５００に配置し、他の部分を口腔ビューア２００に配置することによって形成される組み合わせ型機械式接続機構であってもよい。
【０２４３】
本実施形態では、機械的接続機構は凹凸嵌合接続である。機械的接続機構は、スライドスロット接続、ピン接続、キー接続、ねじ込み接続、ねじ接続、バックル接続、フック接続または締り嵌め接続などであってよい。当業者は本特許の保護範囲から逸脱することなく本発明で開示されている技術的解決策に従って様々な特定の製品設計を行うことができる。
【０２４４】
本実施形態では、口腔ビューア２００のハウジング２１は、位置決めスロット３５と、スプレーガン５２に接続可能な締め付けブロック３６とを備える。スプレーガン５２上の位置決めブロック３２が位置決めスロット３５にはめ込まれることができ、締め付けブロック３６はスプレーガン５２の取り付け基部５２−３が後方にスライドするのを防止することができ、位置決めブロック３２と、位置決めスロット３５と、締め付けブロック３６との連係が、接続機構３００を構成する。
【０２４５】
図２２−１に示すように、可視観察システム２４はカメラシステム２４−１であり、カメラシステム２４−１は、カメラ２４−１−１と、データ処理および出力システム２４−１−２と、回路システム２５と、電源システム２２とを有する。
【０２４６】
図２５および図２６に示すように、カメラシステム２４−１のデータ処理および出力システム２４−１−２によって出力される映像データを有線接続方法または無線接続方法で表示装置２４−１−３に表示することができ、表示装置２４−１−３は、スマートフォン２４−１−３１、またはコンピュータ２４−１−３２、液晶表示装置２４−１−３３またはテレビ２４−１−３４を有する。
【０２４７】
照明システム２３はカメラ２４−１−１の周囲に配置される。照明を向上させるため、照明の輝度を調整するために追加のＬＥＤライトが口腔ビューア２００のハウジング２１に配置されてもよい。
【０２４８】
口腔ビューア２００は防水設計を採用し、それによって清掃と操作を容易にする。
【０２４９】
口腔洗浄器５００の圧力容器５４は、加圧器５４−１と、ハウジング５４−２と、流体収容空間５４−３とを有する。流体収容空間５４−３の圧力を増大させることができる加圧器５４−１はハウジング５４−２に取り付けられる。
【０２５０】
口腔洗浄器５００の圧力容器５４は、口腔ビューア２００の近端に取り付けることができる。圧力容器５４は、口腔ビューア２００の近端に着脱可能に取り付けられ、それによって取り付けが容易になる。使用後、圧力容器５４を口腔ビューア２００の近端から取り外すことができ、それによって保管および携帯が容易になる。当業者は、本特許の保護範囲から逸脱することなく、本発明で開示されている技術的解決策に従って他の設計も行うことができ、圧力容器５４を口腔ビューア２００の中央または口腔ビューア２００の側部など、口腔ビューア２００の他の部分に取り付けてもよく、またはスプレーガン５２と一体としてもよい。
【０２５１】
加圧器５４−１は機械式加圧器または電動加圧器である。機械式加圧器は一般に手動による圧力上昇を必要とするが、電動加圧器は、スイッチが押し下げられてオンにされた後は自動圧力上昇を行うことができ、圧力を安定に維持することができる。当業者は、本特許の保護範囲から逸脱することなく、本発明で開示されている技術的解決策に従って他の設計も行うことができる。
【０２５２】
本実施形態では、加圧器５４−１は手動式加圧器５４１である。手動式加圧器５４１は、前部逆止弁５４１−１と、後部逆止弁５４１−２と、弁筒５４１−３と、ピストン５４１−４と、プッシュロッド５４１−５と、コアロッド５４１−６とを有する。前部逆止弁５４１−１と、後部逆止弁５４１−２と、ピストン５４１−４と、コアロッド５４１−６とは弁筒５１４−３内に取り付けられる。プッシュロッド５４１−５の先端はピストン５４１−４を備え、前部逆止弁５４１−１はコアロッド５４１−６の遠端に配置され、後部逆止弁５４１−２はコアロッド５４１−６の近端に配置される。プッシュロッド５４１−５は、ピストン５４１−４を押して弁筒５４１−３内を往復させることができる。プッシュロッド５４１−５が外側に引かれると、前部逆止弁５４１−１が閉じ状態になり、圧力容器５４の流体収容空間５４−３内の流体は弁筒５４１−３内に流入することができず、後部逆止弁５４１−２が開き状態になり、外部流体が弁筒５４１−３内に流入することができる。プッシュロッド５４１−５が内側に押されると、後部逆止め弁５４１−２が閉じ状態になり、弁筒５４１−３内の流体が圧縮され、弁筒５４１−３内の圧力が増大し、圧力の作用により前部逆止弁５４１−１が開き状態になり、弁筒５４１−３内の圧縮された流体が前部逆止弁５４１−１を通って流体収容空間５４−３に流入し、このように繰り返すことによって圧力容器５４の流体収容空間５４−３内の圧力を連続的に上昇させることができる。
【０２５３】
前部逆止弁５４１−１は、前部伸縮ばね５４１−１−１と、前部逆止ブロック５４１−１−２と、前部密封リング５４１−１−３とを有し、前部伸縮ばね５４１−１−１は、前部逆止ブロック５４１−１−２の遠端を押さえ、前部密封リング５４１−１−３は前部逆止ブロック５４１−１−２の近端に配置される。後部逆止弁５４１−２は、後部伸縮ばね５４１−２−１と、後部逆止ブロック５４１−２−２と、後部密封リング５４１−２−３とを有し、後部伸縮ばね５４１−２−１は、後部逆止ブロック５４１−２−２の遠端を押さえ、後部密封リング５４１−２−３は後部逆止ブロック５４１−２−２の近端に配置され、後部逆止ブロック５４１−２−２は、流体を通すことができる貫通孔５４１−２−２１を備える。
【０２５４】
まず、スプレーガン５２が口腔ビューア２００の前部に取り付けられ、次に、圧力容器５４内に水が加えられ、圧力容器５４が口腔ビューア２００の近端に取り付けられ、圧力容器５４とスプレーガン５２とが継手５６を介して接続管５５によって接続され、これによって口腔ビューア２００への口腔洗浄器５００の取り付け作業が完了する。
【０２５５】
使用前に、加圧器５４−１によって圧力容器５４内の水圧が上げられる。口腔ビューア２００の可視観察システム２４により、携帯電話などの表示装置で歯または歯間を明瞭に見ることができ、食物残渣に照準を合わせることができる。制御スイッチ５３がオンにされ、スプレーガン５２のスプレーヘッド５１から水が噴射され、直視状態で歯と口腔とを清掃する。
【０２５６】
本発明の可視口腔洗浄器９０３は、口腔洗浄器５００と、口腔ビューア２００と、接続機構３００とを有する。口腔洗浄器５００は、スプレーヘッド５１と、スプレーガン５２と、制御スイッチ５３と、圧力容器５４と、接続管５５と、継手５６とを有する。スプレーヘッド５１は、スプレーガン５２の先端に配置され、制御スイッチ５３はスプレーガン５２に配置され、圧力容器５４内の流体が接続管５５と継手５６とを介してスプレーガン５２に接続される。口腔洗浄器５００は、接続機構３００を介して口腔ビューア２００に取り付けられる。スプレーガン５２のスプレーヘッド５１は口腔ビューア２００の可視観察システム２４の視野内にある。口腔洗浄器５００の圧力容器５４は、加圧器５４−１と、ハウジング５４−２と、流体収容空間５４−３とを有する。圧力容器５４内の水圧が加圧器５４−１によって上げられ、制御スイッチ５３がオンにされ、スプレーガン５２のスプレーヘッド５１から水が噴射され、ユーザは直視状態で歯および口腔を清掃することができ、清掃プロセスの画像および映像の記録を行うことができる。
【０２５７】
本発明の可視口腔洗浄器９０３は使用が好都合であり、歯間と歯肉と歯冠と口腔粘膜とをはっきり見るために使用することができ、食物残渣の位置をリアルタイムで見るためと、直視状態で食物残渣を清掃するためにも使用することができ、したがって使用プロセスが確実かつ好都合である。
【０２５８】
実施形態６：本発明による調整弁を備えた可視口腔洗浄器
【０２５９】
図２３ないし図２３−５に示すように、本実施形態と実施形態１との相違は、本実施形態では、口腔洗浄器５００のスプレーガン５２のスプレーヘッド５１が、噴射される流体の形状および速度を調整することができる調整弁５１−１を備える点にある。調整弁５１−１は、微細吐水口５１−１−１と調整コーン５１−１−２とを備え、調整バルブ５１−１を回転させることによって調整コーン５１−１−２と吐水口５１−１−１との間の隙間および対応関係を調整することができ、それによって噴射される水ジェットの形状および速度を調整する。当然ながら、当業者は、本特許の保護範囲から逸脱することなく、本発明で開示されている技術的解決策に従って他の設計を行うこともできる。
【０２６０】
さらに、図２４に示すように、口腔洗浄器５００の圧力容器５４は、注水口５４−４を備え、注水口５４−４は圧力容器５４のハウジング５４−２に配置され、接続ポート５４−４１と密封キャップ５４−４２とを有し、接続ポート５４−４１の遠端は圧力容器５４の流体収容空間５４−３と連通し、密封キャップ５４−４２は、接続ポート５４−４１に着脱可能に取り付けられる。注水口５４−４を加えることによって、圧力容器５４内の水が使い果たされた後で、歯のすすぎを行うために圧力容器５４に水を便利に補充することができる。
【０２６１】
当業者は、本発明で開示されている技術的解決策に従って様々な特定の製品設計を行うことができ、特に、本特許の保護範囲から逸脱することなく口腔洗浄器５００の形状および構造に関して多くの特定の設計を行うことができる。
【０２６２】
実施形態７：本発明による電動エアコンプレッサを有する可視口腔洗浄器
【０２６３】
図２７および図２７−１に示すように、本実施形態と実施形態１との相違は、本実施形態では、加圧器５４−１が電動加圧器５４２である点にある。
【０２６４】
本実施形態では、電動加圧器５４２は空気電動加圧器５４２−１であり、空気電動加圧器５４２−１は電動エアコンプレッサ５４２−５１である。
【０２６５】
図２７−１に示すように、本実施形態では、電動エアコンプレッサ５４２−５１は、空気吸入口５４２−５１−1と、空気注入管５４２−５１−２と、コンプレッサ５４２−５１−３とを有する。
【０２６６】
本実施形態では、圧力容器５４内に防水仕切り５４−５も配置される。防水仕切り５４−５は圧力容器５４を２つの独立した空間である流体収容空間５４−３と取り付け中間層５４−６とに分離する。仕切り５４−５は通気孔５４−５−１を備え、電動エアコンプレッサ５４２−５１の空気注入管５４２−５１−２の一端はコンプレッサ５４２−５１―３に接続され、他端が通気孔５４−５−１を通過した後、空気注入口５４２−５１−２１が水面の上方に配置される。取り付け中間層５４−６におけるハウジング５４−２が吸気孔５４−２−１を備え、それによって、電動エアコンプレッサ５４２−５１が動作するときに取り付け中間層５４−６に空気を適時に供給することができる。
【０２６７】
本実施形態では、電動エアコンプレッサ５４２−５１をより良好に駆動して動作させるように、電源システム２２は昇圧装置２２−１を備え、電源システム２２の電源２２−２と加圧器２２−１との間に接続基部２２−３が配置され、昇圧装置２２−１は電源システム２２の電圧を上昇させることができる。
【０２６８】
本実施形態では、口腔洗浄器５００は台座５７を備える。昇圧装置２２−１は台座５７内に取り付けられ、接続基部２２−３は台座５７上に取り付けられて電源２２−２に接続される。
【０２６９】
取り付け時は、まず、台座５７の下部カバー５７−１が取り外され、次にハウジング５４−２の底部の位置決めシート５４−２−２が取り外される。空気注入管５４２−５１−２のエルボ５４２−５１が取りおろされ、空気注入管５４２−５１−２の直管５４２−５１―２３が通気孔５４−５−１を通過し、他端がコンプレッサ５４２−５１−３に接続され、コンプレッサ５４２−５１−３が位置決めシート５４−２−２に取り付けられて固定され、、位置決めシート５４−２−２−がハウジング５４−２に再度取り付けられる。昇圧装置２２−１は台座５７の取り付けスロット５４−２内に取り付けられ、下部カバー５７−１がその上に置かれる。次に、ハウジング５４−２の上部カバー５４−２−３が開かれ、空気注入管５４２−５１−２のエルボ５４２−５１−２２が直管５４２−５１−２３に接続され、上部カバー５４−２−３がその上に置かれ、これによって電動エアコンプレッサ５４２−５１の取り付けが完了する。
【０２７０】
図２７に示すように、動作時、スイッチ２６がオンにされると、電源システム２２と電動エアコンプレッサ５４２−５１とが接続基部２２−３を介して接続され、昇圧装置２２−１によって電圧が昇圧された後、電動エアコンプレッサ５４２−５１が動作し、空気吸入口５４２−５１−１から電動エアコンプレッサ５４２−５１内に空気が吸い込まれ、エアコンプレッサ５４２−５１−３によって加圧され、空気注入管５４２−５１−２の空気注入口５４２−５１−２１を介して圧力容器５４の流体収容空間５４−３内に充填され、それによって水圧を上昇させる。制御スイッチ５３がオンにされると、加圧された水が流体収容空間５４−３の底部に配置された接続管５５を介してスプレーガン５２に流入し、スプレーヘッド５１から噴射されて歯を清掃する。
【０２７１】
本実施形態では、電動エアコンプレッサ５４２−５１は圧力容器５４の取り付け中間層５４−６に取り付けられ、それによって電動エアコンプレッサ５４２−５１を電源システム２２に便利に接続することができる。当然ながら、当業者は、電動エアコンプレッサ５４２−５１を圧力容器５４内の任意の位置に取り付けることができ、圧力容器５４の外部にでも取り付けることができ、空気注入口５４２−５１−２１が流体収容空間５４−３内の水面の上方に配置されて流体収容空間５４−３内の水を加圧することが可能である限り、本特許出願の保護範囲から逸脱しない。
【０２７２】
本実施形態では、水を加圧するために電動エアコンプレッサ５４２−５１が採用されているため、実施形態１と比較して、加圧プロセスがより安定し、操作に好都合である。
【０２７３】
実施形態８：本発明による水中ポンプを有する可視口腔洗浄器
【０２７４】
図２８ないし図２９−１に示すように、本実施形態と実施形態３との相違は、本実施形態では電動加圧器５４２が電動水圧器５４２−２である点である。
【０２７５】
本実施形態では、電動水圧器５４２−２は水中ポンプ５４２−２１である。
【０２７６】
水中ポンプ５４２−２１は、注水システム５４２−２１−１と、加押圧しステム５４２−２１−２と、吐水システム５４２−２１−３とを有する。
【０２７７】
水中ポンプ５４２−２１は、流体収容空間５４−３の下部に取り付けられ、吐水システム５４２−２１−３は接続管５５に接続され、電力システム５４２−３が電源システム２２に接続される。そして電源システム２２が水中ポンプ５４２−２１に給電した後、加押圧しステム５４２−２１−２が動作して注水システム５４２−２１−１を介して水中ポンプ５４２−２１に流入する流体を加押圧し、加圧された流体が接続管５５を介して排水システム５４２−２１−３によって吐出されて歯を洗浄する。
【０２７８】
取り付け時、台座５７の下部カバー５７−１が開かれ、圧力容器５４のハウジング５４−２の底部の位置決めシート５２−２−２が取り外され、水中ポンプ５４２−２１が位置決めシート５４−２−２上に取り付けられ、吐水システム５４２−２１−３の吐水口５４２−２１−３１が接続管５５に接続され、位置決めシート５４−２−２がハウジング５４−２に取り付けられる。次に、昇圧装置２２−１が台座５７の取り付けスロット５７−２内に取り付けられ、下部カバー５７−１がその上に置かれ、これによって水中ポンプの取り付けが完了する。
【０２７９】
図２８および図２８−１に示すように、本実施形態では、スイッチ２６は制御スイッチ５３である。図２９および図２９−１に示すように、使用時、水面が注水システム５４２−２１−１の注水口５４２−２１−５１を超える必要があり、制御スイッチ５３がオンにされると、昇圧装置２２−１によって昇圧された電源システム２２が加押圧しステム５４２−２１−２を駆動して動作させ、注水システム５４２−２１−１の注水口５４２−２１−５１から加押圧しステム５４２−２１−２に水が流入し、加押圧しステム５４２−２１−２が水を加押圧した後、吐水システム５４−２１−３の吐水口５４２−２１−３１から吐出された後で水が接続管５５に流入し、接続管５５内の加圧された水がスプレーガン５２に流入し、スプレーヘッド５１から噴射されて歯を洗浄する。
【０２８０】
本実施形態では、取り付け空間を分離するための仕切りを追加で配置することなく、水中ポンプ５４２−２１を直接水中に取り付けることができ、したがって圧力容器５４は製造がより簡素であり、さらに、加押圧しステム５４２−２１−２に水が直接流入して加圧され、したがって加圧プロセスがより直接的であり、加圧度が流体収容空間５４−３の容積の影響を受けず、したがって加圧プロセスがより安定している。
【０２８１】
一方、防水と密封とをより良好に行うために、電源システム２２は水中ポンプ５４２−２１を動作させるために電磁駆動などの非接触方法で駆動してもよい。
【０２８２】
実施形態９：本発明による送水ポンプを有する可視口腔洗浄器
【０２８３】
図３０ないし図３０−１に示すように、本実施形態と実施形態４との相違は、本実施形態では電動水圧器５４２−２が送水ポンプ５４２−２２である点である。
【０２８４】
本実施形態では、送水ポンプ５４２−２２は、ポンプシステム５４２−２２−１と、真空吸引システム５４２−２２−２と、吐水システム５４２−２２−３と、電力システム５４２−３とを有する。ポンプシステム５４２−２２−１は、ポンプ管５４３−２２−５２を有する。電力システム５４２−３は、スイッチ２６と、昇圧装置２２−１と、接続基部５４２−３３とを有する。
【０２８５】
図３０に示すように、吐水システム５４２−２２−３は接続管５５に接続され、昇圧装置２２−１によって昇圧された電源システム２２が送水ポンプ５４２−２２に給電し、真空吸引システム５４２−２２−２が動作してポンプシステム５４２−２２−１を介して流体収容空間５４−３内の流体を送水ポンプ５４２−２２内に吸引し、加圧された液体が接続管５５を介して吐水システム５４２−２２−３によって吐出され、歯を清掃する。
【０２８６】
本実施形態では、実施形態３のように、圧力容器５４が防水仕切り５４−５も備える。防水仕切り５４−５は圧力容器５４を２つの独立した空間である流体収容空間５４−３と取り付け中間層５４−６とに分離し、送水ポンプ５４２−２２が取り付け中間層５４−６内に取り付けられる。
【０２８７】
本実施形態では、防水仕切り５４−５が排水孔５４−５−２と吐水孔５４−５−３とを備える。
【０２８８】
ポンプ管５４３−２２−５２のポンプポート５４２−２２−５１は、排水孔５４−５−２を介して流体収容空間５４−３の底部に配置される。接続管５５が吐水孔５４−５−３を通過し、送水ポンプ５４２−２２の吐出孔５４２−２２−３１に接続される。
【０２８９】
取り付け時、まず、台座５７の下部カバー５７−１が取り外され、次にハウジング５４−２の底部の位置決めシート５４−２−２が取り外される。ポンプ管５４３−２２−５２が排水孔５４−５−２を通過し、他端が送水ポンプ５４２−２２に接続され、一方、接続管５５が吐水孔５４−５−３を通過し、送水ポンプ５４２−２２の吐水口５４２−２２−３１に接続される。次に、送水ポンプ５４２−２２が位置決めシート５４−２−２に取り付けられて固定され、、位置決めシート５４−２−２がハウジング５４−２に再度取り付けられる。昇圧装置２２−１が台座５７の取り付けスロット５７−２内に取り付けられ、下部カバー５７−１がその上に置かれ、これによって送水ポンプ５４２−２２の取り付けが完了する。
【０２９０】
本実施形態では、スイッチ２６は制御スイッチ５３である。動作時、制御スイッチ５３がオンにされると、電源システム２２が送水ポンプ５４２−２２を駆動して動作させ、ポンプシステム５４２−２２−１のポンプポート５４２−２２−５１を介して送水ポンプ５４２−２２の真空吸引システム５４３２−２２−２によって送水ポンプ５４２−２２−２内に水が吸引され、吐水システム５４２−２２−３の吐水口５４２−２２−３１から接続管５５内に吐出され、加圧された水が接続管５５を通ってスプレーガン５２に流入し、スプレーヘッド５１から噴射されて歯を清掃する。
【０２９１】
本実施形態では、送水ポンプ５４２−５２が圧力容器５４の取り付け中間層５４−６内に取り付けられ、それによって送水ポンプ５４２−２２を電源システム２２に便利に接続することができる。当然ながら、当業者は送水ポンプ５４２−２２を圧力容器５４内の任意の位置に取り付けることができ、圧力容器５４の外部にでも取り付けることができ、ポンプシステム５４２−２２−１のポンプポート５４２−２２−５１が流体収容空間５４−３内の水の底部に配置されて流体収容空間５４−３内の水が送水ポンプ５４２−２２内に吸引されることができ、加圧および吐出されることができる限り、本特許出願の保護範囲から逸脱しない。
【０２９２】
実施形態４と比較すると、本実施形態では、送水ポンプ５４２−２２が水から分離されるため、機器が長期間、水につかっていた後で発生する可能性のある有害物質が侵出するのを実質的に防止することができ、したがって長期使用にとってより安全である。
【０２９３】
実施形態１０：本発明による多機能可視口腔洗浄器
【０２９４】
図３１ないし図３４−２に示すように、本実施形態と実施形態４との相違は、本実施形態ではスプレーヘッド５１とスプレーガン５２とが可視観察システム２４の口腔ビューア２００の近傍の位置に組み付けられ、スプレーガン５２のスプレーヘッド５１によって噴射される水ジェットが可視観察システム２４の視野内にある点である。
【０２９５】
図３１ないし図３４−２に示すように、本実施形態では、口腔ビューア２００の先端は歯間ブラシ７００、デンタルフロス１００、歯ブラシ６００、口腔鉗子４００または任意のその他の特殊な歯清掃器具も、接続機構３００を介して着脱可能に備える。多機能可視口腔洗浄器は、可視下で歯を水で洗浄するために使用することができ、歯間ブラシ７００、デンタルフロス１００、歯ブラシ６００または口腔鉗子４００を使用して、可視下で歯または歯間を清掃するため、または、歯間および清掃が困難なその他の個所の食物残渣および歯肉に付着した異物を取り除くためにも使用することができる。
【０２９６】
図３１ないし図３１−２に示すように、口腔ビューア２００の先端が接続機構３００を介して歯間ブラシ７００を着脱可能に備える。本実施形態では、歯間ブラシ７００は組み込み歯間ブラシ７０１である。組み込み歯間ブラシ７０１は、ブラシ本体７１と送り込み装置７２とを有する。送り込み装置７２は、ガイドヘッド７２−１とスライド機構７２−２とを有し、ガイドヘッド７２−１はエルボ管７２−１−１−１を有する。スライド機構７２−２を押すことによって、送り込み装置７２の先端においてブラシ本体７１がエルボ管７２−１−１−１内で往復することができる。
【０２９７】
スプレーヘッド５１の噴射における水流の方向が、歯間ブラシ７００のブラシヘッド７１−１−１が歯間に入る方向と実質的に同じであることが特に重要であり、それにより、歯間ブラシ７００のブラシヘッド７１−１−１が歯間内で往復し、清掃している間、スプレーヘッド５１の噴射点における水流が、歯間の食物残渣を洗浄するのを補助することができる。したがって、口腔洗浄器５００が歯を洗浄するために使用されるとき、歯間ブラシ７００を歯間または食物残渣を水で容易にすすぎ出すことができない狭い隙間を洗浄するために使用することができる。スライド機構７２−２が押されてブラシ本体７１のブラシヘッド７１−１−１を駆動して直視状態で往復させ、食物残渣を隙間から押し出すか、または食物残渣を解放する。このとき、口腔洗浄器５００のスプレーヘッド５１から噴射される水ジェットの補助作用により、すすぎにくい歯間の直接固定点清掃を効果的に行うことができる。
【０２９８】
図３２ないし図３２−２−に示すように、口腔ビューア２００の先端が接続機構３００を介してデンタルフロス１００を着脱可能に備える。デンタルフロス１００は、フロス１１と、ブラケット１２と、取り付け基部１３とを有する。デンタルフロス１００のフロス１１は、可視観察システムの視野内にある。歯間ブラシ７００が入り込めない特に狭い一部の歯間の場合、追加的清掃のためにデンタルフロス１００を使用することができる。清掃時、可視のために可視観察システム２４を使用するときに、デンタルフロス１００を前後に動かすことによって、特に狭い歯間を清掃するために小型のフロス１１が使用される。
【０２９９】
さらに、スプレーヘッド５１の噴射点における水流の方向は、デンタルフロス１００が歯間に入る方向と実質的に同じであり、したがってデンタルフロス１００のフロス１１が歯間で往復し、清掃を行っている間、スプレーヘッド５１の噴射点における水流が歯間の食物残渣を洗浄するのを補助することができる。したがって、歯を洗浄するために口腔洗浄器５００が使用されるとき、デンタルフロス１００のフロス１１を、歯間または食物残渣を水ですすぎ出すことが容易にできない狭い隙間に使用することができる。デンタルフロス１００のフロス１１を、直視状態で、隙間から食物残渣を取り出すため、または食物残渣を動かすために振動させ、このとき、口腔洗浄器５００のスプレーヘッド５１によって噴射される水ジェットの補助作用により、洗浄するのが困難な歯間の直接固定点清掃を効果的に行うことができる。
【０３００】
図３３ないし図３３−２に示すように、口腔ビューア２００の先端が接続機構３００を介して歯ブラシ６００を着脱可能に備え、歯ブラシ６００は可視観察システム２４の視野内に位置づけられる。歯磨きプロセスにおいて歯を磨くために歯ブラシ６００を使用しながら、口腔洗浄器５００をすすぎのために使用してもよく、それによって歯磨きプロセスがより直視的となり、口腔をより徹底的に清掃することができる。
【０３０１】
図３４ないし図３４−２に示すように、口腔ビューア２００の先端が接続機構３００を介して口腔鉗子４００を着脱可能に備える。食物残渣が歯間に付着するか、または異物が歯肉若しくはその他の軟組織に刺さった場合、口腔鉗子４００のグリップを押したり引いたりすることによって口腔鉗子４００を制御して開閉させることができ、直視状態で、付着した食物残渣または刺さった異物を安全かつ便利に取り出すことができる。
【０３０２】
上述の各実施形態と比較すると、本実施形態の本発明の可視口腔洗浄器では、口腔ビューア２００の先端が歯間ブラシ７００、デンタルフロス１００、歯ブラシ６００または口腔鉗子４００を備えることができるため、口腔の清掃プロセスにおいて、すすぎのために水を使用しながら必要に応じて清掃のために歯間ブラシ７００、デンタルフロス１００、歯ブラシ６００または口腔鉗子４００を使用することができ、図３５および図３６に示すように、特に、操作プロセスを様々な表示装置にリアルタイムで送信することができ、直視状態で、食物残渣に対して正確な固定点清掃を行うことができ、または口腔内の様々な異物を取り出すことができ、したがって清掃効果が大幅に向上し、使用プロセスがより確実かつ好都合である。
【０３０３】
ここでは、本出願人は、口腔ビューア２００の先端において歯洗浄器５００と同時に取り付け可能ないくつかの清掃器具を例示しているに過ぎない。当業者は、本特許出願の保護範囲から逸脱することなく、必要に応じて任意の他の清掃器具を設計することができる。
【０３０４】
実施形態１１：本発明による折り畳み式可視口腔洗浄器
【０３０５】
図３７ないし図３７−２に示すように、本実施形態と実施形態６との相違は、本実施形態では可視口腔洗浄器９０３が折り畳み式接続方法を採用する点にある。
【０３０６】
本実施形態における可視口腔洗浄器９０３の可視口腔洗浄器９０３の先端９０３−１と、可視口腔洗浄器９０３の本体９０３−２とが、折り畳み式接続機構９０３−４を介して接続される。
【０３０７】
本実施形態では、口腔洗浄器５００の先端５００−１と口腔洗浄器５００の本体５００−２と、口腔ビューア２００の先端２００−１と口腔ビューア２００の本体２００−２とが、折り畳み式接続機構９０３−４を介して同時に接続される。
【０３０８】
本実施形態では、折り畳み式接続機構９０３−４は回転軸接続機構である。折り畳み式接続機構９０３−４は回転軸９０３−４−１と回転軸孔９０３−４−２とを有する。回転軸９０３−４−１は回転軸孔９０３−４−２内で動くことができる。
【０３０９】
折り曲げ可能な可撓性回路を介して口腔ビューア２００の先端２００−１の回路２５−１が口腔ビューア２００の本体２００−２の回路２５−２と接続される。口腔ビューア２００の先端２００−１が折り畳み式接続機構９０３−４の回転軸９０３−４−１を中心に回転すると、口腔ビューア２００の先端２００−１が口腔ビューア２００の本体２００―２に対して展開または折り畳まれることができる。
【０３１０】
折り曲げ可能な可撓性水路を介して口腔洗浄器５００の先端５００−１の水路が口腔洗浄器５００の本体５００−２の水路に接続される。口腔洗浄器５００の先端５００−１が折り畳み式接続機構９０３−４の回転軸９０３−４−１を中心に回転すると、口腔洗浄器５００の先端５００−１が口腔洗浄器５００の本体５００−２に対して展開または折り畳まれることができる。
【０３１１】
さらに、折り畳み式接続機構９０３−４は、凹凸嵌合接続機構または他の種類の折り畳み式接続機構であってもよい。折り畳み式接続機構９０３−４が凹凸嵌合接続機構である場合、折り曲げ可能な可撓性回路を介して口腔ビューア２００の先端２００−１の回路２５−１が口腔ビューア２００の本体２００−２の回路と接続される。口腔ビューア２００の先端２００−１は凹凸嵌合機構を介して口腔ビューア２００の本体２００−２に対して展開または折り畳まれることができる。折り曲げ可能な可撓性水路を介して、口腔洗浄器５００の先端５００−１の水路が口腔洗浄器５００の本体５００−２の水路と接続され、口腔洗浄器５００の先端５００−１は凹凸嵌合機構を介して口腔洗浄器５００の本体５００−２に対して展開または折り畳まれることができる。
【０３１２】
折り畳み式接続機構９０３−４を使用して口腔ビューア２００と可視口腔洗浄器９０３の口腔洗浄器５００とが同時に接続されるため、可視口腔洗浄器９０３の先端９０３−１を折り畳み式接続機構９０３−４を中心に回転させるだけで、可視口腔洗浄器９０３の展開および折り畳みを行うことができ、それによって可視口腔洗浄器９０３は保管に便利であり、折り畳みと展開のプロセスがきわめて単純かつ便利である。
【０３１３】
実施形態１２：本発明による折り畳み式可視口腔洗浄器
【０３１４】
図３８ないし図３８−３に示すように、本実施形態と実施形態７との相違は、本実施形態では、可視口腔洗浄器９０３の先端９０３−１と本体９０３−２とが着脱可能方法で接続される点である。
【０３１５】
図３８ないし図３８−２に示すように、本実施形態では、可視口腔洗浄器９０３の先端９０３−１と可視口腔洗浄器９０３の本体９０３−２とが着脱可能接続機構９０３−３を介して接続される。
【０３１６】
着脱可能接続機構９０３−３を介して、口腔洗浄器５００の先端５００−１と口腔洗浄器５００の本体５００−２と、口腔ビューア２００の先端２００−１と口腔ビューア２００の本体２００−２とが同時に接続される。
【０３１７】
本実施形態では、着脱可能接続機構９０３−３は、接続固定機構９０３−３−１と、電気継手９０３−３−２と、水継手９０３−３−３とを有する。
【０３１８】
接続固定機構９０３−３−１は、口腔洗浄器５００の先端５００−１と口腔ビューア２００の先端２００−１とを、口腔洗浄器５００の本体５００−２と口腔ビューア２００の本体２００−２とに同時にそれぞれ固定し、接続することができる。
【０３１９】
電気継手９０３−３−２は、口腔ビューア２００の先端２００−１の回路２５−１を本体２００−２の回路２５−２に接続することができる。水継手９０３−３−３は、口腔洗浄器５００の先端５００−１の水路を本体５００−２の水路に接続することができる。
【０３２０】
図３８−３に示すように、本実施形態では、接続固定機構９０３−３−１は回回転型接続固定機構であり、接続固定機構９０３−３−１は内側ねじ９０３−３−１１と、回転止めブロック９０３−３−１２と、接続構成９０３−３−１３と、外側ナット９０３−３−１４とを有する。
【０３２１】
内側ねじ９０３−３−１１は、可視口腔洗浄器９０３の先端９０３−１に接続される。
【０３２２】
回転止めブロック９０３−３−１２は位置決め凸状段９０３−３−１２１を備え、接続構成９０３−３−１３の形状と合致させた形状の回転止めスロット９０３−３−１２２と回転止め凸状段９０３−３−１２３とを有する。
【０３２３】
接続構成９０３−３−１３はリミット凸状段９０３−３−１３１と、電気コネクタ９０３−３−１３２と、水管９０３−３−１３３とを備える。
【０３２４】
外側ナット９０３−３−１４は可視口腔洗浄器９０３の本体９０３−２に接続される。外側ナット９０３−３−１４の下端は接合台９０３−３−１４１を備える。
【０３２５】
口腔ビューア２００の先端２００−１における回路２５−１のインターフェース２５−１−１と、口腔洗浄器５００の先端５００−１における吐水管５５−１のインターフェース５５−１−１とが、接続構成９０３−３−１３の上端に配置される。
【０３２６】
口腔ビューア２００の本体２００−２の回路２５−２のインターフェース２５−２−１と、口腔洗浄器５００の本体５００−２の吐水管５５−２のインターフェース５５−２−１とが、外側ナット９０３−３−１４の下端の接合台９０３−３−１４１に配置される。
【０３２７】
口腔ビューア２００の先端２００−１の回路２５−１のインターフェース２５−１−１と、口腔ビューア２００の本体２００−２の回路２５−２のインターフェース２５−２−１とが、接続構成９０３−３−１３の電気コネクタ９０３−３−１３２を介して接続されて、電気継手９０３−３−２を構成する。口腔洗浄器５００の先端５００−１の吐水管５５−１のインターフェース５５−１−１が接続構成９０３−３−１３の水管９０３−３−１３３の上端に接続され、口腔洗浄器５００の本体５００−２の吐水管５５−２のインターフェース５５−２−１が接続構成９０３−３−１３の水管９０３−３−１３３の下端と接続されて水継手９０３−３−３を構成する。
【０３２８】
図３８および図３８−１に示すように、取り付け時、接続構成９０３−３−１３が回転止めブロック９０３−３−１２の回転止めスロット９０３−３−１２２にはめ込まれ、回転止めブロック９０３−３−１２の回転止め凸状段９０３−３−１２３が接続構成９０３−３−１３のリミット凸状段９０３−３−１３１を押さえ、接続構成９０３−３−１３と回転止めブロック９０３−３−１２とが共に内側ねじ９０３−３−１１の取り付けスロット９０３−３−１１１内に取り付けられ、回転止めブロック９０３−３−１２の位置決め凸状段９０３−３−１２１が内側ねじ９０３−３−１１の位置決め溝９０３−３−１１２を押さえ、可視口腔洗浄器９０３の先端９０３−１が接続構成９０３−３−１３に接続され、これによって固定および接続機構９０３−３―１と可視口腔洗浄器９０３の先端９０３−１との間の接続が完了する。
【０３２９】
図３８−２に示すように、保管時、接続固定機構９０３−３−１の内側ねじ９０３−３−１１を回転させることによって、外側ナット９０３−３−１４と内側ねじ９０３−３−１１とが分離され、それによって可視口腔洗浄器９０３の先端９０３−１を本体９０３−２から分離することができ、可視口腔洗浄器９０３の先端９０３―１と本体９０３−２とをそれぞれ保管することができ、保管および携帯に便利である。
【０３３０】
可視口腔洗浄器を取り出して使用する必要があるときは、内側ねじ９０３−３−１１を逆方向に回転させることによって、外側ナット９０３−３−１４と内側ねじ９０３−３−１１とがしっかりと接続され、このとき、電気継手９０３−３−２を接続するように、口腔ビューア２００の先端２００−１の回路２５−１のインターフェース２５−１−１が口腔ビューア２００の本体２００−２の回路２５−２のインターフェース２５−２−１と接続され、水継手９０３−３−３を接続するように、口腔洗浄器５００の先端２００−１の吐水管５５−１のインターフェース５５−１−１が口腔洗浄器５００の本体５００−２の吐水管５５−２のインターフェース５５−２−１と接続される。図３８および図３８−１に示すように、本発明の可視口腔洗浄器は通常に歯を清掃するために使用することができる。
【０３３１】
本実施形態では、本出願人は、回転接続方法の接続固定機構９０３−３−１のみを挙げているに過ぎず、接続固定機構９０３−３−１は凹凸嵌合型接続固定機構、または磁気接続固定機構、またはその他の種類の着脱可能接続機構であってもよく、これらについては本出願人は本明細書では詳細には開示しないが、本特許出願の保護範囲から逸脱しない。
【０３３２】
本実施形態では、接続固定機構９０３−３−１は別個に配置される。電気継手９０３−３−２および／または水継手９０３−３−３の接続強度が十分であって、可視口腔洗浄器９０３を接続後に正常に使用することができることを保証可能な場合、接続固定機構９０３−３−１と電気継手９０３−３−２または水継手９０３−３−３とが一体に設計されてもよく、これについて本出願人は本明細書では記載しない。
【０３３３】
本実施形態では、可視口腔洗浄器９０３の先端９０３−１と本体９０３−２とが完全に取り外されてもよく、したがって保管および携帯がより便利となる。そして、先端９０３−１と本体９０３−２とが完全に取り外されるため、繰り返される回転と折り曲げることとによって生じる柔軟に接続された回路システムと水路システムの不測の破断を実質的に回避することができ、したがって長期の使用プロセスがより確実かつ信頼性が高い。
【０３３４】
実施形態１３：本発明による可視歯ブラシ
【０３３５】
図３９ないし図４０−３に示すように、本実施形態の可視歯ブラシ９０４は、歯ブラシ６００と、口腔ビューア２００と、接続機構３００とを有する。
【０３３６】
歯ブラシ６００は、ブラシヘッド６１と、ブラシロッド６２と、取り付け基部６３とを有する。
【０３３７】
本実施形態では、歯ブラシ６００のブラシヘッド６１は複数のブラシ毛６１−１を有し、ブラシヘッド６１は通常の歯ブラシの清掃効果を発揮することができる。
【０３３８】
ブラシヘッド６１はブラシロッド６２の先端に配置され、取り付け基部６３はブラシロッド６２の後端に配置される。
【０３３９】
本実施形態では、ブラシヘッド６１のブラシ毛６１−１は、ブラシロッド６２と一体に形成するように一体製造によりブラシロッド６２の先端に直接植毛される。当然ながら、ブラシヘッド６１は、様々な着脱可能方法でブラシロッド６２の先端に接続されてもよい。
【０３４０】
図３９図３９−１に示すように、ブラシヘッド６１は口腔ビューア２００の可視観察システム２４の視野内にあり、したがって、可視観察システム２４を介してブラシヘッド６１の清掃位置および清掃効果を明瞭に可視することができる。
【０３４１】
図４０に示すように、ブラシヘッド６１とブラシロッド６２との間の内角βは、９０°ないし１７０°の範囲内にある。ブラシヘッド６１が確実に口腔ビューア２００の可視観察システム２４の視野内に入ることができるようにするために、ブラシヘッド６１とブラシロッド６２との間の内角βは一般には９０°より大きく、可視効果を確実にするために、ブラシヘッド６１とブラシロッド６２との間の内角βは一般に６０°ないし１５０°に制御される。
【０３４２】
図４０ないし図４０−３に示すように、歯ブラシ６００のブラシヘッド６１とブラシロッド６２との間には、人間の口腔の要件に合う湾曲部６１−４がある。口腔の深い箇所を清掃するとき、ブラシヘッド６１とブラシロッド６２との間の人間の口腔の要件に合う湾曲部６１−４がブラシヘッド６１を口腔の深い清掃箇所まで便利に送り込むことができる。
【０３４３】
図３９−２および図３９−３に示すように、歯ブラシ６００の取り付け基部６３は、口腔ビューア２００と接続するために使用される位置決めブロック３２を備える。本実施形態では、取り付け基部６３とブラシロッド６２とは一体に製造される。取り付け基部６３は着脱可能接続方法でブラシロッド６２に接続されてもよく、これは本特許の保護範囲から逸脱しない。
【０３４４】
図４０ないし図４０−３に示すように、位置決めブロック３２は逆Ｔ字形構造であり、位置決めブロック３２の逆Ｔ字形位置にスライドスロット６３−２が形成される。
【０３４５】
口腔ビューア２００のハウジング２１は、位置決めスロット３５と、締め付けブロック３６と、取り付けスロット２１−３とを備える。位置決めブロック３２は口腔ビューア２００のハウジング２１の位置決めスロット３５にはめ込まれることができ、取り付け基部６３はハウジング２１の歯ブラシ取り付けスロット２１−３にはめ込まれることができ、取り付け基部６３の尾端は口腔ビューア２００のハウジング２１の締め付けブロック３６を押さえ、締め付けブロック３６によって固定される。位置決めブロック３２と、位置決めスロット３５と、締め付けブロック３６との連係が接続機構３００を構成する。
【０３４６】
すなわち、本実施形態では、逆Ｔ字形位置決めブロックとそのスライドスロット６３−２とが位置決めスロット３５と連係して口腔ビューア２００のハウジング２１での歯ブラシ６００の上下および左右の動きを制限する。締め付けブロック３６が取り付け基部６３の尾端を押さえ尾端を押え、それによって取り付け基部６３が取り付け基部６３の取り付けスロット２１−３にはめ込まれ、したがって歯ブラシ６００の前方および後方への動きが制限され、それによって、口腔ビューア２００のハウジング２１に歯ブラシ６００が取り付けられて固定され、る。取り付け基部６３の尾端に対する締め付けブロック３６の制限作用を解除するには、締め付けブロック３６が押し下げられ、それによって取り付け基部６３を後方に引き抜くことができ、歯ブラシ６００を口腔ビューア２００から取り外すことができる。
【０３４７】
本実施形態では、接続機構３００は着脱可能な機械式接続機構である。接続機構３００は着脱可能な機械式接続機構の一部を歯ブラシ６００に配置し、他の部分を口腔ビューア２００に配置することによって形成される組み合わせ型機械式接続機構であってもよい。当然ながら、接続機構３００は独立の構成であってもよく、別個に歯ブラシ６００に配置されるかまたは口腔ビューア２００に配置される。両方とも本特許出願の保護範囲から逸脱しない。着脱可能な機械式接続機構は、ユーザが歯ブラシ６００を交換するのに便利であり、したがって使用プロセスがより好都合かつ衛生的であるとともに、ユーザの使用コストが節約される。
【０３４８】
本実施形態では、機械的接続機械は凹凸嵌合接続方法を採用する。機械的接続方法は、スライドスロット接続、ピン接続、キー接続、ねじ込み接続、ねじ接続、バックル接続、フック接続、締り嵌め接続または様々なその他の接続方法であってもよい。当業者は、本特許の保護範囲から逸脱することなく、本発明で開示されている技術的解決策に従って様々な特定の製品設計を行うことができる。
【０３４９】
口腔ビューア２００は、ハウジング２１と、電源システム２２と、照明システム２３と、可視観察システム２４と、回路システム２５と、スイッチ２６とを有する。照明システム２３と、可視観察システム２４と、回路システム２５と、電源システム２２とはハウジング２１の内部ハウジング２１の内部に取り付けられ、スイッチ２６はハウジング２１に取り付けられ、照明システム２３と、可視観察システム２４と、電源システム２２と、スイッチ２６とは回路システム２５を介して接続される。
【０３５０】
さらに、図４−１に示すように、ハウジング２１は、可視歯ブラシがオンであるか、Ｗｉ―Ｆｉ接続がオンであるか、バッテリのエネルギーが十分であるかなど、本発明の可視歯ブラシの状態を表示するための状態表示灯２６−１も備えてよい。
【０３５１】
図４１ないし図４３に示すように、可視観察システム２４はカメラシステム２４−１であり、カメラシステム２４−１は、カメラ２４−１−１と、データ処理および出力システム２４−１−２と、回路システム２５と、電源システム２２とを有する。
【０３５２】
図４および図５に示すように、カメラシステム２４−１のデータ処理および出力システム２４−１−２によって出力される映像データを、有線接続方法または無線接続方法で表示装置２４−１−３に表示することができ、表示装置２４−１−３は、スマートフォン２４−１−３１、コンピュータ２４−１―３２、液晶表示装置２４−１−３３またはテレビ２４−１−３４を有する。
【０３５３】
使用中、カメラ２４−１−１が清掃プロセスの画像および映像の記録を行うことができ、データ処理および出力システム２４−１−２によって出力される映像データを表示装置２４−１−３にリアルタイムで表示することができ、ユーザは、どの位置が清掃されたか、およびどの位置がまだ清掃されていないかを明瞭に見るのに、表示装置２４−１−３に表示される清掃プロセスのリアルタイム画像を通して清掃プロセスをリアルタイムで観察するだけでよい。
【０３５４】
図４１ないし図４１−３に示すように、照明システム２３はカメラ２４−１−１の周囲に配置される。
【０３５５】
照明システム２３はＬＥＤ照明システム２３−１を採用する。
【０３５６】
カメラ２４−１−１は照明システム２３の熱影響域内にあり、照明システム２３が発生する熱によってカメラ２４−１−１を加熱することができ、それによって使用中にカメラ２４−１−１が曇りを生じることを抑制する。
【０３５７】
照明システム２３が発生する熱は、カメラ２４−１−１の温度を３５℃ないし４５℃に上昇させることができる。
【０３５８】
ハウジング２１は、カメラ２４−１−１近傍のハウジング２１−５の熱放散能力と照明システム２３が発生する熱との間の動的熱平衡を生じさせることができ、それによってカメラ２４−１−１と装着された防水レンズ２４−１−４との温度が３５℃ないし４５℃の範囲内に維持され、それによって曇り止めの目的が達成される。
【０３５９】
ＬＥＤ照明システム２３−１の照度を強め、カメラ２４−１−１の周囲の動的熱平衡を必要なレベルに達するように制御し、カメラ２４−１−１およびその周囲の温度が必要な温度範囲内に確実に維持されるようにするために、本実施形態では６個のＬＥＤライトがカメラ２４−１−１の周囲に配置される。一方では、複数のＬＥＤライトは、ＬＥＤ照明システム２３−１の照度を強め、カメラ２４−１−１の撮影プロセスの鮮明度を向上させ、他方では、ＬＥＤ照明システム２３−１のＬＥＤライトが発生する熱が、カメラ２４−１−１近傍のハウジング２１−５による熱放散後のカメラ２４−１−１とその装着防水レンズ２４−１−４との温度を３５ないし４５℃に維持し、それによって曇り止めの目的が達成される。
【０３６０】
カメラ２４−１−１の先端は防水レンズ２４−１−４を備え、防水レンズ２４−１−４に曇り止めコーティングが施される。防水レンズ２４−１−４に曇り止めコーティングが施された後は、防水レンズ２４−１−４の先端に小量の水蒸気が形成されて防水レンズ２４−１−４の表面に結露を形成したとしても、水滴の形態では存在せず、透明な水膜となり、カメラ２４−１−１の前面における霧現象を形成することができず、それによって曇り止め効果をさらに向上させる。
【０３６１】
口腔ビューア２００は防水設計を採用する。口腔ビューア２００が防水設計を採用するため、ユーザは本発明の可視歯ブラシを使用プロセス中に適時に清掃することができ、防水設計は、水または人間の導電性分泌物が口腔ビューア２００に入ることによって生じる、使用プロセス中のハウジング２１の内部ハウジング２１の内部の電源システム２２、照明システム２３、可視観察システム２４、回路システム２５、またはスイッチ２６の機能への影響を回避することもできるため、使用プロセスがより好都合かつ安全になる。
【０３６２】
使用時には、接続機構３００を介して歯ブラシ６００が口腔ビューア２００に取り付けられ、歯ブラシ６００のブラシヘッド６１が口腔ビューア２００の可視機能を使用して直視状態で口腔を清掃するために使用され、したがって清掃プロセスがきわめて好都合であり、特に口腔内の奥側の場合、口腔ビューア２００が清掃プロセスの画像および映像の記録を行うために使用され、データ処理および出力システム２４−１−２によって出力される映像データを表示装置２４−１−３にリアルタイムで表示することができ、ユーザは、どの位置が清掃され、どの位置がまだ清掃されていないかを明瞭に見るために、表示装置２４−１−３に表示される清掃プロセスのリアルタイム画像を通して清掃プロセスをリアルタイムで観察するだけでよい。
【０３６３】
本発明の可視歯ブラシ９０４を使用することによって、ユーザは直視状態で口腔を清掃することができ、清掃プロセスと清掃後の効果とを可視することができ、画像または映像の記録を行うことができ、それによって口腔の清掃プロセスがより明らかであり、より好都合かつ確実である。
【０３６４】
実施形態１４：本発明による１つのブラシ毛を有する可視歯ブラシ
【０３６５】
図４１ないし図４１−３に示すように、本実施形態と実施形態１との相違は、本実施形態では歯ブラシ６００のブラシヘッド６１が１つのブラシ毛６１−１のみを有する点である。
【０３６６】
ブラシ毛６１−１は、弾性シリカゲル、ポリウレタン材料（ＰＵ）、ポリプロピレン材料（ＰＰ）などの医用弾性材料からなる。
【０３６７】
本実施形態では、ブラシ毛６１−１の強度を強化するために、ブラシ毛６１−１の直径を大きくすることができ、したがって、歯肉に隣接して通常の歯ブラシでは容易に清掃することができない一部の隙間、特に歯と歯肉との組み合わせにおける食物残渣を効果的に取り除き、清掃するために本実施形態の単一ブラシ毛６１−１を使用することができる。さらに、本実施形態のブラシ毛６１−１は、良好な弾性と一定の強度とを有し、したがってブラシ毛６１−１は歯肉のマッサージのために使用されてもよい。
【０３６８】
実施形態１と比較すると、本実施形態の歯ブラシ６００は清掃機能とマッサージ効果とを有し、歯肉に隣接して通常の歯ブラシでは容易に清掃することができない隙間を清掃するのに特に適する。
【０３６９】
さらに、口腔ビューア２００の先端は、特殊な口腔形状を有する人の要求に合うように特定の湾曲部を有するようにさらに設計されてもよい。
【０３７０】
また、電源システム２５は、さらに無線充電方法でバッテリに充電してもよい。この無線充電方法は、構造を簡素化し、防水度を強化することができる。
【０３７１】
実施形態１５：本発明による逆Ｔ字形位置決めブロックを有する着脱可能可視歯間ブラシ
【０３７２】
図４４ないし図４９に示すように、本実施形態の着脱可能可視歯間ブラシ９０５は、組み込み歯間ブラシ７０１と、口腔ビューア２００と、接続機構３００とを有する。
【０３７３】
図４７ないし図４７−４に示すように、組み込み歯間ブラシ７０１は、ブラシ本体７１と送り込み装置７２とを有する。ブラシ本体７１は、送り込み装置７２の先端のエルボ管７２−１−１の内部に可動に配置される。
【０３７４】
口腔ビューア２００は、ハウジング２１と、電源システム２２と、照明システム２３と、可視観察システム２４と、回路システム２５と、スイッチ２６とを有する。照明システム２３と、可視観察システム２４と、電源システム２２とはハウジング２１の内部ハウジング２１の内部に取り付けられ、スイッチ２６はハウジング２１に取り付けられる。図４５ないし図４５−１に示すように、照明システム２３と、可視観察システム２４と、電源システム２２と、スイッチ２６とは、回路システム２５を介して接続される。
【０３７５】
図４４ないし図４６−１に示すように、組み込み歯間ブラシ７０１は、接続機構３００を介して口腔ビューア２００に着脱可能に取り付けられる。
【０３７６】
接続機構３００は着脱可能な機械式接続機構であり、独立の構成であってよく、または組み込み歯間ブラシ７０１上または口腔ビューア２００に配置されてもよい。図４７ないし図４７−４に示すように、本実施形態では、接続機構３００は組み込み歯間ブラシ７０１に配置され、組み込み歯間ブラシ７０１のガイドヘッド７２−１上の中央後部位置に固定され、図４４ないし図４９に示すように、次に、接続機構３００を介して組み込み歯間ブラシ７０１と口腔ビューア２００とが凹凸嵌合方法で着脱可能に一体に組み立てられる。
【０３７７】
本実施形態では、接続機構３００は、凹凸嵌合接続である機械的接続機構である。当然ながら、接続機構は、スライドスロット接続、ピン接続、キー接続、ねじ込み接続、ねじ接続、バックル接続、フック接続または締り嵌め接続などの他の機械的接続機構であってもよく、これらについては本明細書では記載しない。
【０３７８】
図４７ないし図４７−４に示すように、組み込み歯間ブラシ７０１のブラシ本体７１は、作用部７１−１と接続体７１−２とを有し、作用部７１−１は接続体７１−２の先端に配置され、送り込み装置７２は、ガイドヘッド７２−１とスライド機構７２−２とを有し、ガイドヘッド７２−１は送り込み装置７２の先端７２１に配置され、ガイドヘッド７２−１はエルボ管７２−１−１を有し、エルボ管７２−１−１の出口７２−１−２がガイドヘッド７２−１の端部７２−１−３に配置され、ブラシ本体７１がエルボ管７２−１−１内に取り付けられ、ブラシ本体７１の作用部７１−１はエルボ７２−１−１内でスライド可能であり、ブラシ本体７１の接続体７１−２は送り込み装置７２のスライド機構７２−２上に取り付けられ、スライド機構７２−２の動きがブラシ本体７１の作用部７１−１を駆動してエルボ管７２−１−１内でスライドさせ、スライド機構７２−２の駆動によってブラシ本体７１の作用部７１−１がガイドヘッドの端部でエルボ管の出口７２−１−２から突出することができる。
【０３７９】
図４７ないし図４７−４に示すように、組み込み歯間ブラシ７０１のスライド機構７２−２は、歯間ブラシ接続機構７２−２−１とスライドブロック７２−２−２とを有し、歯間ブラシ接続機構７２−２−１はスライドブロック７２−２−２に配置され、歯間ブラシの接続体７１−２と歯間ブラシ接続機構７２−２−１とが接続され、スライドブロック７２−２−２は、ブラシ本体７１を駆動してエルボ管７２−１−１内で往復させるように押したり引いたりすることができ、それによって歯間ブラシの作用部７１−１がガイドヘッド７２−１の端部でエルボ管の出口７２−１−２から突出したり引っ込んだりする。
【０３８０】
組み込み歯間ブラシ７０１はブラシ本体７１が送り込み装置７２のガイドヘッド７２−１のエルボ管７２−１−１内に組み込まれた構造を採用しているため、ガイドヘッド７２−１が歯間と位置合わせされた後は、弾性材料からなるブラシ本体７１の作用部７１−１が、送り込み装置７２上のスライド機構７２−２を押して歯ブラシ本体７１の作用部７１−１をエルボ管７２−１−１の湾曲に沿って自動的に曲がり、歯間と位置合わせされて歯間に入るように駆動し、送り込み装置７２のスライド機構７２−２上のスライドブロック７２−２−２が前後に押されたり引き戻されたりし、それによって歯間ブラシの作用部７１−１が歯間内で往復して歯間を清掃する。送り込み装置７２は好適な剛性を有するため、送り込み装置７２のガイドヘッド７２−１のエルボ管の出口７２−１−２が歯間と位置合わせされた後は、押し出されるブラシ本体７１の作用部７１−１が直接歯間に入る。送り込み装置７２のガイドヘッド７２−１のエルボ管の出口７２−１−２がほとんど歯間に付けられそうであり、歯間にきわめて近く、歯間ブラシの作用部７１−１が容易に曲がることができないため、ブラシ本体７１の力の伝導が著しく強化され、ブラシ本体７１の操作性が向上し、それによって従来技術における歯間ブラシが臼歯の間の隙間を清掃する際に曲がりやすく、歯肉を傷つけやすいという欠陥が回避される。
【０３８１】
接続機構３００が組み込み歯間ブラシ７０１のガイドヘッド７２−１に配置され、接続機構３００は位置決めブロック３２を有する。
【０３８２】
本実施形態では、接続機構３００と組み込み歯間ブラシ７０１のガイドヘッド７２−１とは、一体製造によって接続される。当然ながら、両者は互いに接着されてもよく、または着脱可能に接続されてもよい。
【０３８３】
図４４ないし図４７−４に示すように、口腔ビューア２００のハウジング２１は、組み込み歯間ブラシ７０１のスライドブロック７２−２−２がその上で往復することができるスライドスロット２１１−２と、接続機構３００を固定することができる位置決めスロット３５とを備える。
【０３８４】
図４７ないし図４７−４に示すように、組み込み歯間ブラシ７０１のスライド機構７２−２のスライドブロック７２−２−２は、アーチ形ハウジング７２−２−２１を有し、アーチ形ハウジング７２−２−２１の内側にガイドブロック７２−２−２２を備え、図４５−４に示すように、ガイドブロック７２−２−２２は口腔ビューア２００のスライドスロット２１１−２内で往復することができる。
【０３８５】
スライドブロック７２−２−２を便利に押して動かすために、アーチ型ハウジング７２−２−２１は滑り止め線を備えてもよい。アーチ形ハウジング７２−２−２１がわずかに押し下げられると、ガイドブロック７２−２−２２が口腔ビューア２００のスライドスロット２１１−２にはめ込まれることができ、アーチ形ハウジング７２−２−２１が前後に押されると、スライドブロック７２−２−２が、ガイドブロック７２−２−２２の誘導作用で口腔ビューア２００のスライドスロット２１１−２に沿って前後に便利にスライドすることができる。
【０３８６】
図４４ないし図４７−４に示すように、本実施形態では、接続機構３００の位置決めブロック３２は、逆Ｔ字形位置決めブロック３２−１である。逆Ｔ字形位置決めブロック３２−１は、接続機構３００の下に配置される。口腔ビューア２００のハウジング２１は固定機構２１１を備え、固定機構２１１は位置決めスロット３５と、スライドスロット２１１−２と、締め付けブロック３６とを有する。Ｔ字形位置決めブロック３２−１は、位置決めスロット３５に着脱可能にはめ込まれ、上方へ跳ねている締め付けブロック３６が、接続機構３００が後退するのを防止することができ、組み込み歯間ブラシ７０１が誤って口腔ビューア２００から外されるのを防止することができ、図４５−１に示すように、締め付けブロック３６を押し下げると同時に接続機構３００を後方に引くことによってのみ、接続機構３００を口腔ビューア２００から外すことができる。
【０３８７】
取り付け時、接続機構３００が組み込み歯間ブラシ７０１の送り込み装置７２のガイドヘッド７２−１の適切な位置に固定される。組み込み歯間ブラシ７０１のブラシ本体７１が、送り込み装置７２のスライドブロック７２−２−２に接続される。ブラシ本体７１が送り込み装置７２のガイドヘッド７２−１のエルボ管７２−１−１内に取り付けられ、スライドブロック７２−２−２が前方に押されて接続機構３００と組み込み歯間ブラシ７０１のスライドブロック７２−２−２とを接合させる。
【０３８８】
次に、組み込み歯間ブラシ７０１と接続機構３００とが、口腔ビューア２００のハウジング２１の位置決め端部２１２に沿って口腔ビューア２００のハウジング２１の固定機構２１１に下方に収まる。組み込み歯間ブラシ７０１と接続機構３００とが押し下げられ、組み込み歯間ブラシ７０１のスライドブロック７２−２−２のアーチ形ハウジング７２−２−２１の内側にあるガイドブロック７２−２−２２が、口腔ビューア２００のスライドスロット２１１−２にはめ込まれ、一方、締め付けブロック３６が押し下げられ、逆Ｔ字形位置決めブロック３２−１が口腔ビューア２００の位置決めスロット３５内に入る。
【０３８９】
スライドブロック７２−２−２と組み込み歯間ブラシ７０１のブラシ本体７１とが静止状態に保たれている状態で、接続機構３００が前方に押され、それによって、締め付けブロック３６が上に跳ねて接続機構３００の後端に当接するまで接続機構３００の逆Ｔ字形位置決めブロック３２−１が口腔ビューア２００の位置決めスロット３５にはめ込まれ、これによって接続機構３００が所定の位置に取り付けられ、それによって組み込み歯間ブラシ７０１と口腔ビューア２００との確実な接続が達成される。
【０３９０】
組み込み歯間ブラシ７０１を取り外す必要があるときは、接続機構３００が力によって後方に動かされ、したがって締め付けブロック３６が押し下げられ、接続機構３００が後方に動くことができ、Ｔ字形位置決めブロック３２−１と位置決めスロット３５との間の接続が解除されるまで逆Ｔ字形位置決めブロック３２−１が位置決めスロット３５から引き出され、それによって組み込み歯間ブラシ７０１が口腔ビューア２００から取り外される。
【０３９１】
逆Ｔ字形位置決めブロック３２−１が逆Ｔ字形構造を採用しているため、Ｔ字形位置決めブロック３２−１が位置決めスロット３５にはめ込まれると、逆Ｔ字形構造の底部と位置決めスロット３５とが凹凸嵌合構造を形成することができ、それによって接続機構３００の垂直方向の動きが実質的に制限され、使用中に組み込み歯間ブラシ７０１と口腔ビューア２００とが垂直方向に離れるのをさらに防止する。一方、締め付けブロック３６が接続機構３００の後端に配置される。締め付けブロック３６が持ち上げられると、締め付けブロック３６の最上部が接続機構３００の尾端よりも高いため、接続機構３００が後方に動くのを実質的に防止することができ、接続機構３００が意識的かつ強制的に後方に動かされたときのみ、締め付けブロック３６の誘導面に沿って引き出した後で接続機構３００を口腔ビューア２００から外すことができ、それによって、接続機構３００が後方に容易に動くことができるために組み込み歯間ブラシ７０１が口腔ビューア２００から誤って外されるのを実質的に防止する。
【０３９２】
図４５−１、図４５−２および図４８ないし図４９に示すように、本実施形態では、可視観察システム２４はカメラシステム２４−１であり、カメラシステム２４−１は、カメラ２４−１−１と、データ処理および出力システム２４−１−２と、回路システム２５と、電源システム２２とを有する。
【０３９３】
カメラシステム２４−１のデータ処理および出力システム２４−１−２によって出力される映像データを、有線接続方法または無線接続方法で表示装置２４−１−３表示することができ、表示装置２４−１−３は、スマートフォン２４−１−３１、コンピュータ２４−１―３４、液晶表示装置２４−１−３３またはテレビ２４−１−３４を有する。
【０３９４】
照明システム２３はカメラ２４−１−１の周囲に配置される。
【０３９５】
着脱可能可視歯間ブラシ９０５は、ユーザの使用習慣および好みに応じて自由に組み合わせてよく、組み込み歯間ブラシ７０１と口腔ビューア２００とは、片手で操作して歯間を清掃するように接続機構３００を介して互いに柔軟に組み立てられ、両者は分離されてもよく、可視を行うために口腔ビューア２００が一方の手で保持され、歯間を清掃するために組み込み歯間ブラシ７０１が他方の手で保持され、したがって着脱可能可視歯間ブラシ９０５は携帯および組み立てが便利であり、使用に柔軟性がある。
【０３９６】
実施形態１６：本発明による円弧状位置決めフック型位置決めブロックを有する着脱可能可視歯間ブラシ
【０３９７】
図５０ないし図５３−５に示すように、本実施形態と実施形態１との相違は、本実施形態では接続機構３００の位置決めブロック３２が円弧状位置決めフック３２−２を採用している点である。
【０３９８】
円弧状位置決めフック３２−２は位置決め溝３２−２−１を有する。口腔ビューア２００における位置決めスロット３５は、位置決め溝３２−２−１と合致される位置決め凸状段２１１−１−１を有する。図９および図９−１に示すように、円弧状位置決めフック３２−２は位置決めスロット３５にはめ込まれて凹凸嵌合を形成し、それによって接続機構３００の垂直方向の動きを制限し、図５０−２、図５０−３、図５１、図５２、図５２−１および図５３−１に示すように、位置決め凸状段２１１−１−１は位置決め溝３２−２−１にはめ込まれ、それによって接続機構３００の前方および後方への動きを制限する。
【０３９９】
取り付け時、組み込み歯間ブラシ７０１と接続機構３００とが上述のように取り付けられた後、組み込み歯間ブラシ７０１のスライドブロック７２−２−２が口腔ビューア２００のハウジング２１の内部ハウジング２１の内部のスライドスロット２１１−２と位置合わせされ、接続機構３００の円弧状位置決めフック３２−２が口腔ビューア２００のハウジング２１の内部ハウジング２１の内部の位置決めスロット３５と位置合わせされ、組み込み歯間ブラシ７０１と接続機構３００とが押し下げられ、それによって組み込み歯間ブラシ７０１のスライドブロック７２−２−２のアーチ形ハウジング７２−２−２１の内面のガイドブロック７２−２−２２が口腔ビューア２００のスライドスロット２１１−２にはめ込まれ、接続機構３００の円弧状位置決めフック３２−２が位置決めスロット３５にはめ込まれて凹凸嵌合を形成し、それによって接続機構３００の垂直方向の動きを制限し、接続機構３００は、口腔ビューア２００の位置決め凸状段２１１−１−１が接続機構３００の位置決め溝３２−２−１にはめ込まれるまで前方にスライドされ、それによって接続機構３００の前方および後方への動きを制限する。組み込み歯間ブラシ７０１を取り外す必要があるときは、接続機構３００が力により後方に動かされ、それによって接続機構３００の位置決め溝３２−２−１が口腔ビューア２００の位置決め凸状段２１１−１−１から解放される。そして接続機構３００が口腔ビューア２００の位置決めスロット３５に沿って後方に連続してスライドされると、接続機構３００が口腔ビューア２００から外されることができる。
【０４００】
実施形態１と比較すると、本実施形態では、円弧状位置決めフック３２−２と位置決めスロット３５との間と、位置決め凸状段２１１−１−１と位置決め溝３２−２−１との間に形成される二重凹凸嵌合方法が、接続機構３００と口腔ビューア２００との間の実質的な接続および固定を実現することができる。
【０４０１】
実施形態１７：本発明による接続リング型位置決めブロックを有する着脱可能可視歯間ブラシ
【０４０２】
図５４に示すように、本実施形態と実施形態２との相違は、本実施形態では、口腔ビューア２００が接続リング型接続機構３００をさらに備える点である。本実施形態の接続機構３００は、接続リング３２−３を有し、組み込み歯間ブラシ７０１が接続リング３２−３の取り付け孔３２−３−１を通過し、それによって組み込み歯間ブラシ７０１が口腔ビューア２００に固定される。凹凸嵌合接続方法と比較すると、接続リング３２−３リング構造は、より高い張力に耐えることができ、歯間ブラシ７００が歯間から引き出されるときの安全性を向上させることができ、したがってより信頼性が高い。
【０４０３】
図５４−１に示すように、接続機構３００は、囲繞アーム３２−４であってもよい。組み込み歯間ブラシ７０１と口腔ビューア２００とは囲繞アーム３２−４を介して互いに着脱可能に接続される。囲繞アーム３２−４は組み込み歯間ブラシ７００に配置されてよく、次に口腔ビューア２００を囲んで両者の着脱可能接続を実現してよく、また、口腔ビューア２００に配置されてもよく、次に組み込み歯間ブラシ７０１を囲んで両者の着脱可能接続を実現してもよい。
【０４０４】
なお、本願では、接続機構３００はまた、独立の構成であってもよく、組み込み歯間ブラシ７０１と口腔ビューア２００とにそれぞれ接続されて、組み込み歯間ブラシ７０１と口腔ビューア２００とを一体に接続してよいことに特に留意されたい。接続機構３００は、全体が組み込み歯間ブラシ７０１または口腔ビューア２００とともに製造されてから口腔ビューア２００または組み込み歯間ブラシ７０１に接続されて一体に形成されてもよい。接続の種類にかかわらず、最終目標は組み込み歯間ブラシ７０１と口腔ビューア２００との着脱可能接続を実現することである。したがって、組み込み歯間ブラシ７０１と口腔ビューア２００との着脱可能接続は、接続機構３００が組み込み歯間ブラシ７０１または口腔ビューア２００のうちの一方との着脱可能機械的接続を実現する限り、実現可能である。
【０４０５】
なお、本明細書で開示され、記載されている各構造は、同じ効果を有する他の構造に置き換えられてもよく、本明細書に記載の実施形態は本発明を実現する唯一の構造ではないことに留意されたい。本明細書では本発明の好ましい実施形態について説明および図示したが、当業者にはこれらの実施形態が例示および典型例に過ぎないことがわかるであろう。当業者は、本発明から逸脱することなく多くの変更、改良および置換を行うことができる。したがって、本発明の保護範囲は、本発明の添付の特許請求の範囲の思想および範囲に従って規定されるべきである。
【０４０６】
以上、特定の実施形態について説明したが、本発明をこれらの特定の実施形態に限定することを意図していないことを理解されたい。逆に、本発明は、添付の特許請求の範囲の思想および範囲内での代替、変更、および同等物を有する。本明細書で提示されている対象物を十分に理解することができるようにするために、多くの特定の詳細が記載されている。しかし、対象物はこれらの特定の詳細がなくても実施可能であることが当業者にはわかるであろう。他の例では、実施形態の態様が無用に不明瞭にならないようにするため、周知の方法、手順、構成、および回路については詳細には説明していない。
【０４０７】
本明細書における本発明の説明で使用されている用語は、特定の実施形態について説明することのみを目的としており、本発明を限定することを意図してはいない。文脈が別の解釈を明確に示していない限り、本発明の説明および添付の特許請求の範囲で使用されている単数の表現は、複数も含むことを意図している。また本明細書で使用されている「および／または」という用語は、それに関連付けられた列挙項目のうちの１つまたは複数の項目の可能な組み合わせのいずれかまたはすべてを指し、包含するものと理解されたい。さらに、「有する」、「備える」という用語が本明細書で使用されているときは、記載されている特徴、動作、要素および／または構成の存在を明示しているが、１つまたは複数の他の特徴、動作、要素、構成および／またはそのグループの存在または追加を排除しない。
【０４０８】
本明細書で使用されている「場合」という用語は、文脈に応じて、その前に記載されている条件が真である「とき」、または「時」、または「と判断することに応じて」、または「との判断に従って」、または「ことを検出することに応答して」という意味に解釈することができる。同様に、文脈に応じて、「［その前に記載されている条件が真である］と判断される場合」、または「その前に記載されている条件が真である場合」、または「その前に記載されている条件が真であるとき」という語句は、その前に記載されている条件が真である「と判断すると」、または「と判断することに応答して」、または「との判断に従って」、または「ことを検出すると」、または「ことを検出することに応答して」という意味に解釈することができる。
【０４０９】
様々な図面のうちの一部は、いくつかの論理的段階を特定の順序で示しているが、順序に依存しない段階は順序を入れ替えてもよく、他の段階を組み合わせまたは分割してもよい。一部の順序変更またはその他のグループ化について具体的に言及しているが、当業者には他の順序変更またはグループ化も明らかであろうし、代替態様の網羅的な列挙は行わない。また、これらの段階は、ハードウェア、ファームウェア、ソフトウェアまたはこれらの任意の組み合わせで実装可能であるものと認識されるべきである。
【０４１０】
以上の例示を目的とした説明を特定の実施形態を参照しながら説明した。しかし、上記の例示的説明は網羅的であること、または本発明を開示されている厳密な形態に限定することを意図したものではない。上述の教示に照らして多くの変更または変形が可能である。実施形態は本発明の原理とその実用的適用を最もよく説明し、それによって当業者が本発明と、企図された特定の用途に適するように様々な変更を加えた様々な実施形態とを最もよく使用することができるようにするために、選定し、説明した。
【図１】
2019517838.tif 000003
【図１−１】
2019517838.tif 000004
【図１−２】
2019517838.tif 000005
【図１−３】
2019517838.tif 000006
【図１−４】
2019517838.tif 000007
【図１−５】
2019517838.tif 000008
【図１−６】
2019517838.tif 000009
【図２】
2019517838.tif 000010
【図２−１】
2019517838.tif 000011
【図３】
2019517838.tif 000012
【図３−１】
2019517838.tif 000013
【図３−２】
2019517838.tif 000014
【図４】
2019517838.tif 000015
【図４−１】
2019517838.tif 000016
【図５】
2019517838.tif 000017
【図５−１】
2019517838.tif 000018
【図６】
2019517838.tif 000019
【図６−１】
2019517838.tif 000020
【図７】
2019517838.tif 000021
【図７−１】
2019517838.tif 000022
【図８】
2019517838.tif 000023
【図８−１】
2019517838.tif 000024
【図９】
2019517838.tif 000025
【図１０】
2019517838.tif 000026
【図１１】
2019517838.tif 000027
【図１１−１】
2019517838.tif 000028
【図１１−２】
2019517838.tif 000029
【図１１−３】
2019517838.tif 000030
【図１１−４】
2019517838.tif 000031
【図１１−５】
2019517838.tif 000032
【図１１−６】
2019517838.tif 000033
【図１１−７】
2019517838.tif 000034
【図１１−８】
2019517838.tif 000035
【図１２】
2019517838.tif 000036
【図１２−１】
2019517838.tif 000037
【図１２−２】
2019517838.tif 000038
【図１２−３】
2019517838.tif 000039
【図１２−４】
2019517838.tif 000040
【図１２−５】
2019517838.tif 000041
【図１２−６】
2019517838.tif 000042
【図１２−７】
2019517838.tif 000043
【図１２−８】
2019517838.tif 000044
【図１３】
2019517838.tif 000045
【図１３−１】
2019517838.tif 000046
【図１４】
2019517838.tif 000047
【図１５】
2019517838.tif 000048
【図１６】
2019517838.tif 000049
【図１７】
2019517838.tif 000050
【図１８】
2019517838.tif 000051
【図１８−１】
2019517838.tif 000052
【図１９】
2019517838.tif 000053
【図１９−１】
2019517838.tif 000054
【図２０】
2019517838.tif 000055
【図２１】
2019517838.tif 000056
【図２１−１】
2019517838.tif 000057
【図２１−２】
2019517838.tif 000058
【図２１−３】
2019517838.tif 000059
【図２１−４】
2019517838.tif 000060
【図２２】
2019517838.tif 000061
【図２２−１】
2019517838.tif 000062
【図２２−２】
2019517838.tif 000063
【図２２−３】
2019517838.tif 000064
【図２３】
2019517838.tif 000065
【図２３−１】
2019517838.tif 000066
【図２３−２】
2019517838.tif 000067
【図２３−３】
2019517838.tif 000068
【図２３−４】
2019517838.tif 000069
【図２３−５】
2019517838.tif 000070
【図２４】
2019517838.tif 000071
【図２５】
2019517838.tif 000072
【図２６】
2019517838.tif 000073
【図２７】
2019517838.tif 000074
【図２７−１】
2019517838.tif 000075
【図２８】
2019517838.tif 000076
【図２８−１】
2019517838.tif 000077
【図２９】
2019517838.tif 000078
【図２９−１】
2019517838.tif 000079
【図３０】
2019517838.tif 000080
【図３０−１】
2019517838.tif 000081
【図３１】
2019517838.tif 000082
【図３１−１】
2019517838.tif 000083
【図３１−２】
2019517838.tif 000084
【図３２】
2019517838.tif 000085
【図３２−１】
2019517838.tif 000086
【図３２−２】
2019517838.tif 000087
【図３３】
2019517838.tif 000088
【図３３−１】
2019517838.tif 000089
【図３３−２】
2019517838.tif 000090
【図３４】
2019517838.tif 000091
【図３４−１】
2019517838.tif 000092
【図３４−２】
2019517838.tif 000093
【図３５】
2019517838.tif 000094
【図３６】
2019517838.tif 000095
【図３７】
2019517838.tif 000096
【図３７−１】
2019517838.tif 000097
【図３７−２】
2019517838.tif 000098
【図３８】
2019517838.tif 000099
【図３８−１】
2019517838.tif 000100
【図３８−２】
2019517838.tif 000101
【図３８−３】
2019517838.tif 000102
【図３９】
2019517838.tif 000103
【図３９−１】
2019517838.tif 000104
【図３９−２】
2019517838.tif 000105
【図３９−３】
2019517838.tif 000106
【図４０】
2019517838.tif 000107
【図４０−１】
2019517838.tif 000108
【図４０−２】
2019517838.tif 000109
【図４１】
2019517838.tif 000110
【図４１−１】
2019517838.tif 000111
【図４１−２】
2019517838.tif 000112
【図４１−３】
2019517838.tif 000113
【図４２】
2019517838.tif 000114
【図４２−１】
2019517838.tif 000115
【図４３】
2019517838.tif 000116
【図４４】
2019517838.tif 000117
【図４４−１】
2019517838.tif 000118
【図４４−２】
2019517838.tif 000119
【図４４−３】
2019517838.tif 000120
【図４５】
2019517838.tif 000121
【図４５−１】
2019517838.tif 000122
【図４５−２】
2019517838.tif 000123
【図４５−３】
2019517838.tif 000124
【図４６】
2019517838.tif 000125
【図４６−１】
2019517838.tif 000126
【図４７】
2019517838.tif 000127
【図４７−１】
2019517838.tif 000128
【図４７−２】
2019517838.tif 000129
【図４７−３】
2019517838.tif 000130
【図４７−４】
2019517838.tif 000131
【図４８】
2019517838.tif 000132
【図４９】
2019517838.tif 000133
【図５０】
2019517838.tif 000134
【図５０−１】
2019517838.tif 000135
【図５０−２】
2019517838.tif 000136
【図５０−３】
2019517838.tif 000137
【図５１】
2019517838.tif 000138
【図５１−１】
2019517838.tif 000139
【図５１−２】
2019517838.tif 000140
【図５２】
2019517838.tif 000141
【図５２−１】
2019517838.tif 000142
【図５３】
2019517838.tif 000143
【図５３−１】
2019517838.tif 000144
【図５３−２】
2019517838.tif 000145
【図５３−３】
2019517838.tif 000146
【図５３−４】
2019517838.tif 000147
【図５３−５】
2019517838.tif 000148
【図５４】
2019517838.tif 000149
【図５４−１】
2019517838.tif 000150
【国際調査報告】
2019517838.tif 000151
2019517838.tif 000152
2019517838.tif 000153
2019517838.tif 000154
2019517838.tif 000155
2019517838.tif 000156